(57)【特許請求の範囲】
【請求項１】
未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなるとともに、前記瞳孔線設定用ロッドは、前記接続部材の材軸に対して直角にかつ該材軸廻りに揺動自在又は回動自在となるようにその中央近傍で該接続部材に取り付けられるようになっている咬合面トランスファー器具であって、前記正中線設定用ロッドは、患者の顔面を正面から見たときに該正中線設定用ロッドが正中線に一致するように前記瞳孔線設定用ロッドに取付け自在となっていることを特徴とする咬合面トランスファー器具。
【請求項２】
前記接続部材の他端に断面が円形の差込穴を形成するとともに、該差込穴に嵌合される差込部を断面が円形になるように前記瞳孔線設定用ロッドの中央近傍に突設した請求項１記載の咬合面トランスファー器具。
【請求項３】
前記差込部が前記差込穴の軸線廻りに任意の角度で該差込穴内に固定されるように前記接続部材に差込部固定機構を設けた請求項２記載の咬合面トランスファー器具。
【請求項４】
前記瞳孔線設定用ロッドを断面が円形となるように形成するとともに、該瞳孔線設定用ロッドに嵌着可能な嵌着部を前記正中線設定用ロッドの周面に取り付けることで、嵌着状態にて前記正中線設定用ロッドを前記瞳孔線設定用ロッドに対して摺動自在にかつ該瞳孔線設定用ロッドの材軸廻りに揺動自在又は回動自在となるように構成した請求項１記載の咬合面トランスファー器具。
【請求項５】
前記嵌着部が前記瞳孔線設定用ロッドに嵌着された状態にて前記正中線設定用ロッドが前記瞳孔線設定用ロッドの所望の位置でかつ材軸廻りに所望の角度で固定されるように前記嵌着部に嵌着部固定機構を設けた請求項４記載の咬合面トランスファー器具。
【請求項６】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項１乃至請求項５のいずれか一記載の咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記咬合面トランスファー器具を構成する前記正中線設定用ロッドが前記底版に対して垂直になるように前記下顎歯列模型を前記底版の上面に、前記上顎歯列模型を前記頂版の下面にそれぞれ固着することができるようになっているとともに、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項７】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項６記載の咬合器。
【請求項８】
前記咬合面トランスファー器具を構成する前記正中線設定用ロッドが嵌合される正中線設定用ロッド溝を前記底版及び前記頂版の前方側端面にそれぞれ形成するとともに前記正中線設定用ロッドを前記正中線設定用ロッド溝にそれぞれ嵌合したとき、該正中線設定用ロッドが垂直となるように前記正中線設定用ロッド溝の深さを設定した請求項７記載の咬合器。
【請求項９】
前記底版又は前記頂版の前方側端面に所定の瞳孔線基準ラインを前記底版に対して平行に設けた請求項７記載の咬合器。
【請求項１０】
前記各正中線設定用ロッド溝の内面に前記底版と垂直な正中線基準ラインをそれぞれ設けるとともに、前記頂版及び前記底版の前記前方側端面に前記正中線基準ラインと直角な瞳孔線基準ラインをそれぞれ設けた請求項８記載の咬合器。
【請求項１１】
前記咬合面トランスファー器具を構成する前記正中線設定用ロッドが嵌合される正中線設定用ロッド溝を前記底版及び前記頂版の前方側端面にそれぞれ形成するとともに前記正中線設定用ロッドを前記正中線設定用ロッド溝にそれぞれ嵌合したとき、該正中線設定用ロッドが前記底版に対して垂直となるように前記正中線設定用ロッド溝の深さを設定した請求項６記載の咬合器。
【請求項１２】
前記底版又は前記頂版の前方側端面に所定の瞳孔線基準ラインを前記底版に対して平行に設けた請求項６記載の咬合器。
【請求項１３】
前記各正中線設定用ロッド溝の内面に前記底版と垂直な正中線基準ラインをそれぞれ設けるとともに、前記頂版及び前記底版の前記前方側端面に前記正中線基準ラインと直角な瞳孔線基準ラインをそれぞれ設けた請求項１１記載の咬合器。
【請求項１４】
咬合面トランスファー器具を構成する接続部材の一端に設けられたバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記下顎歯列模型を咬合器を構成する底版の上面に固着するとともに該底版の後方側縁部近傍に立設された支持機構に後方側縁部にて取り付けられ前方に向けて前記支持機構に片持ち状に取り付けられた頂版の下面に前記上顎歯列模型を固着し、前記下顎歯列模型及び前記上顎歯列模型が前記底版と前記頂版にそれぞれ固着された後、前記底版と前記頂版との相対位置関係が保持される状態で前記バイト材及び前記２つの側方バイト材を撤去するとともに、前記頂版を前記底版との相対位置関係が着脱前後で保持されるように前記支持機構に随時着脱しながら又は前記頂版を前記底版との相対位置関係が反転前後で保持されるように前記支持機構に対して回転させて上面及び下面を反転させながら、前記下顎歯列模型又は前記上顎歯列模型を用いて差し歯を製作する差し歯製作方法であって、前記上顎歯列模型及び前記下顎歯列模型を前記頂版と前記底版にそれぞれ固着するにあたり、前記接続部材の他端に設けられた瞳孔線設定用ロッドに直角にかつ該瞳孔線設定用ロッドの材軸廻りに所定の角度位置で取り付けられた正中線設定用ロッドが前記底版と垂直になるように、前記上顎歯列模型及び前記下顎歯列模型を前記頂版と前記底版にそれぞれ固着することを特徴とする差し歯製作方法。
【請求項１５】
未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドは所定のロッド本体と該ロッド本体の周面であってその材軸に沿って突設された突条体とからなる咬合面トランスファー器具であって、前記正中線設定用ロッドは、患者の顔面を正面から見たときに該正中線設定用ロッドが正中線に一致するように前記瞳孔線設定用ロッドに取付け自在となっていることを特徴とする咬合面トランスファー器具。
【請求項１６】
前記接続部材の他端に断面が円形の差込穴を形成するとともに、該差込穴に嵌合される差込部を断面が円形になるように前記瞳孔線設定用ロッドの中央近傍に突設した請求項１５記載の咬合面トランスファー器具。
【請求項１７】
前記差込部が前記差込穴の軸線廻りに任意の角度で該差込穴内に固定されるように前記接続部材に差込部固定機構を設けた請求項１６記載の咬合面トランスファー器具。
【請求項１８】
前記瞳孔線設定用ロッドを断面が円形となるように形成するとともに、該瞳孔線設定用ロッドに嵌着可能な嵌着部を前記正中線設定用ロッドの周面に取り付けることで、嵌着状態にて前記正中線設定用ロッドを前記瞳孔線設定用ロッドに対して摺動自在にかつ該瞳孔線設定用ロッドの材軸廻りに揺動自在又は回動自在となるように構成した請求項１５記載の咬合面トランスファー器具。
【請求項１９】
前記嵌着部が前記瞳孔線設定用ロッドに嵌着された状態にて前記正中線設定用ロッドが前記瞳孔線設定用ロッドの所望の位置でかつ材軸廻りに所望の角度で固定されるように前記嵌着部に嵌着部固定機構を設けた請求項１８記載の咬合面トランスファー器具。
【請求項２０】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項１５乃至請求項１９のいずれか一記載の咬合面トランスファー器具を構成する前記正中線設定用ロッドの前記突条体が着脱自在に嵌合されるように所定の嵌合溝を前記底版及び前記頂版の前方側端面に形成するとともに該嵌合溝に前記突条体が嵌合されたときに前記正中線設定用ロッドが前記底版に対して垂直になり、かつ前記正中線設定用ロッドが前記底版に対して垂直な軸線廻りに対し特定の角度に位置決めされた状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記突条体を前記嵌合溝に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項２１】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項２０記載の咬合器。
【請求項２２】
前記底版又は前記頂版の前方側端面に所定の瞳孔線基準ラインを前記底版に対して平行に設けた請求項２０記載の咬合器。
【請求項２３】
前記底版又は前記頂版の前方側端面に所定の瞳孔線基準ラインを前記底版に対して平行に設けた請求項２１記載の咬合器。
【請求項２４】
未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドの断面を非円形とした咬合面トランスファー器具であって、前記正中線設定用ロッドは、患者の顔面を正面から見たときに該正中線設定用ロッドが正中線に一致するように前記瞳孔線設定用ロッドに取付け自在となっていることを特徴とする咬合面トランスファー器具。
【請求項２５】
前記接続部材の他端に断面が円形の差込穴を形成するとともに、該差込穴に嵌合される差込部を断面が円形になるように前記瞳孔線設定用ロッドの中央近傍に突設した請求項２４記載の咬合面トランスファー器具。
【請求項２６】
前記差込部が前記差込穴の軸線廻りに任意の角度で該差込穴内に固定されるように前記接続部材に差込部固定機構を設けた請求項２５記載の咬合面トランスファー器具。
【請求項２７】
前記瞳孔線設定用ロッドを断面が円形となるように形成するとともに、該瞳孔線設定用ロッドに嵌着可能な嵌着部を前記正中線設定用ロッドの周面に取り付けることで、嵌着状態にて前記正中線設定用ロッドを前記瞳孔線設定用ロッドに対して摺動自在にかつ該瞳孔線設定用ロッドの材軸廻りに揺動自在又は回動自在となるように構成した請求項２４記載の咬合面トランスファー器具。
【請求項２８】
前記嵌着部が前記瞳孔線設定用ロッドに嵌着された状態にて前記正中線設定用ロッドが前記瞳孔線設定用ロッドの所望の位置でかつ材軸廻りに所望の角度で固定されるように前記嵌着部に嵌着部固定機構を設けた請求項２７記載の咬合面トランスファー器具。
【請求項２９】
上面に下顎歯列模型が固着される底版と、該底版の後方側縁部近傍に立設された支持機構と、該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項２４乃至請求項２８のいずれか一記載の咬合面トランスファー器具を構成する前記正中線設定用ロッドが着脱自在に嵌合されるように所定のロッド嵌合凹部を前記底版及び前記頂版の前方側端面に形成するとともに前記ロッド嵌合凹部に前記正中線設定用ロッドが嵌合されたときに該正中線設定用ロッドが前記底版に対して垂直になり、かつ前記正中線設定用ロッドが前記底版に対して垂直な軸線廻りに対し特定の角度に位置決めされた状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記正中線設定用ロッドを前記ロッド嵌合凹部に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項３０】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項２９記載の咬合器。
【請求項３１】
前記底版又は前記頂版の前方側端面に所定の瞳孔線基準ラインを前記底版に対して平行に設けた請求項２９記載の咬合器。
【請求項３２】
前記底版又は前記頂版の前方側端面に所定の瞳孔線基準ラインを前記底版に対して平行に設けた請求項３０記載の咬合器。
【請求項３３】
未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドは断面が非円形のロッド本体と該ロッド本体の周面であってその材軸に沿って突設された突条体とからなる咬合面トランスファー器具であって、前記正中線設定用ロッドは、患者の顔面を正面から見たときに該正中線設定用ロッドが正中線に一致するように前記瞳孔線設定用ロッドに取付け自在となっていることを特徴とする咬合面トランスファー器具。
【請求項３４】
前記接続部材の他端に断面が円形の差込穴を形成するとともに、該差込穴に嵌合される差込部を断面が円形になるように前記瞳孔線設定用ロッドの中央近傍に突設した請求項３３記載の咬合面トランスファー器具。
【請求項３５】
前記差込部が前記差込穴の軸線廻りに任意の角度で該差込穴内に固定されるように前記接続部材に差込部固定機構を設けた請求項３４記載の咬合面トランスファー器具。
【請求項３６】
前記瞳孔線設定用ロッドを断面が円形となるように形成するとともに、該瞳孔線設定用ロッドに嵌着可能な嵌着部を前記正中線設定用ロッドの周面に取り付けることで、嵌着状態にて前記正中線設定用ロッドを前記瞳孔線設定用ロッドに対して摺動自在にかつ該瞳孔線設定用ロッドの材軸廻りに揺動自在又は回動自在となるように構成した請求項３３記載の咬合面トランスファー器具。
【請求項３７】
前記嵌着部が前記瞳孔線設定用ロッドに嵌着された状態にて前記正中線設定用ロッドが前記瞳孔線設定用ロッドの所望の位置でかつ材軸廻りに所望の角度で固定されるように前記嵌着部に嵌着部固定機構を設けた請求項３６記載の咬合面トランスファー器具。
【請求項３８】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項３３乃至請求項３７のいずれか一記載の咬合面トランスファー器具を構成する前記正中線設定用ロッドの前記ロッド本体が着脱自在に嵌合されるように所定のロッド嵌合凹部を前記底版及び前記頂版の前方側端面に形成するとともに前記正中線設定用ロッドの前記突条体が着脱自在に嵌合されるように所定の嵌合溝を前記ロッド嵌合凹部の内面に形成し、該ロッド嵌合凹部及び該嵌合溝に前記ロッド本体及び前記突条体がそれぞれ嵌合されたときに前記正中線設定用ロッドが前記底版に対して垂直になり、かつ前記正中線設定用ロッドが前記底版に対して垂直な軸線廻りに対し特定の角度に位置決めされた状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記ロッド本体及び前記突条体を前記ロッド嵌合凹部及び前記嵌合溝にそれぞれ嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項３９】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項３８記載の咬合器。
【請求項４０】
前記底版又は前記頂版の前方側端面に所定の瞳孔線基準ラインを前記底版に対して平行に設けた請求項３８記載の咬合器。
【請求項４１】
前記底版又は前記頂版の前方側端面に所定の瞳孔線基準ラインを前記底版に対して平行に設けた請求項３９記載の咬合器。
【請求項４２】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍に該頂版を貫通する形で設けられた咬合面設定用機構とから構成してあるとともに前記頂版を前方に向けて前記支持機構に片持ち状に取り付けてなり、前記咬合面設定用機構は、材軸廻りに非回転となるように前記頂版の前方側近傍にて形成された貫通孔に昇降自在に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項１乃至請求項５のいずれか一記載の咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記正中線設定用ロッドが前記底版に対して垂直になるように前記下顎歯列模型を前記底版の上面に、前記上顎歯列模型を前記頂版の下面にそれぞれ固着することができるようになっているとともに、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項４３】
前記咬合面トランスファー器具を構成する前記正中線設定用ロッドが着脱自在に嵌合される正中線設定用ロッド溝を前記底版及び前記頂版の前方側端面に形成するとともに、前記正中線設定用ロッドを前記正中線設定用ロッド溝に嵌合したとき、該正中線設定用ロッドが前記底版に対して垂直になるようにかつその材軸と前記切歯ガイド部材の材軸が同一面内に含まれるように前記正中線設定用ロッド溝を設定した請求項４２記載の咬合器。
【請求項４４】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項４２記載の咬合器。
【請求項４５】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項４３記載の咬合器。
【請求項４６】
所定の正中線ガイド部材と、該正中線ガイド部材に沿って昇降自在に取り付けられた昇降部材と、該昇降部材に前記正中線ガイド部材と直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、正中線ガイド用ロッド本体と該正中線ガイド用ロッド本体の周面であってその材軸に沿って突設された正中線ガイド用突条体とから構成してあるとともに前記正中線ガイド用突条体の断面形状を、請求項１５乃至請求項１９のいずれか一記載の咬合面トランスファー器具を構成する前記正中線設定用ロッドの前記突条体の断面形状と同一となるように形成し、前記正中線ガイド用突条体の突設方向に対する前記瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線ガイド部材に対して位置決めしたことを特徴とする咬合面設定用器具。
【請求項４７】
所定の正中線ガイド部材と、該正中線ガイド部材にその材軸に直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、正中線ガイド用ロッド本体と該正中線ガイド用ロッド本体の周面であってその材軸に沿って突設された正中線ガイド用突条体とから構成してあるとともに前記正中線ガイド用突条体の断面形状を、請求項１５乃至請求項１９のいずれか一記載の咬合面トランスファー器具を構成する前記正中線設定用ロッドの前記突条体の断面形状と同一となるように形成し、前記正中線ガイド用突条体の突設方向に対する前記瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線ガイド部材に対して位置決めしたことを特徴とする咬合面設定用器具。
【請求項４８】
所定の正中線ガイド部材と、該正中線ガイド部材に沿って昇降自在に取り付けられた昇降部材と、該昇降部材に前記正中線ガイド部材と直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、その断面形状を請求項２４乃至請求項２８のいずれか一記載の咬合面トランスファー器具を構成する前記正中線設定用ロッドの断面形状と同一となるように形成し、前記正中線ガイド部材に対する前記瞳孔線ガイド部材の配置角度が前記正中線設定用ロッドに対する前記瞳孔線設定用ロッドの配置角度と同一になるように前記瞳孔線ガイド部材を前記正中線ガイド部材に対して位置決めしたことを特徴とする咬合面設定用器具。
【請求項４９】
所定の正中線ガイド部材と、該正中線ガイド部材にその材軸に直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、その断面形状を請求項２４乃至請求項２８のいずれか一記載の咬合面トランスファー器具を構成する前記正中線設定用ロッドの断面形状と同一となるように形成し、前記正中線ガイド部材に対する前記瞳孔線ガイド部材の配置角度が前記正中線設定用ロッドに対する前記瞳孔線設定用ロッドの配置角度と同じになるように前記瞳孔線ガイド部材を前記正中線ガイド部材に対して位置決めしたことを特徴とする咬合面設定用器具。
【請求項５０】
所定の正中線ガイド部材と、該正中線ガイド部材に沿って昇降自在に取り付けられた昇降部材と、該昇降部材に前記正中線ガイド部材と直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、所定の正中線ガイド用ロッド本体と該正中線ガイド用ロッド本体の周面であってその材軸に沿って突設された正中線ガイド用突条体とから構成してあるとともに、その断面形状を請求項３３乃至請求項３７のいずれか一記載の咬合面トランスファー器具を構成する前記正中線設定用ロッドの断面形状と同一となるように形成し、前記正中線ガイド用突条体の突設方向に対する前記瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線ガイド部材に対して位置決めしたことを特徴とする咬合面設定用器具。
【請求項５１】
所定の正中線ガイド部材と、該正中線ガイド部材にその材軸に直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、所定の正中線ガイド用ロッド本体と該正中線ガイド用ロッド本体の周面であってその材軸に沿って突設された正中線ガイド用突条体とから構成してあるとともに、その断面形状を請求項３３乃至請求項３７のいずれか一記載の咬合面トランスファー器具を構成する前記正中線設定用ロッドの断面形状と同一となるように形成し、前記正中線ガイド用突条体の突設方向に対する前記瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線正中線ガイド部材に対して位置決めしたことを特徴とする咬合面設定用器具。
【請求項５２】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍に該頂版を貫通する形で設けられた咬合面設定用機構とから構成してあるとともに前記頂版を前方に向けて前記支持機構に片持ち状に取り付けてなり、前記咬合面設定用機構は、材軸廻りに非回転となるように前記頂版の前方側近傍にて形成された貫通孔に昇降自在に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項１５乃至請求項１９のいずれか一記載の咬合面トランスファー器具を構成する前記正中線設定用ロッドの前記突条体が着脱自在に嵌合されるように所定の嵌合溝を前記底版及び前記頂版の前方側端面に形成するとともに、該嵌合溝に前記突条体が嵌合されたときに前記瞳孔線設定用ロッドが前記瞳孔線ガイド部材に平行になり、かつ前記正中線設定用ロッドが前記底版に対して垂直になるとともにその材軸と前記切歯ガイド部材の材軸が同一面内に含まれる状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記突条体を前記嵌合溝に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項５３】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項５２記載の咬合器。
【請求項５４】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍に該頂版を貫通する形で設けられた咬合面設定用機構とから構成してあるとともに前記頂版を前方に向けて前記支持機構に片持ち状に取り付けてなり、前記咬合面設定用機構は、材軸廻りに非回転となるように前記頂版の前方側近傍にて形成された貫通孔に昇降自在に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項２４乃至請求項２８のいずれか一記載の咬合面トランスファー器具を構成する前記正中線設定用ロッドが着脱自在に嵌合されるように所定のロッド嵌合凹部を前記底版及び前記頂版の前方側端面に形成するとともに、該ロッド嵌合凹部に前記正中線設定用ロッドが嵌合されたときに前記瞳孔線設定用ロッドが前記瞳孔線ガイド部材に平行になり、かつ前記正中線設定用ロッドが前記底版に対して垂直になるとともにその材軸と前記切歯ガイド部材の材軸が同一面内に含まれる状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記正中線設定用ロッドを前記ロッド嵌合凹部に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項５５】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項５４記載の咬合器。
【請求項５６】
上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍に該頂版を貫通する形で設けられた咬合面設定用機構とから構成してあるとともに前記頂版を前方に向けて前記支持機構に片持ち状に取り付けてなり、前記咬合面設定用機構は、材軸廻りに非回転となるように前記頂版の前方側近傍にて形成された貫通孔に昇降自在に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項３３乃至請求項３７のいずれか一記載の咬合面トランスファー器具を構成する前記正中線設定用ロッドの前記ロッド本体が着脱自在に嵌合されるように所定のロッド嵌合凹部を前記底版及び前記頂版の前方側端面に形成するとともに前記正中線設定用ロッドの前記突条体が着脱自在に嵌合されるように所定の嵌合溝を前記ロッド嵌合凹部の内面に形成し、該ロッド嵌合凹部及び該嵌合溝に前記ロッド本体及び前記突条体がそれぞれ嵌合されたときに前記瞳孔線設定用ロッドが前記瞳孔線ガイド部材に平行になり、かつ前記正中線設定用ロッドが前記底版に対して垂直になるとともにその材軸と前記切歯ガイド部材の材軸が同一面内に含まれる状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記ロッド本体及び前記突条体を前記ロッド嵌合凹部及び前記嵌合溝にそれぞれ嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっていることを特徴とする咬合器。
【請求項５７】
前記支持機構を前記底版の後方側縁部に沿って互いに離間させた状態で立設された一対の高さ調整ロッドで構成するとともに、前記頂版を該高さ調整ロッドが挿通されるロッド孔を両端部に形成した頂版基部と該頂版基部にヒンジを介して連結された頂版本体とから構成することで前記頂版を前記高さ調整ロッドに沿って昇降自在となるように構成するとともに前記頂版本体をその上面及び下面が反転自在となるように構成し、前記頂版基部を前記高さ調整ロッドの所望位置に固定する固定機構を前記頂版基部又は前記高さ調整ロッドに設けた請求項５６記載の咬合器。
【請求項５８】
前記切歯ガイド部材を、伸縮自在に構成するとともにその先端を先鋭に形成した請求項４２記載の咬合器。
【請求項５９】
前記切歯ガイド部材を、伸縮自在に構成するとともにその先端を先鋭に形成した請求項４３記載の咬合器。
【請求項６０】
前記切歯ガイド部材を、伸縮自在に構成するとともにその先端を先鋭に形成した請求項４４記載の咬合器。
【請求項６１】
前記切歯ガイド部材を、伸縮自在に構成するとともにその先端を先鋭に形成した請求項４５記載の咬合器。
【請求項６２】
前記切歯ガイド部材を、伸縮自在に構成するとともにその先端を先鋭に形成した請求項４６記載の咬合器。
【請求項６３】
前記切歯ガイド部材を、伸縮自在に構成するとともにその先端を先鋭に形成した請求項４７記載の咬合器。
【請求項６４】
前記切歯ガイド部材を、伸縮自在に構成するとともにその先端を先鋭に形成した請求項４８記載の咬合器。
【請求項６５】
前記切歯ガイド部材を、伸縮自在に構成するとともにその先端を先鋭に形成した請求項４９記載の咬合器。
【請求項６６】
前記切歯ガイド部材を、伸縮自在に構成するとともにその先端を先鋭に形成した請求項５０記載の咬合器。
【請求項６７】
前記切歯ガイド部材を、伸縮自在に構成するとともにその先端を先鋭に形成した請求項５１記載の咬合器。
【請求項６８】
前記切歯ガイド部材を、伸縮自在に構成するとともにその先端を先鋭に形成した請求項５２記載の咬合器。
【請求項６９】
前記切歯ガイド部材を、伸縮自在に構成するとともにその先端を先鋭に形成した請求項５３記載の咬合器。
【請求項７０】
前記切歯ガイド部材を、伸縮自在に構成するとともにその先端を先鋭に形成した請求項５４記載の咬合器。
【請求項７１】
前記切歯ガイド部材を、伸縮自在に構成するとともにその先端を先鋭に形成した請求項５５記載の咬合器。
【請求項７２】
前記切歯ガイド部材を、伸縮自在に構成するとともにその先端を先鋭に形成した請求項５６記載の咬合器。
【請求項７３】
前記切歯ガイド部材を、伸縮自在に構成するとともにその先端を先鋭に形成した請求項５７記載の咬合器。
【発明の詳細な説明】
【技術分野】
【０００１】  本発明は、患者に適応した差し歯の製作における咬合面トランスファー器具、咬合器、咬合面設定用器具及びそれらを用いた差し歯製作方法に関する。
【背景技術】
【０００２】  咬合異常等から差し歯を余儀なくされる場合や、失歯によりインプラント治療を必要とする場合など、さまざまなケースにおいて患者に適応した差し歯を製作することが必要となるが、歯列、特に上顎歯列は人に自然な笑顔を作り出す上で重要な要因となるため、差し歯を製作する際、形状のみならず見た目にも患者に適応する様に細心の注意を払わなくてはならない。【０００３】  患者に適応した差し歯を製作するには、歯科医師が患者の上顎歯列と下顎歯列とが噛み合う平面、いわゆる咬合平面の頭部・顔面に対する相対位置を正確に測定し、かつ、その咬合平面を差し歯を製作する歯科技工士に正確に伝達しなければならない。咬合平面を歯科技工士に正確に伝達する上で、咬合平面の再現条件となる一直線状にない三点をどのように決定するかが重要である。【０００４】  この咬合平面を測定・記録するためにフェイスボウが一般的に使用されている。このフェイスボウは、後方基準点２点と前方基準点の計３点を含む面を基準面として咬合平面を記録する器具であり、前方基準点は眼窩下縁、後方基準点は平均値顆頭（ヒンジアキシス）や外耳孔を利用する場合が多く、例えば、両外耳孔にフェイスボウのイヤーピースを挿入するとともに眼窩下縁にオルビタールポインターを押当て、バイトフォークに固着されたバイト材を患者の上顎歯列及び下顎歯列に咬ませるようにする。【０００５】  このようにすると、両外耳孔及び眼窩下縁の３点を含む面を基準面とし、患者の咬合平面がフェイスボウに記録される。【０００６】  次に、このように咬合平面が記録されたフェイスボウを歯科技工士側で受け取り、これを咬合器に適用して上顎歯列模型と下顎歯列模型を石膏で固着した上、これらの模型を用いて差し歯が製作される。【０００７】
【特許文献１】特開平１０−２９５７０７
【０００８】
【特許文献２】特開１９０３−２４５２９１
【発明の開示】
【発明が解決しようとする課題】
【０００９】  しかしながら、このように製作された差し歯では、患者の目、鼻、耳といった顔の部位とのバランスがくずれた状態で患者の口腔内に装着されるため、審美的美しさと呼ばれる笑顔で代表される表情の美しさを確保することができないという問題を生じていた。【００１０】  すなわち、従来のフェイスボウは、いわゆるカンペル平面が咬合平面に平行であるという考え方に基づいて設計されているものであるが、顔面あるいは頭部のどこを基準点として計測すればカンペル平面を再現できるのかという点については、例えば後方基準点を外耳孔としたり、平均値顆頭（ヒンジアキシス）としたりとさまざまであり、前方基準点についてもこれを眼窩下縁としたり、鼻翼下縁としたりとさまざまである。【００１１】  そのため、仮にカンペル平面が咬合平面と平行であることに間違いないとしても、フェイスボウではこのカンペル平面を正確に記録ないしは再現することができず、かくして、このようなフェイスボウを用いて歯科技工士が上顎歯列模型及び下顎歯列模型を咬合器に固着しても、それは咬合平面を正確に再現できた状態ではないため、患者の咬合平面に合った歯列で差し歯を製作することができない。
【課題を解決するための手段】
【００１２】  本発明は、上述した事情を考慮してなされたもので、患者の咬合平面に合った歯列で差し歯を製作することが可能な咬合面トランスファー器具、咬合器、咬合面設定用器具及びそれらを用いた差し歯製作方法を提供することを目的とする。【００１３】
上記目的を達成するため、第１の発明に係る咬合面トランスファー器具は、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなるとともに、前記瞳孔線設定用ロッドは、前記接続部材の材軸に対して直角にかつ該材軸廻りに揺動自在又は回動自在となるようにその中央近傍で該接続部材に取り付けられるようになっている咬合面トランスファー器具であって、前記正中線設定用ロッドは、患者の顔面を正面から見たときに該正中線設定用ロッドが正中線に一致するように前記瞳孔線設定用ロッドに取付け自在となっているものである。
【００１４】  また、第２の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項１乃至請求項５のいずれか一記載の咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記咬合面トランスファー器具を構成する前記正中線設定用ロッドが前記底版に対して垂直になるように前記下顎歯列模型を前記底版の上面に、前記上顎歯列模型を前記頂版の下面にそれぞれ固着することができるようになっているとともに、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっているものである。【００１５】  また、第３の発明に係る差し歯製作方法は、咬合面トランスファー器具を構成する接続部材の一端に設けられたバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記下顎歯列模型を咬合器を構成する底版の上面に固着するとともに該底版の後方側縁部近傍に立設された支持機構に後方側縁部にて取り付けられ前方に向けて前記支持機構に片持ち状に取り付けられた頂版の下面に前記上顎歯列模型を固着し、前記下顎歯列模型及び前記上顎歯列模型が前記底版と前記頂版にそれぞれ固着された後、前記底版と前記頂版との相対位置関係が保持される状態で前記バイト材及び前記２つの側方バイト材を撤去するとともに、前記頂版を前記底版との相対位置関係が着脱前後で保持されるように前記支持機構に随時着脱しながら又は前記頂版を前記底版との相対位置関係が反転前後で保持されるように前記支持機構に対して回転させて上面及び下面を反転させながら、前記下顎歯列模型又は前記上顎歯列模型を用いて差し歯を製作する差し歯製作方法であって、前記上顎歯列模型及び前記下顎歯列模型を前記頂版と前記底版にそれぞれ固着するにあたり、前記接続部材の他端に設けられた瞳孔線設定用ロッドに直角にかつ該瞳孔線設定用ロッドの材軸廻りに所定の角度位置で取り付けられた正中線設定用ロッドが前記底版と垂直になるように、前記上顎歯列模型及び前記下顎歯列模型を前記頂版と前記底版にそれぞれ固着するものである。【００１６】
また、第４の発明に係る咬合面トランスファー器具は、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドは所定のロッド本体と該ロッド本体の周面であってその材軸に沿って突設された突条体とからなる咬合面トランスファー器具であって、前記正中線設定用ロッドは、患者の顔面を正面から見たときに該正中線設定用ロッドが正中線に一致するように前記瞳孔線設定用ロッドに取付け自在となっているものである。
【００１７】  また、第５の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項１５乃至請求項１９のいずれか一記載の咬合面トランスファー器具を構成する前記正中線設定用ロッドの前記突条体が着脱自在に嵌合されるように所定の嵌合溝を前記底版及び前記頂版の前方側端面に形成するとともに該嵌合溝に前記突条体が嵌合されたときに前記正中線設定用ロッドが前記底版に対して垂直になり、かつ前記正中線設定用ロッドが前記底版に対して垂直な軸線廻りに対し特定の角度に位置決めされた状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記突条体を前記嵌合溝に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっているものである。【００１８】
また、第６の発明に係る咬合面トランスファー器具は、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドの断面を非円形とした咬合面トランスファー器具であって、前記正中線設定用ロッドは、患者の顔面を正面から見たときに該正中線設定用ロッドが正中線に一致するように前記瞳孔線設定用ロッドに取付け自在となっているものである。
【００１９】  また、第７の発明に係る咬合器は、上面に下顎歯列模型が固着される底版と、該底版の後方側縁部近傍に立設された支持機構と、該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項２４乃至請求項２８のいずれか一記載の咬合面トランスファー器具を構成する前記正中線設定用ロッドが着脱自在に嵌合されるように所定のロッド嵌合凹部を前記底版及び前記頂版の前方側端面に形成するとともに前記ロッド嵌合凹部に前記正中線設定用ロッドが嵌合されたときに該正中線設定用ロッドが前記底版に対して垂直になり、かつ前記正中線設定用ロッドが前記底版に対して垂直な軸線廻りに対し特定の角度に位置決めされた状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記正中線設定用ロッドを前記ロッド嵌合凹部に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっているものである。【００２０】
また、第８の発明に係る咬合面トランスファー器具は、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドは断面が非円形のロッド本体と該ロッド本体の周面であってその材軸に沿って突設された突条体とからなる咬合面トランスファー器具であって、前記正中線設定用ロッドは、患者の顔面を正面から見たときに該正中線設定用ロッドが正中線に一致するように前記瞳孔線設定用ロッドに取付け自在となっているものである。
【００２１】  また、第９の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに該頂版を前方に向けて前記支持機構に片持ち状に取り付けてなり、前記底版及び前記頂版は、請求項３３乃至請求項３７のいずれか一記載の咬合面トランスファー器具を構成する前記正中線設定用ロッドの前記ロッド本体が着脱自在に嵌合されるように所定のロッド嵌合凹部を前記底版及び前記頂版の前方側端面に形成するとともに前記正中線設定用ロッドの前記突条体が着脱自在に嵌合されるように所定の嵌合溝を前記ロッド嵌合凹部の内面に形成し、該ロッド嵌合凹部及び該嵌合溝に前記ロッド本体及び前記突条体がそれぞれ嵌合されたときに前記正中線設定用ロッドが前記底版に対して垂直になり、かつ前記正中線設定用ロッドが前記底版に対して垂直な軸線廻りに対し特定の角度に位置決めされた状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記ロッド本体及び前記突条体を前記ロッド嵌合凹部及び前記嵌合溝にそれぞれ嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっているものである。【００２２】  また、第１０の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍にて形成された貫通孔に昇降自在に挿通された咬合面設定用機構とから構成してあるとともに前記頂版を前方に向けて前記支持機構に片持ち状に取り付けてなり、前記咬合面設定用機構は、材軸廻りに非回転となるように前記貫通孔に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項１乃至請求項５のいずれか一記載の咬合面トランスファー器具を構成する前記バイト材保持部に保持された硬化済みのバイト材を該バイト材に圧痕された咬合型に合わせて上顎歯列模型の前歯と下顎��列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記正中線設定用ロッドが前記底版に対して垂直になるように前記下顎歯列模型を前記底版の上面に、前記上顎歯列模型を前記頂版の下面にそれぞれ固着することができるようになっているとともに、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようになっているものである。【００２３】  また、第１１の発明に係る咬合面設定用器具は、所定の正中線ガイド部材と、該正中線ガイド部材に沿って昇降自在に取り付けられた昇降部材と、該昇降部材に前記正中線ガイド部材と直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、正中線ガイド用ロッド本体と該正中線ガイド用ロッド本体の周面であってその材軸に沿って突設された正中線ガイド用突条体とから構成してあるとともに前記正中線ガイド用突条体の断面形状を、請求項１５乃至請求項１９のいずれか一記載の咬合面トランスファー器具を構成する前記正中線設定用ロッドの前記突条体の断面形状と同一となるように形成し、正中線ガイド用突条体の突設方向に対する瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線ガイド部材に対して位置決めしたものである。【００２４】  また、第１２の発明に係る咬合面設定用器具は、所定の正中線ガイド部材と、該正中線ガイド部材にその材軸に直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、正中線ガイド用ロッド本体と該正中線ガイド用ロッド本体の周面であってその材軸に沿って突設された正中線ガイド用突条体とから構成してあるとともに前記正中線ガイド用突条体の断面形状を、請求項１５乃至請求項１９のいずれか一記載の咬合面トランスファー器具を構成する前記正中線設定用ロッドの前記突条体の断面形状と同一となるように形成し、前記正中線ガイド用突条体の突設方向に対する前記瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線ガイド部材に対して位置決めしたものである。【００２５】  また、第１３の発明に係る咬合面設定用器具は、所定の正中線ガイド部材と、該正中線ガイド部材に沿って昇降自在に取り付けられた昇降部材と、該昇降部材に前記正中線ガイド部材と直角になるように突設された切歯ガイド部材と、該切歯ガイド部材にその材軸及び前記正中線ガイド部��の材軸に直角に中央近傍が取り付けられた瞳孔線ガイド部材とからなり、前記正中線ガイド部材は、その断面形状を請求項２４乃至請求項２８のいずれか一記載の咬合面トランスファー器具を構成する前記正中線設定用ロッドの断面形状と同一となるように形成し、前記正中線ガイド部材に対する前記瞳孔線ガイド部材の配置角度が前記正中線設定用ロッドに対する前記瞳孔線設定用ロッドの配置角度と同一になるように前記瞳孔線ガイド部材を前記正中線ガイド部材に対して位置決めしたものである。【００２６】  また、第１４の発明に係る咬合面設定用器具は、所定の正中線ガイド部材と、該正中線ガイド部材にその材軸に直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、その断面形状を請求項２４乃至請求項２８のいずれか一記載の咬合面トランスファー器具を構成する前記正中線設定用ロッドの断面形状と同一となるように形成し、前記正中線ガイド部材に対する前記瞳孔線ガイド部材の配置角度が前記正中線設定用ロッドに対する前記瞳孔線設定用ロッドの配置角度と同じになるように前記瞳孔線ガイド部材を前記正中線ガイド部材に対して位置決めしたものである。【００２７】  また、第１５の発明に係る咬合面設定用器具は、所定の正中線ガイド部材と、該正中線ガイド部材に沿って昇降自在に取り付けられた昇降部材と、該昇降部材に前記正中線ガイド部材と直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、所定の正中線ガイド用ロッド本体と該正中線ガイド用ロッド本体の周面であってその材軸に沿って突設された正中線ガイド用突条体とから構成してあるとともに、その断面形状を請求項３３乃至請求項３７のいずれか一記載の咬合面トランスファー器具を構成する前記正中線設定用ロッドの断面形状と同一となるように形成し、前記正中線ガイド用突条体の突設方向に対する前記瞳孔線ガイド部材の配置角度が前記突条体の突設方向に対する前記咬合面トランスファー器具を構成する前記瞳孔線設定用ロッドの配置角度と同一になるように前記瞳孔線ガイド部材を前記正中線ガイド部材に対して位置決めしたものである。【００２８】  また、第１６の発明に係る咬合面設定用器具は、所定の正中線ガイド部材と、該正中線ガイド部材にその材軸に直角になるように突設された切歯ガイド部材と、該切歯ガイド部材にその材軸及び前記正中線ガイド部材の材軸に直角に中央近傍が取り付けられた瞳孔線ガイド部材とからなり、前記正中線ガイド部材は、所定の正中線ガイド用ロッド本体と該正中線ガイド用ロッド本体の周面であってその材軸に沿って突設された正中線ガイド用突条体とから構成してあるとともに、その断面形状を請求項３３乃至請求項３７のいずれか一記載の咬合面トランスファー器具を構成する前記正中線設定用ロッドの断面形状と同一となるように形成し、前記正中線ガイド用突条体の突設方向に対する前記瞳孔線ガイド部材の配置角度を前記突条体の突設方向に対する前��咬合面トランスファー器具を構成する前記瞳孔線設定用ロッドの配置角度と同一になるように前記瞳孔線ガイド部材を前記正中線ガイド部材に対して位置決めしたものである。【００２９】  また、第１７の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍にて形成された貫通孔に昇降自在に挿通された咬合面設定用機構とから構成してあるとともに前記頂版を前方に向けて前記支持機構に片持ち状に取り付けてなり、前記咬合面設定用機構は、材軸廻りに非回転となるように前記貫通孔に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項１５乃至請求項１９のいずれか一記載の咬合面トランスファー器具を構成する前記正中線設定用ロッドの前記突条体が着脱自在に嵌合されるように所定の嵌合溝を前記底版及び前記頂版の前方側端面に形成するとともに、該嵌合溝に前記突条体が嵌合されたときに前記瞳孔線設定用ロッドが前記瞳孔線ガイド部材に平行になり、かつ前記正中線設定用ロッドが前記底版に対して垂直になるとともにその材軸と前記切歯ガイド部材の材軸が同一面内に含まれる状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記突条体を前記嵌合溝に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようにしたものである。【００３０】  また、第１８の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍にて形成された貫通孔に昇降自在に挿通された咬合面設定用機構とから構成してあるとともに前記頂版を前方に向けて前記支持機構に片持ち状に取り付けてなり、前記咬合面設定用機構は、材軸廻りに非回転となるように前記貫通孔に挿通された昇降ロッドと該昇降ロッドの下端近傍にてその材軸に直角になるようにかつ前記底版の後方���に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項２４乃至請求項２８のいずれか一記載の咬合面トランスファー器具を構成する前記正中線設定用ロッドが着脱自在に嵌合されるように所定のロッド嵌合凹部を前記底版及び前記頂版の前方側端面に形成するとともに、該ロッド嵌合凹部に前記正中線設定用ロッドが嵌合されたときに前記瞳孔線設定用ロッドが前記瞳孔線ガイド部材に平行になり、かつ前記正中線設定用ロッドが前記底版に対して垂直になるとともにその材軸と前記切歯ガイド部材の材軸が同一面内に含まれる状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記正中線設定用ロッドを前記ロッド嵌合凹部に嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようにしたものである。【００３１】  また、第１９の発明に係る咬合器は、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版と該頂版の前方側近傍にて形成された貫通孔に昇降自在に挿通された咬合面設定用機構とから構成してあるとともに前記頂版を前方に向けて前記支持機構に片持ち状に取り付けてなり、前記咬合面設定用機構は、材軸廻りに非回転となるように前記貫通孔に挿通された昇降ロッドと該昇降ロッドの下端近傍にてその材軸に直角になるようにかつ前記底版の後方側に突設されるように設けられた切歯ガイド部材と前記昇降ロッドの下端近傍にてその材軸及び前記切歯ガイド部材に直角になるように設けられた瞳孔線ガイド部材とからなっており、前記底版及び前記頂版は、請求項３３乃至請求項３７のいずれか一記載の咬合面トランスファー器具を構成する前記正中線設定用ロッドの前記ロッド本体が着脱自在に嵌合されるように所定のロッド嵌合凹部を前記底版及び前記頂版の前方側端面に形成するとともに前記正中線設定用ロッドの前記突条体が着脱自在に嵌合されるように所定の嵌合溝を前記ロッド嵌合凹部の内面に形成し、該ロッド嵌合凹部及び該嵌合溝に前記ロッド本体及び前記突条体がそれぞれ嵌合されたときに前記瞳孔線設定用ロッドが前記瞳孔線ガイド部材に平行になり、かつ前記正中線設定用ロッドが前記底版に対して��直になるとともにその材軸と前記切歯ガイド部材の材軸が同一面内に含まれる状態で仮固定されるように構成してあり、前記底版及び前記頂版は、前記咬合面トランスファー器具を構成する前記バイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて前記上顎歯列模型及び前記下顎歯列模型の両側方にそれぞれ咬ませ、かかる状態で前記ロッド本体及び前記突条体を前記ロッド嵌合凹部及び前記嵌合溝にそれぞれ嵌合させ、前記下顎歯列模型を前記底版の上面に、前記上顎歯列模型を前記頂版の下面にそれぞれ固着することができるようになっており、前記頂版及び前記支持機構は、固着後において前記バイト材及び前記２つの側方バイト材を撤去する際、該撤去の前後で前記底版と前記頂版との相対位置関係が保持されるように、かつ着脱の前後又は反転の前後で前記底版と前記頂版との相対位置関係が保持されるようにしたものである。【００３２】  歯列の美しさは、その歯列自体の並びがきれいに揃っているだけではなく、目、鼻、耳といった顔の部位とのバランスが重要な要素となる。特に、上顎の歯列は人に自然な笑顔を作り出す上で重要であり、このような整った歯列を審美的な歯列と呼んでいる。【００３３】  従来、かかる審美的歯列を確保すべく、上述したようにフェイスボウと呼ばれる器具を用いて上顎歯列と下顎歯列とが噛み合う平面、すなわち咬合平面を定めていたが、本出願人は、かかるフェイスボウを用いても、後方基準点として平均値顆頭を利用した場合、その位置を正確に測定することが困難であり、外耳孔を利用した場合、両外耳孔を結んだ線が瞳孔線と平行でなくなるため、結果として従来のフェイスボウを用いていては、審美的な歯列を実現できないことという知見を得るに至るとともに、これを課題として、鋭意研究を重ねた結果、フェイスボウを用いない画期的とも呼べる審美修復に使用する新規な咬合面トランスファー器具、咬合器、咬合面設定用器具及びそれらを用いた差し歯製作方法を開発するに至ったものである。【００３４】  なお、上顎、下顎のそれぞれの歯の咬合面を連ねた仮想面を咬合平面と呼んでいるが、厳密には平面ではなく、臼歯部にいくにしたがって湾曲面となるため、本明細書では咬合面と呼ぶこととする。【００３５】  第１の発明に係る咬合面トランスファー器具を用いて患者の咬合面を記録するにあたっては、まず、歯科医師が患者の例えば上歯をタービン等で削り、差し歯を支えるための支柱を形成する。なお、自歯の利用が困難な場合には、自歯を抜き、それに代えてインプラントを上顎の骨の中に植え込み該インプラントを支柱とする。【００３６】  ここで、患者の歯列をタービン等で削り、差し歯を支えるための支柱を形成する際、完成した歯列用差し歯が患者の口腔内に取り付けられたときに上述したような審美的な歯列が確保される必要があるため、歯茎からの生え方が額と顎を結ぶ線に平行であるとともに、患者の正面から見て、つまり、患者の瞳孔線及び額と顎とを結んだ線を含む平面と垂直な平面を基準として切歯から大臼歯に向かって左���対称にだんだん短くなるように、かつ、両切歯間が正中線上に位置するように形成する。自歯に代えてインプラントを上顎の骨の中に植え込み該インプラントを支柱とする場合にも同様である。【００３７】  ここで、上歯と下歯の両方に対して差し歯を製作する場合、いずれを先行するかは任意であるが、人に自然な笑顔を作り出す上では、上顎歯列が審美的に美しく形成されているかどうかが重要であり、それゆえ、まず、上顎歯列用差し歯を製作し、その後、下顎歯列用差し歯を製作するのが望ましい。【００３８】  以下、上顎歯列の差し歯を製作する場合を例に説明する。【００３９】  差し歯を支えるための支柱を形成する工程と相前後して又は同時に、必要に応じてレーザーで歯茎のラインを唇のラインに揃える。【００４０】  次に、上顎歯列のうち、左臼歯及び右臼歯のいずれか一方の支柱に仮歯を差し込み、かかる状態にて他方の上顎歯列臼歯の支柱と下顎歯列臼歯とで未硬化の側方バイト材を咬ませ咬合型取りを行う。【００４１】  このようにすると、例えば左側で仮歯と下顎歯列臼歯とを噛合させる、言い換えれば、上顎歯列及び下顎歯列を左側で正常に噛み合わされた状態で、他方である右側の上下臼歯の咬合型取りを行うことができる。【００４２】  他方の上下臼歯に咬ませた側方バイト材の硬化後、仮歯が被せられた一方の臼歯の支柱から該仮歯を外すとともに、他方の上下臼歯の咬合型が圧痕された側方バイト材をその咬合型に合わせて再び他方の上下臼歯に咬ませ、かかる状態で、一方の上下臼歯に未硬化の側方バイト材を咬ませて咬合型取りを行う。【００４３】  なお、他方の上下臼歯に咬ませた側方バイト材が硬化しているため、一方の臼歯の支柱に被せた仮歯を該支柱から外しても、上顎歯列と下顎歯列との正常な噛み合わせ状態が阻害されることはない。【００４４】  次に、一方の上下臼歯に咬ませた側方バイト材の硬化後、両側方の上下臼歯の咬合型が圧痕された２つの側方バイト材を各咬合型に合わせて上下臼歯にそれぞれ咬ませ、かかる状態にて未硬化のバイト材を上顎前歯と下顎前歯とで咬ませる。かかる未硬化のバイト材は、咬合面トランスファー器具を構成する接続部材の一端に設けられたバイト材保持部に例えば貫入等によって予め保持しておく。【００４５】  なお、バイト材を咬ませるにあたっては、咬合面トランスファー器具を構成する瞳孔線設定用ロッドが患者の顔面に対して平行となるように該バイト材を患者の上顎前歯及び下顎前歯に咬ませるようにする。【００４６】  次に、上顎前歯と下顎前歯とで咬ませたバイト材が硬化した後、接続部材に取付けられた瞳孔線設定用ロッドを該接続部材の材軸回りに揺動又は回動させることで、該瞳孔線設定用ロッドを患者の瞳孔線に対して平行に位置決めし、かかる位置にて瞳孔線設定用ロッドを接続部材に固定する。【００４７】  なお、バイト材が完全に硬化せずとも瞳孔線設定用ロッドの揺動又は回転による位置決めが変化しないのであれば、完全硬化を待つ必要はない。【００４８】  ここで、審美的な歯列とは、その歯列弓、すなわち咬合面が両瞳孔を結ぶ線である瞳孔線と平行であり、かつ患者の顔面を正面から見たときに瞳孔線とその中点にて直角に交わる正中線上に上顎両切歯間が位置すること���あるとともに、それらに加えて、額と顎とを結ぶ線に歯茎からの生え方が平行であることである。【００４９】  なお、正中線とは、従来通り、患者の顔面を正面から見たときにその瞳孔線の中点で直角に交わる線を意味するものとする。【００５０】  上述したように瞳孔線設定用ロッドを位置決めすると、バイト材保持部又は接続部材に対する相対位置関係、すなわち、最終的には上顎歯列と下顎歯列との咬合面に対する相対位置関係として瞳孔線が瞳孔線設定用ロッドに記録され、患者の審美的な咬合面の決定条件のうちの一つが定まることになる。【００５１】  次に、上顎前歯及び下顎前歯にバイト材保持部に保持されたバイト材を咬ませた状態を保ったまま、患者の顔面を正面から見たときに正中線設定用ロッドが正中線に一致するように該正中線設定用ロッドを瞳孔線設定用ロッドに取り付けるとともに、正中線設定用ロッドを額と顎からの距離が同じになるように瞳孔線設定用ロッドの材軸廻りに回転させ、かかる状態にて正中線設定用ロッドを瞳孔線設定用ロッドに固定する。【００５２】  なお、上顎前歯及び下顎前歯でバイト材を咬ませる際、当然ながらバイト材のどの箇所を咬むかという意味で前後左右にばらつきが生じるが、上述したように正中線設定用ロッドを正中線に一致するように瞳孔線設定用ロッドに取り付けるため、かかるばらつきは何ら問題とはならない。むしろ、口腔内の歯列状態とは関係なく、正中線や額と顎とを結ぶ線を正中線設定用ロッドに記録し、これを咬合器に移すことによって、審美的に優れた差し歯を製作することができるという点が従来にはない本願発明の顕著な作用効果の一つであるであることを付言しておく。【００５３】  このように正中線設定用ロッドを瞳孔線設定用ロッドに固定すると、患者の審美的な咬合面の決定条件のうち、もう一つの条件が定まる。すなわち、正中線が正中線設定用ロッドに記録されるとともに、額と顎とを結ぶ線に平行な線が正中線と同様に瞳孔線設定用ロッドに対する相対位置関係として正中線設定用ロッドに記録されることとなる。【００５４】  したがって、バイト材が保持されたバイト材保持部、接続部材、瞳孔線設定用ロッド及び正中線設定用ロッドからなる本発明に係る咬合面トランスファー器具によって、患者の審美的な咬合面を記録することが可能となり、患者に適応した咬合面を再現することができる。すなわち、第１の発明に係る咬合面トランスファー器具によれば、バイト材に圧痕された患者の上顎前歯と下顎前歯との咬合型によって再現可能な咬合面と、瞳孔線、正中線及び額と顎とを結ぶ線からなる一群の審美情報とが互いに関連付けられた状態で瞳孔線設定用ロッド及び正中線設定用ロッドに記録されることとなり、かくして審美的な歯列となる差し歯を製作することが可能となる。【００５５】  ここで、本明細書では、上述したように正中線を従前の意味と同様の意味で使用するが、第１の発明を含めた以下に述べる本願発明においては、患者の顔面を正面から見たときにその瞳孔線の中点で直角に交わる線（正中線）であってかつ額と顎からの距離が同一である線が重要な意味を持つ。【００５６】  そこで、本願発明では、かかる線を特に特定正中線と定義する。なお、特定正中線を、額と顎とを結ぶ線、その線に平行な（仮想）線又は額と顎からの距離が同じ線と呼ぶこともあるが、これらはすべて同義の用語として本明細書では使用する。【００５７】  なお、適当な時期、例えば支柱が形成された後に、未硬化状態の印象材、例えばシリコンラバー印象材や歯科用寒天印象材を上顎歯列及び下顎歯列にそれぞれあてがって、該上顎歯列及び該下顎歯列の型取りをそれぞれ行い、従来の方法により上顎歯列模型及び下顎歯列模型をそれぞれ製作する。【００５８】  瞳孔線設定用ロッドは、患者の両瞳孔を結ぶ線である瞳孔線と平行な仮想線を記録できるように構成してあり、例えば、径が約３ｍｍ程度のロッドで構成することができる。【００５９】  正中線設定用ロッドは、患者の瞳孔線とその中点にて直角に交わる正中線及び額と顎を結ぶ線に平行な仮想線とを記録できるように構成してあり、例えば、径が約３ｍｍ程度のロッドで構成することができる。【００６０】  ここで、上述した瞳孔線設定用ロッドは、接続部材に対して直角にかつ該材軸廻り揺動自在又は回転自在となるようにその中央近傍で接続部材の他端に取付けられるようにしてあればどのように構成してもよいが、例えば、接続部材の他端に断面が円形の差込穴を形成し、瞳孔線設定用ロッドの中央近傍に差込穴に嵌合される差込部を断面が円形になるように突設して構成することができる。【００６１】  さらに、上述した差込部を差込穴に差し込む際、該差込部を差込穴の軸線廻りに所望の角度で固定する手段をどのように構成してもよいが、例えば接続部材に差込部固定機構を設けるようにすることができる。【００６２】  このようにすると、瞳孔線設定用ロッドの位置決めを行う際、瞳孔線設定用ロッドを患者の瞳孔線と平行になるようにその差込部を接続部材の材軸廻りに揺動又は回転させ、次いで、接続部材に設けられた差込部固定機構を操作することで瞳孔線設定用ロッドを所望の位置決め箇所にて接続部材に固定することができる。【００６３】  正中線設定用ロッドは、瞳孔線設定用ロッドに直角にかつ該瞳孔線設定用ロッドの材軸廻りに任意の角度位置に取付け自在になるようにしてあればどのように構成してもよいが、例えば、瞳孔線設定用ロッドを断面が円形となるように形成するとともに、該瞳孔線設定用ロッドに嵌着可能な嵌着部を正中線設定用ロッドの周面に取り付けることで、嵌着状態にて正中線設定用ロッドを瞳孔線設定用ロッドに対して摺動自在にかつ該瞳孔線設定用ロッドの材軸廻りに揺動自在又は回動自在となるように構成することができる。【００６４】  さらに、嵌着部を瞳孔線設定用ロッドの任意位置にて固定する手段はどのように構成してもよいが、例えば嵌着部が瞳孔線設定用ロッドに嵌着された状態にて正中線設定用ロッドが瞳孔線設定用ロッドの所望の位置であってかつ所望の角度で固定されるように嵌着部に嵌着部固定機構を設けるように構成することができる。【００６５】  このように第１の発明に係る咬合面トランスファー器具によれば、患者の瞳孔線をバイト材保持部又は接続部材に対する相対位置関係、すなわち、最終的には上顎歯列と下顎歯列との咬合面に対する相対位置関係として瞳孔線設定用ロッドに記録することができるとともに、患者の正中線及び特定正中線が瞳孔線設定用ロッドに対する相対位置関係として正中線設定用ロッドに記録することが可能となり、ひいては上述した審美的な歯列を実現するための差し歯を製作することが可能となる。【００６６】  ここで、前歯、臼歯等の歯とは、差し歯が製作される側の歯列に属する場合においては、特記なき限り、製作されるべき差し歯を意味するのではなく、差し歯を支えるために削られた支柱としての歯又はその模型を意味するものとする。【００６７】  第２の発明に係る咬合器においては、底版及び頂版は上述したように、咬合面トランスファー器具を構成するバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて上顎歯列模型及び下顎歯列模型の両側方にそれぞれ咬ませ、かかる状態で咬合面トランスファー器具を構成する正中線設定用ロッドが底版に対して垂直になるように下顎歯列模型を底版の上面に、上顎歯列模型を頂版の下面にそれぞれ固着することができるようになっている。【００６８】  ここで、咬合面トランスファー器具を構成する瞳孔線設定用ロッドには、バイト材保持部又は接続部材に対する相対位置関係、すなわち、最終的には上顎歯列と下顎歯列との咬合面に対する相対位置関係として患者の瞳孔線が記録されているとともに、正中線設定用ロッドには、瞳孔線設定用ロッドに対する相対位置関係として患者の正中線及び特定正中線が記録されており、瞳孔線設定用ロッドと正中線設定用ロッドとは互いに直交するように構成してある。【００６９】  そのため、第１の発明に係る咬合面トランスファー器具の正中線設定用ロッドを第２の発明に係る咬合器の底版に垂直になるように該咬合器に適用することにより、患者の瞳孔線は、第２の発明に係る咬合器の底版と平行な関係として該咬合器に記録が移され、患者の正中線及び特定正中線は、第２の発明に係る咬合器の底版と垂直な関係として該咬合器に記録が移されることとなる。【００７０】  したがって、上顎歯列模型及び下顎歯列模型を、それらの咬合面が患者の口腔内における咬合面と三次元座標上で同一となるように咬合器に固着することが可能となり、それゆえ、かかる口腔内における咬合面が咬合器に再現された状態で審美的に優れた差し歯を製作することができる。【００７１】  言い換えれば、第２の発明に係る咬合器は、第１の発明に係る咬合面トランスファー器具と併用することで、従来、カンペル平面に基づいたフェイスボウを使用せずとも、患者の瞳孔線、正中線及び特定正中線を上顎歯列と下顎歯列とで形成される咬合面に対する相対位置関係として咬合器に移すことができるとともに、上顎歯列模型及び下顎歯列模型を患者の口腔内における歯列と同じ三次元上の絶対座標位置に据え付けることが可能となり、従来のフェイスボウは全く不要になる。【００７２】  ここで、正中線設定用ロッドが底版に垂直になるように下顎歯列模型を該底版の上面に上顎歯列模型を頂版の下面にそれぞれ固着する際、咬合器を基準として上顎歯列模型及び下顎歯列模型の正面方向が特定できるようにするのが望ましい。【００７３】  例えば、咬合��の底版及び頂版が矩形状である場合には、瞳孔線設定用ロッドを底版の前方側縁部に平行になるように下顎歯列模型及び上顎歯列模型を底版の上面及び頂版の下面にそれぞれ固着する。【００７４】  このようにすると、上顎歯列模型及び下顎歯列模型は、それらの正面が咬合器の正面に一致することとなる。【００７５】  したがって、咬合器の正面から上顎歯列模型及び下顎歯列模型をみれば、それはすなわち、上顎歯列模型及び下顎歯列模型を正面から見ていることになるため、差し歯の製作をより正確に行うことが可能となる。【００７６】  また、第２の発明に係る咬合器においては、頂版及び支持機構は、固着後においてバイト材及び２つの側方バイト材を撤去する際、該撤去の前後で底版と頂版との相対位置関係が保持されるように、かつ着脱の前後又は反転の前後で底版と頂版との相対位置関係が保持されるようになっている。【００７７】  そのため、バイト材及び２つの側方バイト材を取り去った後も、下顎歯列模型と上顎歯列模型との相対位置関係は何ら変化しない。したがって、正常な咬合が行われる相対位置関係において差し歯を製作することが可能となるとともに、差し歯の製作中、頂版を取り付けあるいは元通り回転させても、差し歯の製作中において正常な咬合が行われているかどうかを随時チェックすることが可能となる。【００７８】  底版及び頂版は、例えば所定の厚みを有する矩形状の鋼板で構成することが可能であり、底版の上面と頂版の下面には、所定の固着材、例えば石膏を介して下顎歯列模型や上顎歯列模型をそれぞれ固着できるよう、公知の技術、例えば粗面加工あるいはエンボス加工を施しておけばよい。【００７９】  頂版は、その後方側縁部にて着脱自在に又はその上面及び下面が反転するように支持機構に回動自在に取り付けてあるが、これら頂版及び支持機構は、固着後においてバイト材及び２つの側方バイト材を撤去する際、該撤去の前後で底版と頂版との相対位置関係が保持されるように、かつ着脱の前後又は反転の前後で底版と頂版との相対位置関係が保持されるように構成する限り、いかなる構成でもかまわない。例えば、頂版及び支持機構を該頂版が底版と平行になるように支持機構に取り付ける、頂版の回転角度を底版と平行な位置で制限することで該平行位置を保持できるようにするなどの構成が考えられる。【００８０】  支持機構は、底版の後方側縁部近傍に立設されたものであって、頂版を前方に向けて片持ち状で支持できるだけの強度や断面を有する限り、どのような構造とするかは任意であって、底版と頂版との離間距離を調整可能とする必要もないが、例えば、底版の後方側縁部に沿って互いに離間させた状態で立設された一対の高さ調整ロッドで構成するとともに、頂版を該高さ調整ロッドが挿通されるロッド孔を両端部に形成した頂版基部と該頂版基部にヒンジを介して連結された頂版本体とから構成することで頂版を前記高さ調整ロッドに沿って昇降自在となるように構成するとともに頂版本体をその上面及び下面が反転自在となるように構成し、頂版基部を高さ調整ロッドの所望位置に固定する固定機構を頂版基部又は前記高さ調整ロッドに設けて構成するようにすれば、歯科技工士が差し歯を製作する際の作業性を向上させることができる。【００８１】  請求項１乃至請求項５のいずれか一記載に係る咬合面トランスファー器具を第２の発明に係る咬合器に適用するにあたり、適当な治具を用いて咬合面トランスファー器具を咬合器にあてがうようにすることが可能であるが、かかる咬合面トランスファー器具を構成する正中線設定用ロッドが嵌合される正中線設定用ロッド溝を底版及び頂版の前方側端面にそれぞれ形成するとともに正中線設定用ロッドを正中線設定用ロッド溝にそれぞれ嵌合した状態で該正中線設定用ロッドが垂直となるように正中線設定用ロッド溝の深さを設定したならば、正中線設定用ロッドが底版に対して垂直になるようにする作業が格段に容易になるのみならず、正中線設定用ロッド溝に正中線設定用ロッドを嵌め込むだけで正中線設定用ロッドの底版に対する垂直が保証される。【００８２】  なお、正中線設定用ロッドを正中線設定用ロッド溝に嵌合して下顎歯列模型を底版の上面に上顎歯列模型を頂版の下面にそれぞれ固着する際、底版又は頂版に対する上顎歯列模型及び下顎歯列模型の正面の相対角度を再現できるようにする。例えば、底版及び頂版を矩形状のものとした場合には、正中線設定用ロッド溝に嵌合したときに瞳孔線設定用ロッドが底版の前方側縁部に平行になるように正中線設定用ロッド溝を形成すれば、咬合器の正面から見ると上顎歯列模型及び下顎歯列模型は正面を向くこととなり、上述したと同様、上顎歯列模型及び下顎歯列模型を咬合器の正面から見ることによって、口腔内の歯列を患者の正面から見たときと同じ相対位置が再現されることが可能となる。【００８３】  また、例えば正中線設定用ロッドを断面が円形のプラスチックロッドで構成するとともに、正中線設定用ロッド溝の幅を正中線設定用ロッドの外径の大きさよりも若干小さく設定しておくと、正中線設定用ロッドを正中線設定用ロッド溝に嵌合したとき、正中線設定用ロッドが該正中線設定用ロッド溝に仮固定されるので、上顎歯列模型及び下顎歯列模型を据え付ける際の作業性が向上する。【００８４】  また、第１の発明に係る咬合面トランスファー器具によって患者の瞳孔線を底版に対する相対位置関係として咬合器に移してあるとともに、それに基づいて上顎歯列模型及び下顎歯列模型が頂版及び底版にそれぞれ固着されているので、差し歯を製作する際、底版を基準として咬合面を定め、それに基づいて差し歯を製作することができるが、底版又は頂版の前方側端面に所定の瞳孔線基準ラインを底版に対して平行に設けるようにしたならば、かかる瞳孔線基準ラインに基づいて咬合面を定めるとともに、瞳孔線基準ラインを基準として左右対称に差し歯を製作することができるので、差し歯の製作における作業性が向上するとともに差し歯の製作精度も向上する。【００８５】  咬合器の例としては例えば、第１の発明に係る咬合面トランスファー器具を構成する正中線設定用ロッドが嵌合される正中線設定用ロッド溝を底版及び頂版の前方側端面にそれぞれ形成するとともに正中線設定用ロッドを正中線設定用ロッド溝にそれぞれ嵌合したとき、該正中線設定用ロッドが垂直となるように正中線設定用ロッド溝の深さを設定し、各正中線設定用ロッド溝の内面に底版と垂直な正中線基準ラインをそれぞれ設けるとともに��頂版及び底版の前方側端面に正中線基準ラインと直角な瞳孔線基準ラインをそれぞれ設ける構成が考えられる。【００８６】  ここで、頂版及び底版を矩形状としたならば、該頂版及び該底版の前方側端面に形成された正中線設定用ロッド溝に正中線設定用ロッドを嵌合する際、瞳孔線設定用ロッドが底版の前方側縁部に平行になるように正中線設定用ロッド溝を形成する。【００８７】  かかる構成においては、正中線設定用ロッドが底版に垂直になるようにする作業が格段に容易になるのみならず、正中線設定用ロッド溝に正中線設定用ロッドを嵌め込むだけで正中線設定用ロッドの底版に対する垂直が保証される。【００８８】  また、咬合器の正面を向くように下顎歯列模型及び上顎歯列模型が咬合器に固着されるとともに、頂版及び底版の前方側縁部に上顎歯列模型と下顎歯列模型との咬合面に対する瞳孔線の相対位置関係が移されることとなる。【００８９】  また、頂版及び底版の前方側端面に正中線基準ラインと直角な瞳孔線基準ラインをそれぞれ設けるようにしたので、かかる瞳孔線基準ラインに基づいて咬合面を定めるとともに、瞳孔線基準ラインを基準として左右対称に差し歯を製作することができるので、差し歯の製作における作業性が向上するとともに差し歯の製作精度も向上する。【００９０】  加えて、各正中線設定用ロッド溝の内面に底版と垂直な正中線基準ラインをそれぞれ設けたので、咬合器の正面に位置する歯科技工士の目線を正中線基準ラインに合わせ、かかる状態でその延長上にある上顎歯列模型を見ることにより、上顎歯列の両切歯間を正中線に合わせることが可能となる。【００９１】  ここで、上述したと同様、例えば正中線設定用ロッドを断面が円形のプラスチックロッドで構成するとともに、正中線設定用ロッド溝の幅を正中線設定用ロッドの外径の大きさよりも若干小さく設定しておくと、正中線設定用ロッドを正中線設定用ロッド溝に嵌合したとき、正中線設定用ロッドが該正中線設定用ロッド溝に仮固定されるので、上顎歯列模型及び下顎歯列模型を据え付ける際の作業性が向上する。【００９２】  第１の発明に係る咬合面トランスファー器具及び第２の発明に係る咬合器を用いて差し歯を製作する方法、すなわち、第３の発明に係る差し歯製作方法においては、上述したように患者の咬合面を記録した咬合面トランスファー器具を歯科医師側から歯科技工士側に手渡し、該歯科技工士は咬合面トランスファー器具を咬合器に適用して差し歯を製作する。【００９３】  すなわち、まず、咬合面トランスファー器具を構成する接続部材の一端に設けられたバイト材保持部に保持された硬化済みのバイト材を該バイト材に圧痕された咬合型に合わせて上顎歯列模型の前歯と下顎歯列模型の前歯とで咬ませる。【００９４】  次に、かかる作業と相前後して又は同時に、両側方における上下臼歯の咬合型が圧痕された２つの側方バイト材を該咬合型に合わせて前記上顎歯列模型及び前記下顎歯列模型の両側方にそれぞれ咬ませる。【００９５】  次に、上述した状態で下顎歯列模型を咬合器を構成する底版の上面に固着するとともに該底版の後方側縁部近傍に立設された支持機構に後方側縁部にて取り付けられ前方に向けて支持機構に片持ち状に取り付けられた頂版の下面に上顎歯列模型を固着する。【００９６】  ここで、上顎歯列模型及び下顎歯列模型を頂版と底版にそれぞれ固着するにあたり、接続部材の他端に設けられた瞳孔線設定用ロッドに直角にかつ該瞳孔線設定用ロッドの材軸廻りに所定の角度位置で取り付けられた正中線設定用ロッドが底版と垂直になるように、上顎歯列模型及び下顎歯列模型を頂版と底版にそれぞれ固着する。【００９７】  次に、下顎歯列模型及び上顎歯列模型が底版と頂版にそれぞれ固着された後、底版と頂版との相対位置関係が保持される状態でバイト材及び２つの側方バイト材を撤去する。【００９８】  次に、頂版を底版との相対位置関係が着脱前後で保持されるように支持機構に随時着脱しながら又は頂版を底版との相対位置関係が反転前後で保持されるように支持機構に対して回転させて上面及び下面を反転させながら、下顎歯列模型又は上顎歯列模型を用いて差し歯を製作する。【００９９】  ここで、差し歯を製作するにあたっては、上述したように頂版を随時着脱し、あるいは回転させることによって、上顎歯列模型に差し歯を取り付けては下顎歯列模型との咬合状態を確認するという手順を必要に応じて繰り返し行う。【０１００】  なお、人に自然な笑顔を作り出す上で最も重要な要因は上顎歯列であるという審美上の観点から、上顎歯列の差し歯を製作する際の咬合状態の確認は、上歯とそれに対向する下歯の咬合状態を一つ一つ確認するという意味ではなく、頂版に固着された上顎歯列模型と底版に固着された下顎歯列模型との相対位置関係が保持されるように、上顎歯列と下顎歯列との全体的な咬合状態を確認するという意味であり、上歯とそれに対向する下歯の咬合は、下顎歯列用差し歯も製作する場合であれば、その差し歯を製作する際、完成した上顎歯列用差し歯を上顎の支柱に差し込んだ状態で得られた上顎歯列模型との間で確認することになる。【０１０１】  また、瞳孔線が記録された底版を基準として左右対称になるように上顎歯列用差し歯を製作するとともに、上顎歯列模型及び下顎歯列模型の正面から見て上顎歯列の両切歯間が正中線上に位置するようにかつ額と顎を結ぶ線に平行になるように上顎歯列用差し歯を製作することによって、差し歯の歯列が揃った咬合面とし、完成した上顎歯列用差し歯が患者の口腔内に取り付けられたときに審美的な歯列が確保されるようにする。【０１０２】  下顎歯列用差し歯を製作する場合についても上述したと同様であり、まず、下顎歯列をタービン等で削り差し歯を支えるための支柱を形成し、上述した手順により２つの側方バイト材及びバイト材を患者に咬ませ、かかる状態にて患者の瞳孔線を瞳孔線設定用ロッドに、患者の正中線及び特定正中線を正中線設定用ロッドにそれぞれ記録し、次いで、咬合面トランスファー器具及び咬合器を用いた上述した手順で、下顎歯列模型および上顎歯列模型を咬合器に据え付けた上、下顎歯列模型を用いて下顎歯列用差し歯を製作すればよい。【０１０３】  但し、上顎歯列用差し歯の製作プロセスとは異なり、下顎歯列の差し歯を製作する際には、既に完成した上顎歯列用差し歯に対応する上顎歯列模型との間で該上顎歯列模型の上歯とそれに対向する下歯の咬合状態を一つ一つ確認する。【０１０４】  第４の発明に係る咬合面トランスファー器具においては、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドは所定のロッド本体と該ロッド本体の周面であってその材軸に沿って突設された突条体とから構成してあり、かかる第４の発明に係る咬合面トランスファー器具を用いて患者の咬合面を記録するには、まず、第１の発明と同様、歯科医師が患者の例えば上歯をタービン等で削り、差し歯を支えるための支柱を形成する。なお、自歯の利用が困難な場合には、自歯を抜き、それに代えてインプラントを上顎の骨の中に植え込み該インプラントを支柱とする。【０１０５】  次に、第１の発明と同様、左右の上下臼歯の咬合型取りを行うとともに、両側方の上下臼歯の咬合型が圧痕された２つの側方バイト材を各咬合型に合わせて上下臼歯にそれぞれ咬ませ、かかる状態にて未硬化のバイト材を上顎前歯と下顎前歯とで咬ませる。かかる未硬化のバイト材は、咬合面トランスファー器具を構成する接続部材の一端に設けられたバイト材保持部に例えば貫入等によって予め保持しておく。なお、バイト材を咬ませるにあたっては、咬合面トランスファー器具を構成する瞳孔線設定用ロッドが患者の顔面に対して平行となるように該バイト材を患者の上顎前歯及び下顎前歯に咬ませるようにする。【０１０６】  次に、上顎前歯と下顎前歯とで咬ませたバイト材が硬化した後、接続部材に取付けられた瞳孔線設定用ロッドを該接続部材の材軸回りに揺動又は回動させることで、該瞳孔線設定用ロッドを患者の瞳孔線に対して平行に位置決めし、かかる位置にて瞳孔線設定用ロッドを接続部材に固定する。なお、バイト材が完全に硬化せずとも瞳孔線設定用ロッドの揺動又は回転による位置決めが変化しないのであれば、完全硬化を待つ必要はない。【０１０７】  審美的な歯列及び正中線については第１の発明で既に説明したので、ここではその説明を省略する。【０１０８】  上述したように瞳孔線設定用ロッドを位置決めすると、上顎歯列と下顎歯列との咬合面に対する相対位置関係として瞳孔線が瞳孔線設定用ロッドに記録され、患者の審美的な咬合面の決定条件のうちの一つが定まることになる。【０１０９】  次に、上顎前歯及び下顎前歯にバイト材保持部に保持されたバイト材を咬ませた状態を保ったまま、患者の顔面を正面から見たときに正中線設定用ロッドが正中線に一致するように該正中線設定用ロッドを瞳孔線設定用ロッドに取り付けるとともに、正中線設定用ロッドを額と顎からの距離が同じになるように瞳孔線設定用ロッドの材軸廻りに回転させ、かかる状態にて正中線設定用ロッドを瞳孔線設定用ロッドに固定する。【０１１０】  ここで、上顎前歯及び下顎前歯でバイト材を咬ませる際、当然ながらバイト材のどの箇所を咬むかという意味で前後左右にばらつきが生じるが、第１の発明で述べたように、かかるばらつきは何ら問題とはならないし、むしろ、口腔内の歯列状態とは関係なく、正中線や特定正中線を正中線設定用ロッドに記録し、これを咬合器に移すことによって、審美的に優れた差し歯を製作することができるという点が従来にはない本願発明の顕著な作用効果の一つであることを付言しておく。【０１１１】  このように正中線設定用ロッドを瞳孔線設定用ロッドに固定すると、患者の審美的な咬合面の決定条件のうち、もう一つの条件が定まる。すなわち、正中線が正中線設定用ロッドに記録されるとともに、特定正中線が正中線と同様に瞳孔線設定用ロッドに対する相対位置関係として正中線設定用ロッドに記録されることとなる。【０１１２】  したがって、第４の発明に係る咬合面トランスファー器具によれば第１の発明と同様、バイト材に圧痕された患者の上顎前歯と下顎前歯との咬合型によって再現可能な咬合面と、瞳孔線、正中線及び特定正中線からなる一群の審美情報とが互いに関連付けられた状態で瞳孔線設定用ロッド及び正中線設定用ロッドに記録されることとなり、かくして審美的な歯列となる差し歯を製作することが可能となる。【０１１３】  なお、適当な時期、例えば支柱が形成された後に、未硬化状態の印象材、例えばシリコンラバー印象材や歯科用寒天印象材を上顎歯列及び下顎歯列にそれぞれあてがって、該上顎歯列及び該下顎歯列の型取りをそれぞれ行い、従来の方法により上顎歯列模型及び下顎歯列模型をそれぞれ製作する。【０１１４】  瞳孔線設定用ロッドについては第１の発明と同様であり、その構成や具体例あるいはそれらの作用効果についての説明はここでは省略する。【０１１５】  正中線設定用ロッドは、正中線及び特定正中線とを記録できるように構成してあり、例えば、径が約３ｍｍ程度のロッド本体の周面にその材軸に沿って断面が矩形状の突条体を突設して構成することができる。【０１１６】  かかる正中線設定用ロッドは第１の発明と同様、瞳孔線設定用ロッドに直角にかつ該瞳孔線設定用ロッドの材軸廻りに任意の角度位置に取付け自在になるようにしてあればどのように構成してもよいが、例えば、瞳孔線設定用ロッドを断面が円形となるように形成するとともに、該瞳孔線設定用ロッドに嵌着可能な嵌着部を正中線設定用ロッドの周面に取り付けることで、嵌着状態にて正中線設定用ロッドを瞳孔線設定用ロッドに対して摺動自在にかつ該瞳孔線設定用ロッドの材軸廻りに揺動自在又は回動自在となるように構成することができる。なお、嵌着部を瞳孔線設定用ロッドの任意位置にて固定する手段については、第１の発明と同様であるので、説明を省略する。【０１１７】  このように第４の発明に係る咬合面トランスファー器具によれば、患者の瞳孔線をバイト材保持部又は接続部材に対する相対位置関係、すなわち、最終的には上顎歯列と下顎歯列との咬合面に対する相対位置関係として瞳孔線設定用ロッドに記録することができるとともに、患者の正中線及び特定正中線が瞳孔線設定用ロッドに対する相対位置関係として正中線設定用ロッドに記録することが可能となり、ひいては上述した審美的な歯列を実現するための差し歯を製作することが可能となる。【０１１８】  第５の発明に係る咬合器におい��は、底版及び頂版は上述したように、請求項１５乃至請求項１９のいずれか一記載の咬合面トランスファー器具を構成する正中線設定用ロッドの突条体が着脱自在に嵌合されるように所定の嵌合溝を底版及び頂版の前方側端面に形成するとともに該嵌合溝に突条体が嵌合されたときに該正中線設定用ロッドが底版に対して垂直になり、かつ正中線設定用ロッドが底版に対して垂直な軸線廻りに対し特定の角度に位置決めされた状態で仮固定されるように構成してある。【０１１９】  さらに、底版及び頂版は、請求項１５乃至請求項１９のいずれか一記載の咬合面トランスファー器具を構成するバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて上顎歯列模型及び下顎歯列模型の両側方にそれぞれ咬ませ、かかる状態で突条体を嵌合溝に嵌合させ、下顎歯列模型を底版の上面に、上顎歯列模型を頂版の下面にそれぞれ固着することができるようになっている。【０１２０】  したがって、正中線設定用ロッドの突条体を嵌合溝に嵌合することにより、第２の発明と同様、患者の瞳孔線が咬合器の底版と平行な関係として該咬合器に記録が移されるとともに、特定正中線が咬合器の底版と垂直な関係として該咬合器に記録が移されることとなり、かくして、上顎歯列模型及び下顎歯列模型を、その咬合面が患者の口腔内における咬合面と三次元座標上で同一となるように咬合器に固着することが可能となり、それゆえ、かかる口腔内における咬合面が咬合器に再現された状態で審美的に優れた差し歯を製作することができる。【０１２１】  換言すれば、第５の発明に係る咬合器は、請求項１５乃至請求項１９のいずれか一記載に係る咬合面トランスファー器具と併用することで、従来、カンペル平面に基づいたフェイスボウを使用せずとも、患者の瞳孔線、正中線及び特定正中線を上顎歯列と下顎歯列とで形成される咬合面に対する相対位置関係として咬合器に移すことができるとともに、上顎歯列模型及び下顎歯列模型を患者の口腔内における歯列と同じ三次元上の絶対座標位置に据え付けることが可能となり、従来のフェイスボウは全く不要になる。【０１２２】  また、正中線設定用ロッドの突条体を嵌合溝に嵌合することによって正中線設定用ロッドが底版に対して垂直姿勢にて該底版及び頂版に着脱自在に仮固定することができるようにしたので、上顎歯列模型及び下顎歯列模型を据え付ける際の作業性が向上するとともに、正中線設定用ロッドの底版に対する垂直が容易に確保できる。【０１２３】  また、上顎歯列模型及び下顎歯列模型を咬合器に固着した後においてバイト材及び２つの側方バイト材を撤去する際、該撤去の前後で底版と頂版との相対位置関係が保持されるように、かつ着脱の前後又は反転の前後で底版と頂版との相対位置関係が保持されるように構成してあるので、バイト材及び２つの側方バイト材を取り去った後も、下顎歯列模型と上顎歯列模型との相対位置関係は何ら変化しない。【０１２４】  したがって、正常な咬合が行われる相対位置関係において差し歯を製作することが可能となるとともに、��し歯の製作中、頂版を取り付けあるいは元通り回転させても、差し歯の製作中において正常な咬合が行われているかどうかを随時チェックすることが可能となる。【０１２５】  底版、頂版、支持機構及び支持機構の変形例並びにそれらの作用効果については、第２の発明に係る咬合器と同様であるので、ここではその説明を省略する。【０１２６】  ここで、瞳孔線設定用ロッドの材軸が正中線設定用ロッドの突条体を含む突条平面と直交するように該瞳孔線設定用ロッドを正中線設定用ロッドに取り付けておくとともに、咬合器の正面方向に一致するように嵌合溝を切っておくように構成するのが望ましい。【０１２７】  かかる構成によれば、正中線設定用ロッドの突条体を嵌合溝に嵌合することにより、上顎歯列模型及び下顎歯列模型は、それらの正面が咬合器の正面に一致することとなる。【０１２８】  したがって、咬合器の正面から上顎歯列模型及び下顎歯列模型をみれば、それはすなわち、上顎歯列模型及び下顎歯列模型を正面から見ていることになるため、差し歯の製作をより正確に行うことが可能となる。【０１２９】  また、頂版及び底版の前方側端面に該底版と平行な瞳孔線基準ラインをそれぞれ設けるようにすれば、かかる瞳孔線基準ラインに基づいて咬合面を定めるとともに、瞳孔線基準ラインを基準として左右対称に差し歯を製作することができるので、差し歯の製作における作業性が向上するとともに差し歯の製作精度も向上する。【０１３０】  第６の発明に係る咬合面トランスファー器具においては、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、前記瞳孔線設定用ロッドは前記接続部材の材軸に対して直角にかつ該材軸廻りに揺動自在又は回動自在となるようにその中央近傍で該接続部材に取り付けられるようになっているとともに、前記正中線設定用ロッドの断面を非円形としてある。【０１３１】  第６の発明に係る咬合面トランスファー器具を用いて患者の咬合面を記録するにあたっては、まず、差し歯を支えるための支柱を形成するとともに必要に応じてレーザーで歯茎のラインを唇のラインに揃え、２つの側方バイト材によって両側方の上下臼歯の咬合型取りをそれぞれ行う。【０１３２】  次に、咬合型が圧痕された２つの側方バイト材を各咬合型に合わせて上下臼歯にそれぞれ咬ませ、かかる状態にて咬合面トランスファー器具を構成する接続部材の一端に設けられたバイト材保持部に保持された未硬化のバイト材を上顎前歯と下顎前歯とで咬ませ、接続部材に取付けられた瞳孔線設定用ロッドを患者の瞳孔線に対して平行な位置にて接続部材に固定する。【０１３３】  次に、正中線設定用ロッドが患者の正中線及び特定正中線に一致するように該正中線設定用ロッドを瞳孔線設定用ロッドに取り付けるとともに、かかる位置にて固定する。【０１３４】  以下、バイト材に圧痕された患者の上顎前歯と下顎前歯との咬合型によって再現可能な咬合面と、瞳孔線、正中線及び特定正中線からなる一群の審美情報とを互いに関連付けられた状態で瞳孔線設定用ロッド及び正中線設定用ロッドに記録する手順については上述した第４の発明に係る咬合面トランスファー器具を用いた手順と同様であるので、ここではその説明を省略する。【０１３５】  なお、適当な時期、例えば支柱が形成された後に、未硬化状態の印象材、例えばシリコンラバー印象材や歯科用寒天印象材を上顎歯列及び下顎歯列にそれぞれあてがって、該上顎歯列及び該下顎歯列の型取りをそれぞれ行い、従来の方法により上顎歯列模型及び下顎歯列模型をそれぞれ製作する。【０１３６】  瞳孔線設定用ロッドについては第１の発明と同様であり、その構成や具体例あるいはそれらの作用効果についての説明はここでは省略する。【０１３７】  正中線設定用ロッドは、正中線及び特定正中線とを記録できるように構成してあり、例えば、断面が矩形状のロッドで構成することができる。【０１３８】  かかる正中線設定用ロッドは第１の発明と同様、瞳孔線設定用ロッドに直角にかつ該瞳孔線設定用ロッドの材軸廻りに任意の角度位置に取付け自在になるようにしてあればどのように構成してもよいが、例えば、瞳孔線設定用ロッドを断面が円形となるように形成するとともに、該瞳孔線設定用ロッドに嵌着可能な嵌着部を正中線設定用ロッドの周面に取り付けることで、嵌着状態にて正中線設定用ロッドを瞳孔線設定用ロッドに対して摺動自在にかつ該瞳孔線設定用ロッドの材軸廻りに揺動自在又は回動自在となるように構成することができる。なお、嵌着部を瞳孔線設定用ロッドの任意位置にて固定する手段については、第１の発明と同様であるので、説明を省略する。【０１３９】  このように第６の発明に係る咬合面トランスファー器具によれば、患者の瞳孔線をバイト材保持部又は接続部材に対する相対位置関係、すなわち、最終的には上顎歯列と下顎歯列との咬合面に対する相対位置関係として瞳孔線設定用ロッドに記録することができるとともに、患者の正中線及び特定正中線が瞳孔線設定用ロッドに対する相対位置関係として正中線設定用ロッドに記録することが可能となり、ひいては上述した審美的な歯列を実現するための差し歯を製作することが可能となる。【０１４０】  第７の発明に係る咬合器においては、底版及び頂版は上述したように、請求項２４乃至請求項２８のいずれか一記載の咬合面トランスファー器具を構成する正中線設定用ロッドが着脱自在に嵌合されるように所定のロッド嵌合凹部を底版及び頂版の前方側端面に形成するとともにロッド嵌合凹部に正中線設定用ロッドが嵌合されたときに該正中線設定用ロッドが底版に対して垂直になり、かつ正中線設定用ロッドが底版に対して垂直な軸線廻りに対し特定の角度に位置決めされた状態で仮固定されるように構成してある。【０１４１】  さらに、底版及び頂版は、請求項２４乃至請求項２８のいずれか一記載の咬合面トランスファー器具を構成するバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて上顎歯列模型及び下顎歯列模型の両側方にそれぞれ咬ませ、かかる状態で正中線設定用ロッドを���ッド嵌合凹部に嵌合させ、下顎歯列模型を底版の上面に、上顎歯列模型を頂版の下面にそれぞれ固着することができるようになっている。【０１４２】  したがって、正中線設定用ロッドをロッド嵌合凹部に嵌合することにより、第２の発明と同様、患者の瞳孔線が咬合器の底版と平行な関係として該咬合器に記録が移されるとともに、特定正中線が咬合器の底版と垂直な関係として該咬合器に記録が移されることとなり、かくして、上顎歯列模型及び下顎歯列模型を、その咬合面が患者の口腔内における咬合面と三次元座標上で同一となるように咬合器に固着することが可能となり、それゆえ、かかる口腔内における咬合面が咬合器に再現された状態で審美的に優れた差し歯を製作することができる。【０１４３】  換言すれば、第７の発明に係る咬合器は、請求項２４乃至請求項２８のいずれか一記載に係る咬合面トランスファー器具と併用することで、従来、カンペル平面に基づいたフェイスボウを使用せずとも、患者の瞳孔線、正中線及び特定正中線を上顎歯列と下顎歯列とで形成される咬合面に対する相対位置関係として咬合器に移すことができるとともに、上顎歯列模型及び下顎歯列模型を患者の口腔内における歯列と同じ三次元上の絶対座標位置に据え付けることが可能となり、従来のフェイスボウは全く不要になる。【０１４４】  また、正中線設定用ロッドをロッド嵌合凹部に嵌合することによって正中線設定用ロッドが底版に対して垂直姿勢にて該底版及び頂版に着脱自在に仮固定することができるようにしたので、上顎歯列模型及び下顎歯列模型を据え付ける際の作業性が向上するとともに、正中線設定用ロッドの底版に対する垂直が容易に確保できる。【０１４５】  また、上顎歯列模型及び下顎歯列模型を咬合器に固着した後においてバイト材及び２つの側方バイト材を撤去する際、該撤去の前後で底版と頂版との相対位置関係が保持されるように、かつ着脱の前後又は反転の前後で底版と頂版との相対位置関係が保持されるように構成してあるので、バイト材及び２つの側方バイト材を取り去った後も、下顎歯列模型と上顎歯列模型との相対位置関係は何ら変化しない。【０１４６】  したがって、正常な咬合が行われる相対位置関係において差し歯を製作することが可能となるとともに、差し歯の製作中、頂版を取り付けあるいは元通り回転させても、差し歯の製作中において正常な咬合が行われているかどうかを随時チェックすることが可能となる。【０１４７】  底版、頂版、支持機構及び支持機構の変形例並びにそれらの作用効果については、第２の発明に係る咬合器と同様であるので、ここではその説明を省略する。【０１４８】  ここで、正中線設定用ロッドをロッド嵌合凹部に嵌め込んだとき、瞳孔線設定用ロッドが咬合器の正面を向くように正中線設定用ロッド及びロッド嵌合凹部を形成しておくのが望ましい。【０１４９】  かかる構成によれば、正中線設定用ロッドをロッド嵌合凹部に嵌合することにより、上顎歯列模型及び下顎歯列模型は、それらの正面が咬合器の正面に一致することとなる。【０１５０】  したがって、咬合器の正面から上顎歯列模型及び下顎歯列模型をみれば、それはすなわち、上顎歯列模型及び下顎歯列模型を正面から見ていることになるため、差し歯の製作���より正確に行うことが可能となる。【０１５１】  また、頂版及び底版の前方側端面に該底版と平行な瞳孔線基準ラインをそれぞれ設けるようにすれば、かかる瞳孔線基準ラインに基づいて咬合面を定めるとともに、瞳孔線基準ラインを基準として左右対称に差し歯を製作することができるので、差し歯の製作における作業性が向上するとともに差し歯の製作精度も向上する。【０１５２】  また、正中線設定用ロッドをロッド嵌合凹部に嵌合することによって正中線設定用ロッドが底版に対して垂直姿勢にて該底版及び頂版に着脱自在に仮固定することができるようにしたので、上顎歯列模型及び下顎歯列模型を据え付ける際の作業性が向上するとともに、正中線設定用ロッドの底版に対する垂直が容易に確保できる。【０１５３】  ロッド嵌合凹部は、例えば請求項２４乃至請求項２８のいずれか一記載に係る咬合面トランスファー器具の正中線設定用ロッドを矩形状とするとともにプラスチックロッドで構成し、正中線設定用ロッドをロッド嵌合凹部に嵌合したときに上顎歯列模型及び下顎歯列模型が咬合器の正面を向くようにロッド嵌合凹部を形成するとともに、該ロッド嵌合凹部の幅を正中線設定用ロッドの幅よりも若干小さく設定するように構成すればよい。【０１５４】  第８の発明に係る咬合面トランスファー器具においては、未硬化のバイト材を咬合可能な状態で保持するバイト材保持部と、該バイト材保持部が一端に設けられた接続部材と、該接続部材の他端に設けられた瞳孔線設定用ロッドと、該瞳孔線設定用ロッドに直角にかつ該瞳孔線設定用ロッドの材軸廻りに任意の角度位置で取付け自在な正中線設定用ロッドとからなり、瞳孔線設定用ロッドは前記接続部材の材軸に対して直角にかつ該材軸廻りに揺動自在又は回動自在となるようにその中央近傍で該接続部材に取り付けられるようになっているとともに、正中線設定用ロッドは断面が非円形のロッド本体と該ロッド本体の周面であってその材軸に沿って突設された突条体とからなっている。【０１５５】  第８の発明に係る咬合面トランスファー器具を用いて患者の咬合面を記録するにあたっては、まず、差し歯を支えるための支柱を形成するとともに必要に応じてレーザーで歯茎のラインを唇のラインに揃え、２つの側方バイト材によって両側方の上下臼歯の咬合型取りをそれぞれ行う。【０１５６】  次に、咬合型が圧痕された２つの側方バイト材を各咬合型に合わせて上下臼歯にそれぞれ咬ませ、かかる状態にて咬合面トランスファー器具を構成する接続部材の一端に設けられたバイト材保持部に保持された未硬化のバイト材を上顎前歯と下顎前歯とで咬ませ、接続部材に取付けられた瞳孔線設定用ロッドを患者の瞳孔線に対して平行な位置にて接続部材に固定する。【０１５７】  次に、正中線設定用ロッドが患者の正中線及び特定正中線に一致するように該正中線設定用ロッドを瞳孔線設定用ロッドに取り付けるとともに、かかる位置にて固定する。【０１５８】  以下、バイト材に圧痕された患者の上顎前歯と下顎前歯との咬合型によって再現可能な咬合面と、瞳孔線、正中線及び特定正中線からなる一群の審美情報とを互いに関連付けられた状態で瞳孔線設定用ロッド及び正中線設定用ロッドに記録する手順については上述した第４の発明に係る咬合面トランスファー器具を用いた手順と同様であるので、ここではその説明を省略する。【０１５９】  なお、上述したように適当な時期、例えば支柱が形成された後に、未硬化状態の印象材、例えばシリコンラバー印象材や歯科用寒天印象材を上顎歯列及び下顎歯列にそれぞれあてがって、該上顎歯列及び該下顎歯列の型取りをそれぞれ行い、従来の方法により上顎歯列模型及び下顎歯列模型をそれぞれ製作する。【０１６０】  瞳孔線設定用ロッドについては第１の発明と同様であり、その構成や具体例あるいはそれらの作用効果についての説明はここでは省略する。【０１６１】  正中線設定用ロッドは、正中線及び特定正中線とを記録できるように構成してあり、例えば、断面が三角状のロッド本体の一つの稜にその材軸に沿って断面が矩形状の突条体を突設して構成することができる。【０１６２】  かかる正中線設定用ロッドは第１の発明と同様、瞳孔線設定用ロッドに直角にかつ該瞳孔線設定用ロッドの材軸廻りに任意の角度位置に取付け自在になるようにしてあればどのように構成してもよいが、例えば、瞳孔線設定用ロッドを断面が円形となるように形成するとともに、該瞳孔線設定用ロッドに嵌着可能な嵌着部を正中線設定用ロッドの周面に取り付けることで、嵌着状態にて正中線設定用ロッドを瞳孔線設定用ロッドに対して摺動自在にかつ該瞳孔線設定用ロッドの材軸廻りに揺動自在又は回動自在となるように構成することができる。なお、嵌着部を瞳孔線設定用ロッドの任意位置にて固定する手段については、第１の発明と同様であるので、説明を省略する。【０１６３】  このように第８の発明に係る咬合面トランスファー器具によれば、患者の瞳孔線をバイト材保持部又は接続部材に対する相対位置関係、すなわち、最終的には上顎歯列と下顎歯列との咬合面に対する相対位置関係として瞳孔線設定用ロッドに記録することができるとともに、患者の正中線及び特定正中線が瞳孔線設定用ロッドに対する相対位置関係として正中線設定用ロッドに記録することが可能となり、ひいては上述した審美的な歯列を実現するための差し歯を製作することが可能となる。【０１６４】  第９の発明に係る咬合器においては、底版及び頂版は、上述したように、請求項３３乃至請求項３７のいずれか一記載の咬合面トランスファー器具を構成する正中線設定用ロッドのロッド本体が着脱自在に嵌合されるように所定のロッド嵌合凹部を底版及び頂版の前方側端面に形成するとともに正中線設定用ロッドの突条体が着脱自在に嵌合されるように所定の嵌合溝をロッド嵌合凹部の内面に形成し、該ロッド嵌合凹部及び該嵌合溝にロッド本体及び突条体がそれぞれ嵌合されたときに正中線設定用ロッドが底版に対して垂直になり、かつ正中線設定用ロッドが底版に対して垂直な軸線廻りに対し特定の角度に位置決めされた状態で仮固定されるように構成してある。【０１６５】  さらに、底版及び頂版は、請求項３３乃至請求項３７のいずれか一記載の咬合面トランスファー器具を構成するバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を���咬合型に合わせて上顎歯列模型及び下顎歯列模型の両側方にそれぞれ咬ませ、かかる状態でロッド本体及び突条体をロッド嵌合凹部及び嵌合溝にそれぞれ嵌合させ、下顎歯列模型を底版の上面に、上顎歯列模型を頂版の下面にそれぞれ固着することができるようになっている。【０１６６】  したがって、正中線設定用ロッドをロッド嵌合凹部及び嵌合溝に嵌合することにより、第２の発明と同様、患者の瞳孔線が咬合器の底版と平行な関係として該咬合器に記録が移されるとともに、特定正中線が咬合器の底版と垂直な関係として該咬合器に記録が移されることとなり、かくして、上顎歯列模型及び下顎歯列模型を、その咬合面が患者の口腔内における咬合面と三次元座標上で同一となるように咬合器に固着することが可能となり、それゆえ、かかる口腔内における咬合面が咬合器に再現された状態で審美的に優れた差し歯を製作することができる。【０１６７】  換言すれば、第９の発明に係る咬合器は、請求項３３乃至請求項３７のいずれか一記載に係る咬合面トランスファー器具と併用することで、従来、カンペル平面に基づいたフェイスボウを使用せずとも、患者の瞳孔線、正中線及び特定正中線を上顎歯列と下顎歯列とで形成される咬合面に対する相対位置関係として咬合器に移すことができるとともに、上顎歯列模型及び下顎歯列模型を患者の口腔内における歯列と同じ三次元上の絶対座標位置に据え付けることが可能となり、従来のフェイスボウは全く不要になる。【０１６８】  また、正中線設定用ロッドをロッド嵌合凹部及び嵌合溝に嵌合することによって正中線設定用ロッドが底版に対して垂直姿勢にて該底版及び頂版に着脱自在に仮固定することができるようにしたので、上顎歯列模型及び下顎歯列模型を据え付ける際の作業性が向上するとともに、正中線設定用ロッドの底版に対する垂直が容易に確保できる。【０１６９】  また、上顎歯列模型及び下顎歯列模型を咬合器に固着した後においてバイト材及び２つの側方バイト材を撤去する際、該撤去の前後で底版と頂版との相対位置関係が保持されるように、かつ着脱の前後又は反転の前後で底版と頂版との相対位置関係が保持されるように構成してあるので、バイト材及び２つの側方バイト材を取り去った後も、下顎歯列模型と上顎歯列模型との相対位置関係は何ら変化しない。【０１７０】  したがって、正常な咬合が行われる相対位置関係において差し歯を製作することが可能となるとともに、差し歯の製作中、頂版を取り付けあるいは元通り回転させても、差し歯の製作中において正常な咬合が行われているかどうかを随時チェックすることが可能となる。【０１７１】  底版、頂版、支持機構及び支持機構の変形例並びにそれらの作用効果については、第２の発明に係る咬合器と同様であるので、ここではその説明を省略する。【０１７２】  ここで、正中線設定用ロッドをロッド嵌合凹部及び嵌合溝に嵌め込んだとき、瞳孔線設定用ロッドが咬合器の正面を向くように正中線設定用ロッド及びロッド嵌合凹部を形成しておくのが望ましい。【０１７３】  かかる構成によれば、正中線設定用ロッドをロッド嵌合凹部及び嵌合溝に嵌合することにより、上顎歯列模型及び下顎歯列模型は、それらの正面が咬合器の正面に一致することとなる。【０１７４】  したがって、咬合器の正面から上顎歯列模型及び下顎歯列模型をみれば、それはすなわち、上顎歯列模型及び下顎歯列模型を正面から見ていることになるため、差し歯の製作をより正確に行うことが可能となる。【０１７５】  また、頂版及び底版の前方側端面に該底版と平行な瞳孔線基準ラインをそれぞれ設けるようにすれば、かかる瞳孔線基準ラインに基づいて咬合面を定めるとともに、瞳孔線基準ラインを基準として左右対称に差し歯を製作することができるので、差し歯の製作における作業性が向上するとともに差し歯の製作精度も向上する。【０１７６】  また、正中線設定用ロッドをロッド嵌合凹部及び嵌合溝に嵌合することによって正中線設定用ロッドが底版に対して垂直姿勢にて該底版及び頂版に着脱自在に仮固定することができるようにしたので、上顎歯列模型及び下顎歯列模型を据え付ける際の作業性が向上するとともに、正中線設定用ロッドの底版に対する垂直が容易に確保できる。【０１７７】  ロッド嵌合凹部及び嵌合溝は、例えば請求項３３乃至請求項３７のいずれか一記載に係る咬合面トランスファー器具の正中線設定用ロッドを断面が三角状のロッド本体とその一つの稜にて突設された断面が矩形状の突条体とからなるとともにプラスチックロッドで構成し、ロッド本体及び突条体をロッド嵌合凹部及び嵌合溝にそれぞれ嵌合したときに上顎歯列模型及び下顎歯列模型が咬合器の正面を向くようにロッド嵌合凹部及び嵌合溝を形成するとともに、該嵌合溝の幅を突条体の幅よりも若干小さく設定するように構成すればよい。【０１７８】  第１０の発明に係る咬合器においては、咬合面設定用機構は上述したように、頂版の前方側近傍にて形成された貫通孔に昇降自在に挿通されており、材軸廻りに非回転となるように貫通孔に挿通された昇降ロッドと該昇降ロッドの下端近傍にてその材軸に直角になるようにかつ底版の後方側に突設されるように設けられた切歯ガイド部材と昇降ロッドの下端近傍にてその材軸及び前記切歯ガイド部材に直角になるように設けられた瞳孔線ガイド部材とからなっている。【０１７９】  また、底版及び頂版は、請求項１乃至請求項５のいずれか一記載に係る咬合面トランスファー器具を構成するバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて上顎歯列模型及び下顎歯列模型の両側方にそれぞれ咬ませ、かかる状態で正中線設定用ロッドが底版に対して垂直になるように下顎歯列模型を底版の上面に、上顎歯列模型を頂版の下面にそれぞれ固着することができるようになっている。【０１８０】  そのため、第１の発明に係る咬合面トランスファー器具の正中線設定用ロッドを第１０の発明に係る咬合器の底版に垂直になるように該咬合器に適用することにより、患者の瞳孔線は、第１０の発明に係る咬合器の底版と平行な関係として該咬合器に記録が移され、患者の正中線及び特定正中線は、第１０の発明に係る咬合器の底版と垂直な関係として該咬合器に記録が移されることとなる。【０１８１】  したがって、上顎歯列模型及び下顎歯列模型を、それらの��合面が患者の口腔内における咬合面と三次元座標上で同一となるように咬合器に固着することが可能となり、それゆえ、かかる口腔内における咬合面が咬合器に再現された状態で審美的に優れた差し歯を製作することができる。【０１８２】  換言すれば、第１０の発明に係る咬合器は、請求項１乃至請求項５のいずれか一記載に係る咬合面トランスファー器具と併用することで、従来、カンペル平面に基づいたフェイスボウを使用せずとも、患者の瞳孔線、正中線及び特定正中線を上顎歯列と下顎歯列とで形成される咬合面に対する相対位置関係として咬合器に移すことができるとともに、上顎歯列模型及び下顎歯列模型を患者の口腔内における歯列と同じ三次元上の絶対座標位置に据え付けることが可能となり、従来のフェイスボウは全く不要になる。【０１８３】  また、上顎歯列模型及び下顎歯列模型を咬合器に固着した後においてバイト材及び２つの側方バイト材を撤去する際、該撤去の前後で底版と頂版との相対位置関係が保持されるように、かつ着脱の前後又は反転の前後で底版と頂版との相対位置関係が保持されるように構成してあるので、バイト材及び２つの側方バイト材を取り去った後も、下顎歯列模型と上顎歯列模型との相対位置関係は何ら変化しない。【０１８４】  したがって、正常な咬合が行われる相対位置関係において差し歯を製作することが可能となるとともに、差し歯の製作中、頂版を取り付けあるいは元通り回転させても、差し歯の製作中において正常な咬合が行われているかどうかを随時チェックすることが可能となる。【０１８５】  底版、頂版及び支持機構並びにそれらの作用効果については、第２の発明に係る咬合器と同様であるので、ここではその説明を省略する。【０１８６】  ここで、上顎歯列模型及び下顎歯列模型を咬合器に取り付ける際、請求項１乃至請求項５のいずれか一記載に係る咬合面トランスファー器具を構成する正中線設定用ロッド及び瞳孔線設定用ロッドのうち、正中線設定用ロッドの材軸が切歯ガイド部材の材軸と同一面内に含まれるように、かつ瞳孔線設定用ロッドが瞳孔線ガイド部材に対して平行になるように、咬合面トランスファー器具を第２の発明に係る咬合器に適用する。【０１８７】  このようにすると、瞳孔線設定用ロッドに記録された瞳孔線は、瞳孔線ガイド部材に再起録され、正中線設定用ロッドに記録された正中線及び特定正中線は、正中線ガイド部材に再起録されることとなる。【０１８８】  したがって、上述した手順で上顎歯列模型及び下顎歯列模型を取り付けた後は、瞳孔線ガイド部材及び正中線ガイド部材を基準として歯列が左右対称となるように差し歯を製作することが可能となるとともに、歯列を構成する２つの切歯間が切歯ガイド部材の延長線上にくるように差し歯を製作することが可能となる。加えて、第２の発明と比較した場合、差し歯の製作精度が大幅に向上するのみならず、差し歯の製作における作業性も向上する。【０１８９】  また、上述した手順で咬合面トランスファー器具を第１０の発明に係る咬合器に適用することにより、上顎歯列模型及び下顎歯列模型が瞳孔線ガイド部材と平行に向かい合うことになり、瞳孔線ガイド部材を正面として視線を合わせることにより、又は切歯ガイド部材の延長方向に視���を合わせることにより、上顎歯列模型及び下顎歯列模型を正面から見ることが可能となり、この点においても差し歯の製作精度が大幅に向上する。【０１９０】  なお、頂版及び底版を矩形状に形成するとともに、瞳孔線ガイド部材が頂版及び底版の前方側縁部に平行になるように咬合面設定用機構を構成したならば、上顎歯列模型及び下顎歯列模型は、その正面と咬合器の正面とが一致する状態にて該咬合器に取り付けられることとなり、該咬合器の正面から上顎歯列模型及び下顎歯列模型を見ることによって患者の正面から口腔内における歯列を見た場合と同じ状態が再現される。【０１９１】  咬合面は、特定正中線を基準にした場合、前歯、小臼歯、大臼歯と口腔内の奥に向かうにつれて徐々に高くなっていくため、それが上顎歯列模型又は下顎歯列模型でも再現されるよう、差し歯の種類に応じて昇降ロッドを適宜昇降させながら、差し歯を製作すればよい。【０１９２】  また、隣接する２つの切歯については、切歯ガイド部材の延長線上に切歯の隣接境界がくるよう、その差し歯を製作すればよい。ちなみに、この場合にも、昇降ロッドを適宜昇降させることにより、切歯ガイド部材の高さを切歯の位置に合わせると作業がしやすい。【０１９３】  昇降ロッドは、例えば矩形状のロッドで構成し、頂版の前方側近傍に該昇降ロッドの断面と同じ形状の貫通孔を形成して該貫通孔に昇降自在に挿通されるように構成すればよい。また、ここで、昇降ロッドを貫通孔に挿通したときに所望の高さで固定できるように構成するのが望ましい。【０１９４】  請求項１乃至請求項５のいずれか一記載に係る咬合面トランスファー器具を第１０の発明に係る咬合器に適用するにあたり、適当な治具を用いて咬合面トランスファー器具を咬合器にあてがうようにすることが可能であるが、かかる咬合面トランスファー器具を構成する正中線設定用ロッドが着脱自在に嵌合される正中線設定用ロッド溝を底版及び頂版の前方側端面に形成するとともに、正中線設定用ロッドを正中線設定用ロッド溝に嵌合したとき、該正中線設定用ロッドが底版に対して垂直になるようにかつその材軸と切歯ガイド部材の材軸が同一面内に含まれるように正中線設定用ロッド溝を設定したならば、瞳孔線設定用ロッドを瞳孔線ガイド部材に平行に設定するだけで咬合面に関する情報を咬合器に移す作業は完了し、正中線設定用ロッドを底版に対して垂直にする作業や、正中線設定用ロッドの材軸を切歯ガイド部材の材軸と同一面内に含める作業は不要になる。【０１９５】  なお、例えば正中線設定用ロッドを断面が円形のプラスチックロッドで構成するとともに、正中線設定用ロッド溝の幅を正中線設定用ロッドの外径の大きさよりも若干小さく設定しておくと、正中線設定用ロッドを正中線設定用ロッド溝に嵌合したとき、正中線設定用ロッドが該正中線設定用ロッド溝に仮固定されるので、上顎歯列模型及び下顎歯列模型を据え付ける際の作業性が向上する。【０１９６】  切歯ガイド部材は、昇降ロッドの下端近傍にてその材軸に直角になるようにかつ底版の後方側に突設されるように設けられたものであって、咬合器に取り付けられた上顎歯列模型及び下顎歯列模型を元に製作される差し歯の両切歯間を特定できればどのような構造でもよい��、例えば、切歯ガイド部材を伸縮自在に構成するとともにその先端を先鋭に形成するようにしたならば、上顎歯列模型及び下顎歯列模型の固着位置と咬合面設定用機構が設けられた位置との離間長さ（底版と平行な線上における長さ）に関わらず、上顎歯列模型及び下顎歯列模型の前歯に切歯ガイド部材の先端が近づくように該切歯ガイド部材を伸縮させるとともに、その先鋭な先端にちょうど両切歯の間がくるように差し歯を製作することが可能となり、差し歯の製作精度がより向上する。【０１９７】  換言すれば、咬合面トランスファー器具を構成する正中線設定用ロッドとバイト材保持部との水平長さを咬合器上で再現せずとも、切歯間の位置を正中線あるいは特定正中線上に正確に一致させることが可能となるとともに、バイト材を咬んだときの咬合位置のばらつきについても、切歯ガイド部材の伸縮によって吸収することが可能となる。【０１９８】  第１１の発明に係る咬合面設定用器具においては、所定の正中線ガイド部材と、該正中線ガイド部材に沿って昇降自在に取り付けられた昇降部材と、該昇降部材に正中線ガイド部材と直角になるように突設された切歯ガイド部材と、該切歯ガイド部材にその材軸及び正中線ガイド部材の材軸に直角に中央近傍が取り付けられた瞳孔線ガイド部材とから構成してある。【０１９９】  このような第１１の発明に係る咬合面設定用器具を請求項２０乃至請求項２３のいずれか一記載に係る咬合器に適用するにあたっては、請求項１５乃至請求項１９のいずれか一記載に係る咬合面トランスファー器具を用いて上述した咬合器に上顎歯列模型及び下顎歯列模型を取り付けた後、かかる咬合器の頂版及び底版の前方側端面に形成された嵌合溝に正中線ガイド部材を構成する正中線ガイド用突条体をそれぞれ嵌合する。【０２００】  なお、第１１の発明に係る咬合面設定用器具が軽量であり、又は嵌合溝と正中線ガイド用突条体との嵌合による固定度が高い場合には、咬合器の頂版及び底版のうち、少なくともいずれかの前方側端面に形成された嵌合溝に正中線ガイド用突条体を嵌合すれば足りる。【０２０１】  例えば、上顎歯列模型を用いて上顎歯列の差し歯を製作するときには、咬合面設定用器具を頂版に取り付け、下顎歯列模型を用いて下顎歯列の差し歯を製作するときには、咬合面設定用器具を底版に取り付けるようにすればよい。【０２０２】  このようにすると、噛み合わせを確認するために頂版を着脱し又は反転させながら差し歯を製作するにあたり、その都度、咬合面設定用器具を咬合器から取り外す必要がなくなる。【０２０３】  第１１の発明に係る咬合面設定用器具においては、正中線ガイド部材の正中線ガイド用突条体を、その断面形状が請求項１５乃至請求項１９のいずれか一記載に係る咬合面トランスファー器具を構成する正中線設定用ロッドの突条体の断面形状と同一となるように形成してあるとともに、正中線ガイド用突条体の突設方向に対する瞳孔線ガイド部材の配置角度が突条体の突設方向に対する咬合面トランスファー器具を構成する瞳孔線設定用ロッドの配置角度と同一になるように瞳孔線ガイド部材を正中線ガイド部材に対して位置決めしてある。【０２０４】  一方、瞳孔線設定用ロッドは、接続部材を介してバイト材保持部に取り���けてあるため、咬合面トランスファー器具を用いて咬合器に固着させた上顎歯列模型及び下顎歯列模型の向きは、咬合面トランスファー器具の突条体の突設方向（咬合器の嵌合溝の方向）に対する瞳孔線設定用ロッドの配置角度で決定される。【０２０５】  したがって、正中線ガイド用突条体の突設方向に対する瞳孔線ガイド部材の配置角度が突条体の突設方向に対する瞳孔線設定用ロッドの配置角度と同一になるように瞳孔線ガイド部材を正中線ガイド部材に対して位置決めしておけば、瞳孔線ガイド部材の向きは、上顎歯列模型及び下顎歯列模型を取り付けたときの瞳孔線設定用ロッドの向きが再現され、その向きと同じになる。【０２０６】  すなわち、上顎歯列模型及び下顎歯列模型を咬合器にどのような向きで取り付けようと、上述したように咬合面設定用器具を構成しておけば、上顎歯列模型及び下顎歯列模型に対する瞳孔線ガイド部材の向きは、取付け時における瞳孔線設定用ロッドの向きと同じになる。【０２０７】  かくして、患者の瞳孔線、正中線及び特定正中線と口腔内の咬合面との相対位置関係は、瞳孔線ガイド部材及び正中線ガイド部材と上顎歯列模型及び下顎歯列模型との相対位置関係として咬合器上で正確に再現されることとなり、瞳孔線ガイド部材及び正中線ガイド部材を基準として高精度に差し歯を製作することが可能となる。【０２０８】  具体的には、瞳孔線ガイド部材を基準として上顎歯列や下顎歯列が左右対称となるように差し歯を製作することが可能となる。なお、咬合面は、特定正中線を基準にした場合、前歯、小臼歯、大臼歯と口腔内の奥に向かうにつれて徐々に高くなっていくが、差し歯の種類に応じて昇降部材を正中線ガイド部材に沿って適宜昇降させることにより、瞳孔線ガイド部材の高さを変えながら、上顎歯列模型又は下顎歯列模型で咬合面を正確に再現することができる。【０２０９】  また、正中線ガイド部材から直交方向に延びる切歯ガイド部材の軸線の延長線上に切歯と切歯の間がくるように該切歯の差し歯を製作することが可能となる。ちなみに、この場合にも、昇降部材を適宜昇降させることにより、切歯ガイド部材の高さを切歯の位置に合わせることができる。【０２１０】  ここで、切歯ガイド部材は、正中線ガイド部材と直角になるように昇降部材に突設されたものであって、咬合器に取り付けられた上顎歯列模型及び下顎歯列模型を元に製作される差し歯の両切歯間を特定できればどのような構造でもよいが、かかる切歯ガイド部材を伸縮自在に構成するとともにその先端を先鋭に形成するようにしたならば、上顎歯列模型及び下顎歯列模型の固着位置と咬合面設定用器具が設けられた位置との離間長さ（底版と平行な線上における長さ）に関わらず、上顎歯列模型及び下顎歯列模型の前歯に切歯ガイド部材の先端が近づくように該切歯ガイド部材を伸縮させるとともに、その先鋭な先端にちょうど両切歯の間がくるように差し歯を製作することが可能となり、差し歯の製作精度がより向上する。【０２１１】  換言すれば、咬合面トランスファー器具を構成する正中線設定用ロッドとバイト材保持部との水平長さを咬合器上で再現せずとも、切歯間の位置を正中線あるいは特定正中線上に正確に一致させることが可能となるとともに、バイト材を��んだときの咬合位置のばらつきについても、切歯ガイド部材を伸縮させることによって、そのばらつきを吸収することが可能となる。【０２１２】  第１２の発明に係る咬合面設定用器具は、第１１の発明に係る咬合面設定用器具とその作用がほぼ同様であるので、ここではその詳細な説明は省略するが、第１１の発明に係る咬合面設定用器具が正中線ガイド部材に沿って昇降自在に昇降部材を取り付けるとともに該昇降部材に正中線ガイド部材と直角になるように切歯ガイド部材を突設して構成したのに対し、第１２の発明に係る咬合面設定用器具は、正中線ガイド部材にその材軸に直角になるように切歯ガイド部材を突設して構成してある。【０２１３】  かかる構成においては、正中線ガイド部材を請求項２０乃至請求項２３のいずれか一記載に係る咬合器の嵌合溝にその都度着脱させる。【０２１４】  すなわち、第１１の発明に係る咬合面設定用器具においては、昇降部材を正中線ガイド部材に沿って昇降させることによって瞳孔線ガイド部材及び切歯ガイド部材の高さを任意に設定できるようにしたが、第１２の発明に係る咬合面設定用器具においては、正中線ガイド部材の着脱高さを変えることで瞳孔線ガイド部材及び切歯ガイド部材の高さを任意に設定できるようにした点が異なる。【０２１５】  第１３の発明に係る咬合面設定用器具と第１４の発明に係る咬合面設定用器具は、正中線ガイド部材の断面形状を請求項２４乃至請求項２８のいずれか一記載の咬合面トランスファー器具を構成する正中線設定用ロッドの断面形状と同一となるように形成した点を除き、第１１の発明に係る咬合面設定用器具と第１２の発明に係る咬合面設定用器具とそれぞれ同様であるとともに、第１３の発明に係る咬合面設定用器具と第１４の発明に係る咬合面設定用器具との相違は、第１１の発明に係る咬合面設定用器具と第１２の発明に係る咬合面設定用器具との相違と同様であるので、ここではそれらの発明に関する説明を省略する。【０２１６】  また、第１５の発明に係る咬合面設定用器具と第１６の発明に係る咬合面設定用器具は、正中線ガイド部材を所定の正中線ガイド用ロッド本体と該正中線ガイド用ロッド本体の周面であってその材軸に沿って突設された正中線ガイド用突条体とから構成してあるとともに、その断面形状を請求項３３乃至請求項３７のいずれか一記載の咬合面トランスファー器具を構成する前記正中線設定用ロッドの断面形状と同一となるように形成した点を除き、第１１の発明に係る咬合面設定用器具と第１２の発明に係る咬合面設定用器具とそれぞれ同様であるとともに、第１５の発明に係る咬合面設定用器具と第１６の発明に係る咬合面設定用器具との相違は、第１１の発明に係る咬合面設定用器具と第１２の発明に係る咬合面設定用器具との相違と同様であるので、ここではそれらの発明に関する説明を省略する。【０２１７】  第１７の発明に係る咬合器においては、上面に下顎歯列模型が固着される底版と該底版の後方側縁部近傍に立設された支持機構と該支持機構に後方側縁部にて着脱自在に又はその上面及び下面が反転するように回動自在に取り付けられ下面に上顎歯列模型が固着される頂版とから構成してあるとともに、頂版を前方に向けて支持機構に片持ち状に取り付けてあ��。【０２１８】  ここで、底版及び頂版の前方側端面には、請求項１５乃至請求項１９のいずれか一記載の咬合面トランスファー器具を構成する正中線設定用ロッドの突条体が着脱自在に嵌合されるように所定の嵌合溝を形成してある。【０２１９】  底版及び頂版は、咬合面トランスファー器具を構成するバイト材保持部に保持された硬化済みのバイト材を該バイト材に圧痕された咬合型に合わせて上顎歯列模型の前歯と下顎歯列模型の前歯とで咬ませるとともに両側方における上下臼歯の咬合型が圧痕された２つの側方バイト材を該咬合型に合わせて上顎歯列模型及び下顎歯列模型の両側方にそれぞれ咬ませ、かかる状態で突条体を嵌合溝に嵌合させ、下顎歯列模型を底版の上面に、上顎歯列模型を頂版の下面にそれぞれ固着することができるようになっている。【０２２０】  頂版及び支持機構は、固着後においてバイト材及び２つの側方バイト材を撤去する際、該撤去の前後で底版と頂版との相対位置関係が保持されるように、かつ着脱の前後又は反転の前後で底版と頂版との相対位置関係が保持されるようになっている。【０２２１】  したがって、正中線設定用ロッドの突条体を嵌合溝に嵌合することにより、第４の発明と同様、患者の瞳孔線が咬合器の底版と平行な関係として該咬合器に記録が移されるとともに、特定正中線が咬合器の底版と垂直な関係として該咬合器に記録が移されることとなり、かくして、上顎歯列模型及び下顎歯列模型を、その咬合面が患者の口腔内における咬合面と三次元座標上で同一となるように咬合器に固着することが可能となり、それゆえ、かかる口腔内における咬合面が咬合器に再現された状態で審美的に優れた差し歯を製作することができる。【０２２２】  換言すれば、第１７の発明に係る咬合器は、請求項１５乃至請求項１９のいずれか一記載に係る咬合面トランスファー器具と併用することで、従来、カンペル平面に基づいたフェイスボウを使用せずとも、患者の瞳孔線、正中線及び特定正中線を上顎歯列と下顎歯列とで形成される咬合面に対する相対位置関係として咬合器に移すことができるとともに、上顎歯列模型及び下顎歯列模型を患者の口腔内における歯列と同じ三次元上の絶対座標位置に据え付けることが可能となり、従来のフェイスボウは全く不要になる。【０２２３】  また、正中線設定用ロッドの突条体を嵌合溝に嵌合することによって正中線設定用ロッドが底版に対して垂直姿勢にて該底版及び頂版に着脱自在に仮固定することができるようにしたので、上顎歯列模型及び下顎歯列模型を据え付ける際の作業性が向上するとともに、正中線設定用ロッドの底版に対する垂直が容易に確保できる。【０２２４】  また、上顎歯列模型及び下顎歯列模型を咬合器に固着した後においてバイト材及び２つの側方バイト材を撤去する際、該撤去の前後で底版と頂版との相対位置関係が保持されるように、かつ着脱の前後又は反転の前後で底版と頂版との相対位置関係が保持されるように構成してあるので、バイト材及び２つの側方バイト材を取り去った後も、下顎歯列模型と上顎歯列模型との相対位置関係は何ら変化しない。【０２２５】  したがって、正常な咬合が行われる相対位置関係において差し歯を製作することが可能となるとともに、差し歯の製作中、頂版���取り付けあるいは元通り回転させても、差し歯の製作中において正常な咬合が行われているかどうかを随時チェックすることが可能となる。【０２２６】  ここで、頂版には、その前方側近傍にて形成された貫通孔に昇降自在に咬合面設定用機構を挿通してあり、該咬合面設定用機構は、材軸廻りに非回転となるように貫通孔に挿通された昇降ロッドと該昇降ロッドの下端近傍にてその材軸に直角になるようにかつ底版の後方側に突設されるように設けられた切歯ガイド部材と昇降ロッドの下端近傍にてその材軸及び切歯ガイド部材に直角になるように設けられた瞳孔線ガイド部材とから構成してある。そして、底版及び頂版は、嵌合溝に突条体が嵌合されたときに瞳孔線設定用ロッドが瞳孔線ガイド部材に平行になり、かつ正中線設定用ロッドが底版に対して垂直になるとともにその材軸と切歯ガイド部材の材軸が同一面内に含まれる状態で仮固定されるように構成してある。【０２２７】  このようにすると、第１７の発明に係る咬合器においては、請求項１５乃至請求項１９のいずれか一記載に係る咬合面トランスファー器具を用いて上顎歯列模型及び下顎歯列模型を咬合器に取り付ける際、瞳孔線設定用ロッドに記録された瞳孔線が瞳孔線ガイド部材に再起録され、正中線設定用ロッドに記録された正中線及び特定正中線は、切歯ガイド部材に再起録されることとなる。【０２２８】  したがって、上述した手順で上顎歯列模型及び下顎歯列模型を取り付けた後は、瞳孔線ガイド部材を基準として歯列が左右対称となるように差し歯を製作することが可能となるとともに、歯列を構成する２つの切歯間が切歯ガイド部材の延長線上にくるように差し歯を製作することが可能となる。加えて、第２の発明と比較した場合、差し歯の製作精度が大幅に向上するのみならず、差し歯の製作における作業性も向上する。【０２２９】  また、上述した手順で咬合面トランスファー器具を第１７の発明に係る咬合器に適用することにより、上顎歯列模型及び下顎歯列模型が瞳孔線ガイド部材と平行に向かい合うことになり、瞳孔線ガイド部材を正面として視線を合わせることにより、又は切歯ガイド部材の延長方向に視線を合わせることにより、上顎歯列模型及び下顎歯列模型を正面から見ることが可能となり、この点においても差し歯の製作精度が大幅に向上する。【０２３０】  なお、頂版及び底版を矩形状に形成するとともに、瞳孔線ガイド部材が頂版及び底版の前方側縁部に平行になるように咬合面設定用機構を構成したならば、上顎歯列模型及び下顎歯列模型は、その正面と咬合器の正面とが一致する状態にて該咬合器に取り付けられることとなり、該咬合器の正面から上顎歯列模型及び下顎歯列模型を見ることによって患者の正面から口腔内における歯列を見た場合と同じ状態が再現される。【０２３１】  咬合面は、特定正中線を基準にした場合、前歯、小臼歯、大臼歯と口腔内の奥に向かうにつれて徐々に高くなっていくため、それが上顎歯列模型又は下顎歯列模型でも再現されるよう、差し歯の種類に応じて昇降ロッドを適宜昇降させながら、差し歯を製作すればよい。【０２３２】  また、隣接する２つの切歯については、切歯ガイド部材の延長線上に切歯の隣接境界がくるよう、その差し歯を製作すればよい。ちな��に、この場合にも、昇降ロッドを適宜昇降させることにより、切歯ガイド部材の高さを切歯の位置に合わせると作業がしやすい。【０２３３】  ここで、第１７の発明に係る咬合器は、上顎歯列模型及び下顎歯列模型を固着する際、咬合面設定用機構が邪魔になるので、これを貫通孔から抜いて一時的に取り外しておくことになるが、貫通孔内に挿通された咬合面設定用機構は、回転しないように構成してある。【０２３４】  そのため、取付け作業完了後に貫通孔に挿通された咬合面設定用機構の瞳孔線ガイド部材には、瞳孔線設定用ロッドに記録された瞳孔線が記録され、切歯ガイド部材には、正中線設定用ロッドに記録された正中線及び特定正中線が記録されていることとなり、咬合面設定用機構を一時的に取り外しても何の問題もない。【０２３５】  咬合面設定用機構は第１０の発明と同様であるので、ここではその説明を省略するが、切歯ガイド部材を伸縮自在に構成するとともにその先端を先鋭に形成するようにしたならば、上顎歯列模型及び下顎歯列模型の固着位置と咬合面設定用機構が設けられた位置との離間長さ（底版と平行な線上における長さ）に関わらず、上顎歯列模型及び下顎歯列模型の前歯に切歯ガイド部材の先端が近づくように該切歯ガイド部材を伸縮させるとともに、その先鋭な先端にちょうど両切歯の間がくるように差し歯を製作することが可能となり、差し歯の製作精度がより向上する。【０２３６】  換言すれば、咬合面トランスファー器具を構成する正中線設定用ロッドとバイト材保持部との水平長さを咬合器上で再現せずとも、切歯間の位置を正中線あるいは特定正中線上に正確に一致させることが可能となるとともに、バイト材を咬んだときの咬合位置のばらつきについても、切歯ガイド部材の伸縮によって吸収することが可能となる。【０２３７】  第１８の発明に係る咬合器は、請求項２４乃至請求項２８のいずれか一記載の咬合面トランスファー器具を構成する正中線設定用ロッドが着脱自在に嵌合されるように所定のロッド嵌合凹部を底版及び頂版の前方側端面に形成した点を除き、その構成及び作用効果はほぼ同様であるので、ここではその説明を省略する。【０２３８】  また、第１９の発明に係る咬合器は、請求項３３乃至請求項３７のいずれか一記載の咬合面トランスファー器具を構成する正中線設定用ロッドのロッド本体が着脱自在に嵌合されるように所定のロッド嵌合凹部を底版及び頂版の前方側端面に形成するとともに正中線設定用ロッドの突条体が着脱自在に嵌合されるように所定の嵌合溝をロッド嵌合凹部の内面に形成しした点を除き、その構成及び作用効果はほぼ同様であるので、ここではその説明を省略する。
【図面の簡単な説明】
【０２３９】［図１］第１実施形態に係る咬合面トランスファー器具を示した分解斜視図。
［図２］第１実施形態に係る咬合面トランスファー器具を用いて患者の咬合型を採取するときの手順を示した正面図。
［図３］第１実施形態に係る咬合面トランスファー器具を患者に装着した場合の図であり、（ａ）は正面図、（ｂ）は側面図。
［図４］第２実施形態に係る咬合器を示した斜視図。
［図５］第２実施形態に係る咬合器を示した正面図。
［図６］第２実施形態に係る咬合器を示した側面図。
［図７］変形例に係る咬合器を示した斜視図。
［図８］第３実施形態に係る上顎歯列用差し歯の製作方法の手順を示したフローチャート。
［図９］第４実施形態に係る咬合面トランスファー器具を示した図であり、（ａ）は分解斜視図、（ｂ）は断面図。
［図１０］第４実施形態に係る咬合器を示した図であり、（ａ）は斜視図、（ｂ）は頂版の前方側近傍の詳細断面図。
［図１１］第４実施形態に係る咬合器を示した側面図。
［図１２］第４実施形態に係る咬合面設定用器具を示した図であり、（ａ）は斜視図、（ｂ）は断面図。
［図１３］第４実施形態に係る咬合面トランスファー器具と咬合面設定用器具との関係を示した図であり、（ａ）は咬合面設定用器具の断面図、（ｂ）は咬合面トランスファー器具の断面図。
［図１４］第４実施形態に係る咬合面トランスファー器具を構成する瞳孔線設定用ロッドを患者に取り付けた状態を示した正面図。
［図１５］第４実施形態に係る咬合面トランスファー器具を患者に取り付けた状態を示した図であり、（ａ）は正面図、（ｂ）は側面図。
［図１６］第４実施形態に係る咬合器に咬合面トランスファー器具を取り付けた状態を示した正面図。
［図１７］第４実施形態に係る咬合器に咬合面トランスファー器具を取り付けた状態を示した側面図。
［図１８］第４実施形態に係る咬合器に咬合面設定用器具を取り付けた状態を示した正面図。
［図１９］図１８における頂版本体周辺を示した詳細正面図。
［図２０］第４実施形態に係る咬合器に咬合面設定用器具を取り付けた状態を示した側面図。
［図２１］第４実施形態に係る咬合器を構成する頂版本体に上顎歯列模型が固着された状態を示した図であり、（ａ）は図１７におけるＡ−Ａ線に沿う矢視図、（ｂ）は図２０におけるＢ−Ｂ線に沿う矢視図。
［図２２］変形例に係る咬合面トランスファー器具を示した図であり、（ａ）は斜視図、（ｂ）はバイト材保持部近傍を示した詳細平面図、（ｃ）はバイト材保持部近傍を示した詳細側面図。
［図２３］変形例に係る咬合器を示した斜視図。
［図２４］変形例に係る咬合器を示した斜視図。
［図２５］変形例に係る咬合器を示した図であり、（ａ）は斜視図、（ｂ）は頂版本体周辺の詳細断面図。
［図２６］変形例に係る咬合面設定用器具を示した図であり、（ａ）は斜視図、（ｂ）は断面図。
［図２７］変形例に係る咬合面設定用器具を示した図であり、（ａ）は斜視図、（ｂ）は断面図。
［図２８］第４実施形態に係る咬合器を構成する頂版本体を示した見上げ図（上方を見上げた図）であり、（ａ）は、変形例に係る咬合面トランスファー器具と上顎歯列模型あるいは咬合器との相対位置関係を示した図、（ｂ）は、変形例に係る咬合面設定用器具と上顎歯列模型あるいは咬合器との相対位置関係を示した図。
［図２９］第５実施形態に係る咬合面トランスファー器具を示した図であり、（ａ）は分解斜視図、（ｂ）は断面図。
［図３０］第５実施形態に係る咬合器を示した図であり、（ａ）は斜視図、（ｂ）は頂版本体周辺の詳細断面図。
［図３１］第５実施形態に係る咬合器を示した側面図。
［図３２］第５実施形態に係る咬合面設定用器具を示した図であり、（ａ）は斜視図、（ｂ）は断面図。
［図３３］第５実施形態に係る咬合面トランスファー器具と咬合面設定用器具との関係を示した図であり、（ａ）は咬合面設定用器具の断面図、（ｂ）は咬合面トランスファー器具の断面図。
［図３４］変形例に係る咬合器を示した斜視図。
［図３５］変形例に係る咬合器を示した斜視図。
［図３６］変形例に係る咬合器を示した図であり、（ａ）は斜視図、（ｂ）は頂版本体の前方側近傍の断面図。
［図３７］変形例に係る咬合面設定用器具を示した図であり、（ａ）は斜視図、（ｂ）は断面図。
［図３８］変形例に係る咬合面設定用器具を示した図であり、（ａ）は斜視図、（ｂ）は断面図。
［図３９］第５実施形態に係る咬合器を構成する頂版本体を示した見上げ図（上方を見上げた図）であり、（ａ）は、変形例に係る咬合面トランスファー器具と上顎歯列模型あるいは咬合器との相対位置関係を示した図、（ｂ）は、変形例に係る咬合面設定用器具と上顎歯列模型あるいは咬合器との相対位置関係を示した図。
［図４０］第６実施形態に係る咬合面トランスファー器具を示した図であり、（ａ）は斜視図、（ｂ）は断面図。
［図４１］第６実施形態に係る咬合器を示した図であり、（ａ）は斜視図、（ｂ）は頂版の前方側近傍の断面図。
［図４２］第６実施形態に係る咬合器を示した側面図。
［図４３］第６実施形態に係る咬合面設定用器具を示した図であり、（ａ）は斜視図、（ｂ）は断面図。
［図４４］第６実施形態に係る咬合面設定用器具及び咬合面トランスファー器具の関係を示した図であり、（ａ）は咬合面設定用器具の断面図、（ｂ）は咬合面トランスファー器具の断面図。
［図４５］変形例に係る咬合器を示した斜視図。
［図４６］変形例に係る咬合器を示した斜視図。
［図４７］変形例に係る咬合器を示した図であり、（ａ）は斜視図、（ｂ）は頂版本体の前方側近傍の断面図。
［図４８］変形例に係る咬合面設定用器具を示した図であり、（ａ）は斜視図、（ｂ）は断面図。
［図４９］変形例に係る咬合面設定用器具を示した図であり、（ａ）は斜視図、（ｂ）は断面図。
［図５０］第６実施形態に係る咬合器を構成する頂版本体を示した見上げ図（上方を見上げた図）であり、（ａ）は、変形例に係る咬合面トランスファー器具と上顎歯列模型あるいは咬合器との相対位置関係を示した図、（ｂ）は、変形例に係る咬合面設定用器具と上顎歯列模型あるいは咬合器との相対位置関係を示した図。
［図５１］第７実施形態に係る咬合器を示した図であり、（ａ）は斜視図、（ｂ）は頂版の前方側近傍の断面図。
［図５２］第７実施形態に係る咬合器を示した側面図。
［図５３］第７実施形態に係る咬合器に咬合面トランスファー器具が取り付けられた状態を示した側面図。
［図５４］第７実施形態に係る咬合器に咬合面トランスファー器具を取り付けた状態を示した側面図。
［図５５］第７実施形態に係る咬合器に上顎歯列模型及び下顎歯列模型を取り付けた状態を示した平面図。
［図５６］図５５の頂版近傍を示した詳細断面図。
［図５７］第７実施形態に係る咬合器に上顎歯列模型及び下顎歯列模型が取り付けられた状態を示した側面図。
［図５８］第７実施形態に係る咬合器を構成する頂版本体に上顎歯列模型が固着された状態を示す図であり、（ａ）は図５４におけるＣ−Ｃ線に沿う矢視図、（ｂ）は図５７におけるＤ−Ｄ線に沿う矢視図。
［図５９］変形例に係る咬合器を示した斜視図。
［図６０］変形例に係る咬合器を示した斜視図。
［図６１］変形例に係る咬合器を示した斜視図。
［図６２］変形例に係る咬合器を示した図であり、（ａ）は斜視図、（ｂ）は頂版の前方側近傍の詳細断面図。
［図６３］変形例に係る咬合器を示した図であり、（ａ）は斜視図、（ｂ）は咬合面設定用機構の断面図。
［図６４］変形例に係る咬合器を構成する頂版本体を示す見上げ図（上方を見上げた図）であり、（ａ）は、咬合面設定用機構と頂版本体との相対位置関係を示した図、（ｂ）は咬合面トランスファー器具と上顎歯列模型あるいは咬合器との相対位置関係を示した図。
［図６５］第８実施形態に係る咬合器を示した図であり、（ａ）は、斜視図、（ｂ）は頂版の前方側近傍の断面図。
［図６６］第８実施形態に係る咬合器を示した側面図。
［図６７］第８実施形態に係る咬合器に咬合面トランスファー器具が取り付けられた状態を示した正面図。
［図６８］第８実施形態に係る咬合器に咬合面トランスファー器具が取り付けられた状態を示した側面図。
［図６９］第８実施形態に係る咬合器に上顎歯列模型及び下顎歯列模型が取り付けられた状態を示した正面図。
［図７０］図６９の頂版近傍を示した詳細正面図。
［図７１］第８実施形態に係る咬合器に上顎歯列模型及び下顎歯列模型が取り付けられた状態を示した側面図。
［図７２］第８実施形態に係る咬合器を構成する頂版本体に上顎歯列模型が固着された状態を示す図であり、（ａ）は図６８におけるＥ−Ｅ線に沿う矢視図、（ｂ）は図７１におけるＦ−Ｆ線に沿う矢視図。
［図７３］変形例に係る咬合器を示した斜視図。
［図７４］変形例に係る咬合器を示した図であり、（ａ）は斜視図、（ｂ）は頂版の前方側近傍を示した断面図。
［図７５］変形例に係る咬合器を示した図であり、（ａ）は斜視図、（ｂ）は咬合面設定用機構を示した断面図。
［図７６］変形例に係る咬合器を構成する頂版本体を示す見上げ図（上方を見上げた図）であり、（ａ）は咬合面トランスファー器具と上顎歯列模型あるいは咬合器との相対位置関係を示した図、（ｂ）は咬合面設定用機構と上顎歯列模型あるいは咬合器との相対位置関係を示した図。
［図７７］第９実施形態に係る咬合器を示した図であり、（ａ）は、斜視図、（ｂ）は頂版の前方側近傍の断面図。
［図７８］第９実施形態に係る咬合器を示した側面図。
［図７９］第９実施形態に係る咬合器に咬合面トランスファー器具が取り付けられた状態を示した正面図。
［図８０］第９実施形態に係る咬合器に咬合面トランスファー器具が取り付けられた状態を示した側面図。
［図８１］第９実施形態に係る咬合器に上顎歯列模型及び下顎歯列模型が取り付けられた状態を示した正面図。
［図８２］図８１の頂版近傍を示した詳細正面図。
［図８３］第９実施形態に係る咬合器に上顎歯列模型及び下顎歯列模型が取り付けられた状態を示した側面図。
［図８４］第９実施形態に係る咬合器を構成する頂版本体に上顎歯列模型が固着された状態を示す図であり、（ａ）は図８０におけるＧ−Ｇ線に沿う矢視図、（ｂ）は図８３におけるＨ−Ｈ線に沿う矢視図。
［図８５］変形例に係る咬合器を示した斜視図。
［図８６］変形例に係る咬合器を示した図であり、（ａ）は斜視図、（ｂ）は頂版の前方側近傍を示した断面図。
［図８７］変形例に係る咬合器を示した図であり、（ａ）は斜視図、（ｂ）は咬合器を構成する咬合面設定用機構を示した断面図。
［図８８］変形例に係る咬合器を構成する頂版本体の見上げ図（上方を見上げた図）であり、（ａ）は咬合面トランスファー器具と上顎歯列模型あるいは咬合器との相対位置関係を示した図、（ｂ）は咬合面設定用機構と上顎歯列模型あるいは咬合器との相対位置関係を示した図。
［図８９］第１０実施形態に係る咬合器を示した図であり、（ａ）は、斜視図、（ｂ）は頂版の前方側近傍の断面図。
［図９０］第１０実施形態に係る咬合器を示した側面図。
［図９１］第１０実施形態に係る咬合器に咬合面トランスファー器具が取り付けられた状態を示した正面図。
［図９２］第１０実施形態に係る咬合器に咬合面トランスファー器具が取り付けられた状態を示した側面図。
［図９３］第１０実施形態に係る咬合器に上顎歯列模型及び下顎歯列模型が取り付けられた状態を示した正面図。
［図９４］図９３の頂版近傍を示した詳細正面図。
［図９５］第１０実施形態に係る咬合器に上顎歯列模型及び下顎歯列模型が取り付けられた状態を示した側面図。
［図９６］第１０実施形態に係る咬合器を構成する頂版本体に上顎歯列模型が固着された状態を示す図であり、（ａ）は図９２におけるＩ−Ｉ線に沿う矢視図、（ｂ）は図９５におけるＪ−Ｊ線に沿う矢視図。
［図９７］変形例に係る咬合器を示した斜視図。
［図９８］変形例に係る咬合器を示した図であり、（ａ）は斜視図、（ｂ）は頂版の前方側近傍を示した断面図。
［図９９］変形例に係る咬合器を示した図であり、（ａ）は斜視図、（ｂ）は咬合器を構成する咬合面設定用機構を示した断面図。
［図１００］変形例に係る咬合器を構成する頂版本体の見上げ図（上方を見上げた図）であり、（ａ）は咬合面トランスファー器具と上顎歯列模型あるいは咬合器との相対位置関係を示した図、（ｂ）は咬合面設定用機構と上顎歯列模型あるいは咬合器との相対位置関係を示した図。
【符号の説明】
【０２４０】１，１′                                バイト材
２，１０２                            バイト材保持部
３                                  接続部材
４                                  瞳孔線設定用ロッド
５，１２５，２２５，３２５，        正中線設定用ロッド
６                                  差込穴
７                                  差込部
１０，１２０，１２０ａ，１７０，２２０，２２０ａ，３２０，３２０ａ，
咬合面トランスファー器具
１１，１３１                        嵌着部
１３                                差込部固定機構
１４，１３４                        嵌着部固定機構
２５′，２７′                        側方バイト材
５０，８０，１４０，１８０，１９０，１９５，２４０，２８０，２９０，３００，３４０，３８０，３９０，４００，６００，６３０，６４０，６５０，６６０，６７０，７００，７１０，７２０，７３０，７４０，７５０，７６０，７７０，７８０，７９０，８１０                  咬合器
５１，１４１，１９６，２４１，３０１，３４１，４４１，６０１，６４１，６６１，７２１，７６１，８０１          底版
５２，１４２，１９７，２４２，３０２，３４２，４４２，６０２，６４２，６６２，６８２，７０１，７０９，７２２，７４２，７４９，７６２，７８１，７８９，７９１，８０２                    頂版本体
５３，１１３                                    頂版基部
５４，１４４，１８４，１９８，２４４，２８４，３０３，３４４，３８４，４４４，６０４，６３４，６４４，６５４，６６３，７０２，７１１，７２３，７４３，７５１，７６３，７８２，７９２，８０３    頂版
５６                                              高さ調整ロッド（支持機構）
５８ａ，５８ｂ，６１０ａ，６１０ｂ                正中線設定用ロッド溝
５９ａ，５９ｂ，２０３ａ，２０３ｂ                瞳孔線基準ライン
６０ａ，６０ｂ                                    正中線基準ライン
７１                                              上顎歯列模型
７２                                              下顎歯列模型
７３，７４                                        前歯
７５，７６，７７，７８                            上下臼歯
９１                                              ロッド孔
９３                                              固定機構
９９                                              ヒンジ
１１５                                            支持ロッド（支持機構）
１３５，３３５，                                  ロッド本体
１３６，３３６                                  突条体
１５０ａ，１５０ｂ，３５１ａ，３５１ｂ            嵌合溝
１６０，１６０ａ，２００，２１０，２６０，２６０ａ，３０５，３０６，３６０，３６０ａ，５００，５５０，                咬合面設定用器具
１６１，３６１                                    正中線ガイド用ロッド本体
１６２，３６２                                    正中線ガイド用突条体
１６３，２６３，３６３，                          正中線ガイド部材
１６４，２６４，３６４，                          昇降部材
１６５，１９３，                                  切歯ガイド部材
１６６，                                          瞳孔線ガイド部材
２５０ａ，２５０ｂ，３５０ａ，３５０ｂ            ロッド嵌合凹部
６１２                                            昇降ロッド
６１３                                            瞳孔線ガイド部材
６１４，６７３                                    切歯ガイド部材
６１５                                            貫通孔
６２０，６７４                                    咬合面設定用機構
【発明を実施するための最良の形態】
【０２４１】  以下、本発明に係る装置の実施の形態について、添付図面を参照して説明する。
なお、従来技術と実質的に同一の部品等については同一の符号を付してその説明を省略する。【０２４２】（第１実施形態）【０２４３】  図１は、本実施形態に係る咬合面トランスファー器具を示した分解斜視図である。同図でわかるように、本実施形態に係る咬合面トランスファー器具１０は、未硬化のバイト材１を咬合可能な状態で保持するバイト材保持部２と、該バイト材保持部が一端に設けられた接続部材３と、該接続部材の他端に設けられた瞳孔線設定用ロッド４と、該瞳孔線設定用ロッドに直角にかつ該瞳孔線設定用ロッドの材軸廻りに任意の角度位置で取付け自在な正中線設定用ロッド５とから構成してある。【０２４４】  ここで、接続部材３の他端には、断面が円形の差込穴６を形成してあるとともに、該差込穴に嵌合される差込部７を断面が円形になるように瞳孔線設定用ロッド４の中央近傍に突設してあり、差込部７を差込穴６に差し込むことによって、瞳孔線設定用ロッド４を接続部材３の材軸に対して直角にかつ該材軸廻りに揺動自在又は回動自在となるように構成してある。【０２４５】  さらに、差込部７が差込穴６の軸線に対して任意の角度で該差込穴内に固定されるように接続部材３に差込部固定機構１３を設けてある。【０２４６】  差込部固定機構１３は、接続部材３の周面に差込穴６と直交するように形成された第１の雌ネジ孔９と該第１の雌ネジ孔に螺合される第１の雄ネジ８とから構成してある。【０２４７】  ここで、瞳孔線設定用ロッド４を断面が円形となるように形成してあるとともに、正中線設定用ロッド５の周面には、該瞳孔線設定用ロッドに嵌着可能な嵌着部１１を取り付けてあり、嵌着状態にて正中線設定用ロッド５を瞳孔線設定用ロッド４に対して摺動自在にかつ該瞳孔線設定用ロッドの材軸廻りに揺動自在又は回動自在となるように構成してある。【０２４８】  さらに、嵌着部１１が瞳孔線設定用ロッド４に嵌着された状態にて正中線設定用ロッド５が瞳孔線設定用ロッド４の材軸廻りに所望の角度位置で固定されるように嵌着部１１に嵌着部固定機構１４を設けてある。【０２４９】  嵌着部固定機構１４は、嵌着部１１の背面側に正中線設定用ロッド５と直交するように形成された第２の雌ネジ孔１５と該第２の雌ネジ孔に螺合される第２の雄ネジ１２とで構成してある。【０２５０】  本実施形態では患者の上顎歯列用差し歯を製作する場合について説明する。【０２５１】  本実施形態に係る咬合面トランスファー器具１０を用いて患者の咬合面を記録するにあたっては、まず、歯科医師が患者の上歯をタービン等で削り、差し歯を支えるための支柱を形成する。【０２５２】  なお、自歯の利用が困難な場合には、自歯を抜き、それに代えてインプラントを上顎の骨の中に植え込み該インプラントを支柱とする。【０２５３】  次に、上述した支柱形成工程と相前後して又は同時に、必要に応じてレーザーで歯茎のラインを唇のラインに揃える。【０２５４】  図２は、本実施形態に係る咬合面トランスファー器具１０を用いて患者の咬合型を採取するとき正面図を示す。また、図３は、本実施形態に係る咬合面トランスファー器具１０を患者に装着した場合の図であり、（ａ）は正面図、（ｂ）は側面図をそれぞれ示す。【０２５５】  図２（ａ）でわかる���うに、本実施形態に係る咬合面トランスファー器具１０を用いて患者の咬合型を採取するには、まず、上顎歯列２８のうち、左臼歯の支柱２１に仮歯２２を差し込み、かかる状態にて右上顎歯列臼歯の支柱２３と右下顎歯列臼歯２４とで未硬化の側方バイト材２５を咬ませ右側の上下臼歯２３，２４の咬合型取りを行う。【０２５６】  このようにすると、例えば左側で仮歯２２と左下顎歯列臼歯２６とを噛合させる、言い換えれば、上顎歯列２８及び下顎歯列２９を左側で正常に噛み合わされた状態で、他方である右側の上下臼歯２３，２４の咬合型取りを行うことができる。【０２５７】  次に、図２（ｂ）でわかるように、右側の上下臼歯に咬ませた側方バイト材２５の硬化後、仮歯２２が被せられた左臼歯の支柱２１から該仮歯を外すとともに、右側の上下臼歯２３，２４の咬合型が圧痕された側方バイト材２５’をその咬合型に合わせて再び右側の上下臼歯２３，２４に咬ませ、かかる状態で、左臼歯の支柱２１と左下顎歯列臼歯２６に未硬化の側方バイト材２７を咬ませて左側の上下臼歯の咬合型取りを行う。【０２５８】  なお、右側の上下臼歯２３，２４に咬ませた側方バイト材２５’は硬化しているため、左臼歯の支柱２１に被せた仮歯２２を該支柱から外しても、上顎歯列２８と下顎歯列２９との正常な噛み合わさ状態が阻害されることはない。【０２５９】  次に、図２（ｃ）でわかるように、左側の上下臼歯２１，２６に咬ませた側方バイト材２７の硬化後、右側の上下臼歯２３，２４の咬合型が圧痕された側方バイト材２５’を該咬合型に合わせて右側の上下臼歯２３，２４に咬ませるとともに、左側の上下臼歯２１，２６の咬合型が圧痕された側方バイト材２７’を該咬合型に合わせて左側の上下臼歯２３，２４に咬ませ、かかる状態にて未硬化のバイト材１を上顎前歯３１と下顎前歯３２とで咬ませる。かかる未硬化のバイト材１は、咬合面トランスファー器具１０を構成する接続部材３の一端に設けられたバイト材保持部２に例えば貫入等によって予め保持してある。【０２６０】  なお、バイト材１を咬ませるにあたっては、咬合面トランスファー器具１０を構成する瞳孔線設定用ロッド４が患者の顔面に対して平行となるように該バイト材を患者の上顎前歯３１及び下顎前歯３２に咬ませるようにする。【０２６１】  次に、図３でわかるように、上顎前歯３１と下顎前歯３２とで咬ませたバイト材１が硬化した後、接続部材３の差込穴６に差込部７を嵌合することで該接続部材に取付けられた瞳孔線設定用ロッド４を該接続部材の材軸回りに揺動又は回動させることで、瞳孔線設定用ロッド４を患者の瞳孔線４１に対して平行に位置決めし、かかる位置にて第１の雄ネジ８を第１の雌ネジ穴９に螺合することによって瞳孔線設定用ロッド４を接続部材３に固定する。【０２６２】  なお、バイト材１が完全に硬化せずとも瞳孔線設定用ロッド４の揺動又は回転による位置決めが変化しないのであれば、完全硬化を待つ必要はない。【０２６３】  ここで、審美的な歯列とは、その歯列弓が両瞳孔を結ぶ線である瞳孔線４１と平行であるとともに歯茎からの生え方が額と顎を結ぶ線４２に平行であり、かつ上顎両切歯間が瞳孔線４１とその中点にて直角に交わる正中線４３上に位置することである。【０２６４】  したがって、上述したように瞳孔線設定用ロッド４を位置決めすると、瞳孔線４１と平行な線が瞳孔線設定用ロッド４に記録され、患者の審美的な咬合面の決定条件のうちの一つが定まることになる。【０２６５】  次に、上顎前歯３１及び下顎前歯３２にバイト材保持部２に保持され硬化したバイト材１’を咬ませた状態を保ったまま、咬合面トランスファー器具１０を構成する正中線設定用ロッド５を患者の正中線４３に沿うように瞳孔線設定用ロッド４に直角にかつ、正中線設定用ロッド５が額と顎とを結ぶ線４２に対して平行になるように正中線設定用ロッド５の周面に取り付けられた嵌着部１１を瞳孔線設定用ロッド４に嵌着し、かかる状態にて第２の雄ネジ１２を第２の雌ネジに螺合することで正中線設定用ロッド５を瞳孔線設定用ロッド４に固定する。【０２６６】  このようにすると、患者の審美的な咬合面の決定条件のうち、もう一つの条件が定まる、すなわち、正中線４３に沿うとともに額と顎とを結ぶ線４２に平行な線が正中線設定用ロッド５に記録されることができる。【０２６７】  なお、適当な時期、例えば支柱が形成された後に、未硬化状態の印象材、例えばシリコンラバー印象材や歯科用寒天印象材を上顎歯列２８（図２参照）及び下顎歯列２９（図２参照）にそれぞれあてがって、該上顎歯列及び該下顎歯列の型取りをそれぞれ行い、従来の方法により上顎歯列模型７１（図５参照）及び下顎歯列模型７２（図５参照）をそれぞれ製作しておく。【０２６８】  以上説明したように本実施形態に係る咬合面トランスファー器具１０によれば、未硬化のバイト材１を咬合可能な状態で保持するバイト材保持部２と、該バイト材保持部が一端に設けられた接続部材３と、該接続部材の他端に設けられた瞳孔線設定用ロッド４と、該瞳孔線設定用ロッドに直角にかつ該瞳孔線設定用ロッドの材軸廻りに任意の角度位置で取付け自在な正中線設定用ロッド５とからなり、接続部材３の他端に断面が円形の差込穴６を形成してあるとともに、該差込穴に嵌合される差込部７を断面が円形になるように瞳孔線設定用ロッド４の中央近傍に突設し、加えて、差込部７が差込穴６の軸線に対して任意の角度で該差込穴内に固定されるように接続部材３に差込部固定機構を設けるようにしたので、患者の上顎前歯３１と下顎前歯３２とで咬ませたバイト材１が硬化した後、接続部材３に取付けられた瞳孔線設定用ロッド４を該接続部材の材軸回りに揺動又は回動させることで、瞳孔線設定用ロッド４を患者の瞳孔線４１に対して平行に位置決めし、かかる位置にて瞳孔線設定用ロッド４を接続部材３に固定することが可能となる。【０２６９】  そのため、患者の瞳孔線４１と平行な線が瞳孔線設定用ロッド４に記録され、患者の審美的な咬合面の決定条件のうちの一つが定まることになる。【０２７０】  また、本実施形態に係る咬合面トランスファー器具１０によれば、瞳孔線設定用ロッド４を断面が円形となるように形成してあるとともに、該瞳孔線設定用ロッドに嵌着可能な嵌着部１１を正中線設定用ロッド５の周面に取り付けてあり、嵌着状態にて正中線設定用ロッド５を瞳孔線設定用ロッド４に対して摺動自在にかつ該瞳孔線設定用ロッドの材軸廻りに揺動自在又は回動自在となるように構成���、嵌着部１１が瞳孔線設定用ロッド４に嵌着された状態にて正中線設定用ロッド５が瞳孔線設定用ロッド４の材軸廻りに所望の角度位置で固定されるように嵌着部１１に嵌着部固定機構を設けるようにしたので、上顎前歯３１及び下顎前歯３２にバイト材保持部２に保持され硬化したバイト材１’を咬ませた状態を保ったまま、正中線設定用ロッド５を患者の正中線４３に沿うように瞳孔線設定用ロッド４に直角にかつ、正中線設定用ロッド５が額と顎とを結ぶ線４２に対して平行になるように正中線設定用ロッド５の周面に取り付けられた嵌着部１１を瞳孔線設定用ロッド４に嵌着し、かかる状態にて正中線設定用ロッド５を瞳孔線設定用ロッド４に固定することが可能となる。【０２７１】  そのため、患者の審美的な咬合面の決定条件のうち、もう一つの条件が定まる、すなわち、正中線４３に沿うとともに額と顎とを結ぶ線４２に平行な線が正中線設定用ロッド５に記録されることとなり、かくして、本実施形態に係る咬合面トランスファー器具１０によって、患者の審美的な咬合面を記録することが可能となり、患者に適応した咬合面を再現することができる。【０２７２】  本実施形態では、接続部材３の周面に差込穴６と直交するように第１の雌ネジ孔９を形成し、第１の雄ネジ８を該第１の雌ネジ孔に螺合するようにしたが、瞳孔線設定用ロッド４の差込部７が接続部材３の差込穴６の軸線に対して任意の角度で該差込穴内に固定されればどのようにしてもよく、例えば、差込穴６内に接着剤を注入して該差込穴に差込部７を嵌合するようにしてもよい。【０２７３】  また、本実施形態では、嵌着部１１の背面側に正中線設定用ロッド５と直交するように第２の雌ネジ孔（図示せず）を形成し、第２の雄ネジ１２を該第２の雌ネジ孔に螺合するようにしたが、嵌着部１１が瞳孔線設定用ロッド４の任意位置にて固定されればどのようにしてもよく、例えば、接着剤によって嵌着部１１を瞳孔線設定用ロッド４に固定するようにしてもよい。【０２７４】（第２実施形態）【０２７５】  次に、第２実施形態について説明する。まず、上述の実施形態と実質的に同一の部品等については同一の符号を付してその説明を省略する。【０２７６】  図４は本実施形態に係る咬合器５０の斜視図を示したものである。また、図５、図６は、同じく咬合器５０の正面図、側面図をそれぞれ示したものである。【０２７７】  同図でわかるように、本実施形態に係る咬合器５０は、上面に下顎歯列模型７２が固着される底版５１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版５４とから構成してあり、頂版５４は、前方に向けて高さ調整ロッド５６に片持ち状に取り付けてある。【０２７８】  ここで、底版５１及び頂版５４は、互いに平行に対向させてあるとともに両前方側端面が底版５１に対する垂直面上に位置するように構成してあり、底版５１の上面には下顎歯列模型７２を、頂版５４の下面には上顎歯列模型７１をそれぞれ固着することができるようになっている。【０２７９】  底版５１及び頂版５４は、例えば所定の厚みを有する矩形状の鋼板で構成することが可能であり、底版５１の上面と頂版５４の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０２８０】  また、底版５１の後方側縁部に沿って互いに離間させた状態で一対の高さ調整ロッド５６を立設してあり、頂版５４は、高さ調整ロッド５６，５６が挿通される２つのロッド孔９１，９１が両端部に形成されてなる頂版基部５３と該頂版基部にヒンジ（図示せず）を介して連結された頂版本体５２とから構成してある。かかる構成により、頂版５４全体を高さ調整ロッド５６に沿って昇降させることができるとともに、頂版本体５２を頂版基部５３の廻りに回転させて該頂版本体の上面及び下面を反転させることができるようになっている。【０２８１】  また、頂版５４は、上述したようにその頂版本体５２を頂版基部５３の廻りに回転させることができるようになっているが、頂版本体５２の後方端面と頂版基部５３とが当接することで頂版本体５２の回転が制限され、かかる状態において、該頂版本体は、底版５１に対して水平前方に向けて片持ち状になるように構成してある。【０２８２】  頂版基部５３の長手方向両端面には、第３の雌ネジ孔９２，９２と該第３の雌ネジ孔に螺合される第３の雄ネジ５７，５７とからなる固定機構９３を設けてあり、頂版基部５３、ひいては頂版５４全体を高さ調整ロッド５６，５６の所望位置に固定することができるようになっている。【０２８３】  このように、頂版本体５２が水平前方に向いた位置で回転拘束されるとともに、頂版５４全体を高さ調整ロッド５６，５６の所望位置に固定することができるようになっていることにより、固着後においてバイト材１’及び２つの側方バイト材２５’，２７’を撤去する際、該撤去の前後で底版５１と頂版本体５２との相対位置関係を保持することができるとともに、反転の前後で底版５１と頂版本体５２との相対位置関係を保持することができる。【０２８４】  加えて、底版５１及び頂版本体５２の前方側端面には、正中線設定用ロッド５が嵌合される正中線設定用ロッド溝５８ａ，５８ｂをそれぞれ形成してあるとともに、正中線設定用ロッド５を正中線設定用ロッド溝５８ａ，５８ｂにそれぞれ嵌合したとき、正中線設定用ロッド５が垂直となるように正中線設定用ロッド溝５８ａ，５８ｂを同じ深さにしてある。【０２８５】  また、正中線設定用ロッド溝５８ａ，５８ｂの内面には、底版５１と垂直な正中線基準ライン６０ａ，６０ｂをそれぞれ設けてあるとともに、頂版本体５２及び底版５１の前方側端面には、正中線基準ライン６０ａ，６０ｂと直角な瞳孔線基準ライン５９ａ，５９ｂをそれぞれ設けてある。【０２８６】  本実施形態に係る咬合器５０においては、咬合面トランスファー器具１０を構成するバイト材保持部２に保持された硬化済みのバイト材１’を該バイト材に圧痕された咬合型に合わせて上顎歯列模型７１の前歯７３と下顎歯列模型７２の前歯７４とで咬ませるとともに、右側の上下臼歯７５，７６の咬合型が圧痕された側方バイト材２５’及び左側の上下臼歯７７，７８の咬合型が圧痕された側方バイト材２７’を各咬合型に���わせて上顎歯列模型７１及び下顎歯列模型７２の両側方にそれぞれ咬ませ、かかる状態で咬合面トランスファー器具１０を構成する正中線設定用ロッド５を底版５１及び頂版本体５２の両前方側端面にて該底版に垂直にそれぞれ形成された正中線設定用ロッド溝５８ａ，５８ｂにそれぞれ嵌合して下顎歯列模型を底版の上面に、上顎歯列模型を頂版の下面にそれぞれ固着する。【０２８７】  このようにすると、正中線設定用ロッド５は底版５１に対して垂直となり、かつ、咬合面トランスファー器具１０を構成する瞳孔線設定用ロッド４は、正中線設定用ロッド５に直角であるため、おのずと底版５１に対して水平となる。加えて、患者の正面、すなわち額と顎からの距離が同一の仮想面を底版に対する垂直面として咬合器に移すことができる。【０２８８】  次に、かかる位置にて頂版基部５３に形成された一対の第３の雌ネジ孔９２，９２に第３の雄ネジ５７，５７をそれぞれ螺合し、頂版基部５３を高さ調整ロッド５６，５６にそれぞれ固定する。【０２８９】  次に、上顎歯列模型７１及び下顎歯列模型７２で咬まされたバイト材１’及び２つの側方バイト材２５’，２７’をそれぞれ撤去する。【０２９０】  以降、第３実施形態で述べる咬合面トランスファー器具１０及び咬合器５０を用いた差し歯の製作方法に従って差し歯を製作するが、かかる差し歯の製作にあたっては、正中線基準ライン６０ａ，６０ｂを用いることによって、切歯７９ａ，７９ｂの間がちょうど正中線に一致するように該切歯を製作する。【０２９１】  また、咬合面が瞳孔線基準ライン５９ａ，５９ｂに平行になるように差し歯を製作する。【０２９２】  以上説明したように、本実施形態に係る咬合器５０によれば、上顎歯列模型７１及び下顎歯列模型７２にバイト材１’及び２つの側方バイト材２５’，２７’を咬ませた状態で正中線設定用ロッド５を頂版本体５２及び底版５１の前方側端面にそれぞれ形成された正中線設定用ロッド溝５８ａ，５８ｂにそれぞれ嵌合し、下顎歯列模型７２を底版５１の上面に、上顎歯列模型７１を頂版本体５２の下面にそれぞれ固着するようにしたので、上顎歯列模型７１及び下顎歯列模型７２を患者の口腔内における歯列と同じ三次元上の絶対座標位置に据え付けることが可能となる。【０２９３】  また、本実施形態に係る咬合器５０によれば、固着後においてバイト材１’及び２つの側方バイト材２５’，２７’を撤去する際、該撤去の前後で底版５１と頂版５４との相対位置関係が保持されるように、かつ反転の前後で底版５１と頂版５４との相対位置関係が保持されるように頂版５４及び高さ調整ロッド５６，５６を構成したので、バイト材１’及び２つの側方バイト材２５’，２７’を取り去った後も、下顎歯列模型７２と上顎歯列模型７１との間隔は何ら変化しない。【０２９４】  したがって、正常な咬合が行われる相対位置関係において差し歯を製作することが可能となるとともに、差し歯の製作中、咬合状態を随時チェックすべく、頂版５４を構成する頂版本体５２を頂版基部５３に対して元通り回転させても、下顎歯列模型７２と上顎歯列模型７１との相対位置関係は何ら変化しないため、差し歯の製作中において正常な咬合が行われているかどうかを随時チェックすることが可能となる。【０２９５】  また、本実施形態に係る咬合器５０によれば、底版５１及び頂版本体５２の前方側端面に所定の瞳孔線基準ライン５９ａ，５９ｂを底版５１に対して平行に設けるようにしたので、差し歯を製作する際、咬合面を瞳孔線基準ライン５９ａ，５９ｂに合わせることで、精度の高い差し歯を製作することが可能となる。【０２９６】  また、本実施形態に係る咬合器５０によれば、底版５１及び頂版本体５２の両前方側端面にてそれぞれ形成された正中線設定用ロッド溝５８ａ，５８ｂの内面に底版５１と垂直に正中線基準ライン６０ａ，６０ｂをそれぞれ設けるようにしたので、切歯７９ａ，７９ｂの間にちょうど正中線基準ライン６０ａ，６０ｂがくるように該切歯を製作することにより、より整った歯列、言い換えれば審美的な歯列となるように差し歯を製作することが可能となる。【０２９７】  本実施形態では、底版５１及び頂版本体５２の両前方側端面に所定の瞳孔線基準ライン５９ａ，５９ｂを底版５１に対して平行に設けるとともに、底版５１及び頂版本体５２の両前方側端面にてそれぞれ形成された正中線設定用ロッド溝５８ａ，５８ｂの内面に底版５１と垂直に正中線基準ライン６０ａ，６０ｂをそれぞれ設けるようにしたが、これを省略し、咬合面を底版５１に合わせるとともに、切歯７９ａ，７９ｂの間を正中線設定用ロッド溝５８ａ，５８ｂの中心に合わせるようにしてもよい。【０２９８】  また、本実施形態では、底版５１及び頂版本体５２の両前方側端面に正中線設定用ロッド溝５８ａ，５８ｂをそれぞれ形成するようにしたが、図７に示す咬合器８０の斜視図でわかるように、これを省略し、正中線設定用ロッド５が底版５１に垂直になるように下顎歯列模型７２及び上顎歯列模型７１を底版５１の上面と頂版本体５２の下面にそれぞれ固着するようにしてもよい。【０２９９】（第３実施形態）【０３００】  次に、第３実施形態について説明する。まず、上述の実施形態と実質的に同一の部品等については同一の符号を付してその説明を省略する。【０３０１】  第１実施形態に係る咬合面トランスファー器具１０及び第２実施形態に係る咬合器５０を用いて上顎歯列用差し歯を製作するにあたっては、まず、患者の瞳孔線及び正中線が記録された咬合面トランスファー器具１０のバイト材保持部２に保持された硬化済みのバイト材１’を該バイト材に圧痕された咬合型に合わせて上顎歯列模型７１の前歯７３と下顎歯列模型７２の前歯７４とで咬ませる（ステップ１０１）。【０３０２】  次に、かかる作業と相前後して又は同時に、両側方における上下臼歯７５，７６，７７，７８の咬合型が圧痕された２つの側方バイト材２５’，２７’を該咬合型に合わせて上顎歯列模型７１及び下顎歯列模型７２の両側方にそれぞれ咬ませる（ステップ１０２）。【０３０３】  かかる状態で咬合面トランスファー器具１０を構成する正中線設定用ロッド５を底版５１及び頂版本体５２の両前方側端面にて該底版に垂直にそれぞれ形成された正中線設定用ロッド溝５８ａ，５８ｂにそれぞれ嵌合して下顎歯列模型を底版の上面に、上顎歯列模型を頂版の下面にそれぞれ固着する（ステップ１０３）。【０３０４】  このようにすると、正中線設定用ロッド５は底版５１に対して垂直となり、かつ、咬合面トランスファー器具１０を構成する瞳孔線設定用ロッド４は、正中線設定用ロッド５に直角であるため、おのずと底版５１に対して水平となる。加えて、患者の正面、すなわち額と顎からの距離が同一の仮想面を底版に対する垂直面として咬合器に移すことができる。【０３０５】  次に、かかる位置にて頂版基部５３に形成された一対の第３の雌ネジ孔９２，９２に第３の雄ネジ５７，５７をそれぞれ螺合し、頂版基部５３を高さ調整ロッド５６，５６にそれぞれ固定する（ステップ１０４）。【０３０６】  次に、上顎歯列模型７１及び下顎歯列模型７２で咬まされたバイト材１’及び２つの側方バイト材２５’，２７’をそれぞれ撤去する（ステップ１０５）。【０３０７】  次に、頂版本体５２を頂版基部５３に対して該頂版基部廻りに上面が該頂版基部の上面に当接するまで反転させる（ステップ１０６）。【０３０８】  かかる状態にて、咬合面が瞳孔線基準ライン５９ａ，５９ｂに平行になるように、かつ、切歯７９ａ，７９ｂの間がちょうど正中線基準ライン６０ａ，６０ｂに一致するように該切歯を製作する（ステップ１０７）。【０３０９】  ここで、上述した方法を用いて上顎歯列用差し歯を製作するにあたっては、従来の手法を用いればよいが、人に自然な笑顔を作り出す上で最も重要な要因は上顎歯列２８であるため、特に下顎歯列模型７２との噛み合わせは見ず、あくまで見た目的に患者に合った審美的な上顎歯列用差し歯を形成する。【０３１０】  以上説明したように、本実施形態に係る上顎歯列用差し歯製作方法によれば、上顎歯列模型７１及び下顎歯列模型７２にバイト材１’及び２つの側方バイト材２５’，２７’を咬ませた状態で正中線設定用ロッド５を頂版本体５２及び底版５１の前方側端面にそれぞれ形成された正中線設定用ロッド溝５８ａ，５８ｂにそれぞれ嵌合し、下顎歯列模型７２を底版５１の上面に、上顎歯列模型７１を頂版本体５２の下面にそれぞれ固着するようにしたので、上顎歯列模型７１及び下顎歯列模型７２を患者の口腔内における歯列と同じ三次元上の絶対座標位置に据え付けることが可能となる。【０３１１】  また、本実施形態に係る上顎歯列用差し歯製作方法によれば、固着後においてバイト材１’及び２つの側方バイト材２５’，２７’を撤去する際、該撤去の前後で底版５１と頂版５４との相対位置関係が保持されるように、かつ反転の前後で底版５１と頂版５４との相対位置関係が保持されるように咬合器５０の頂版５４及び高さ調整ロッド５６，５６を構成したので、バイト材１’及び２つの側方バイト材２５’，２７’を取り去った後も、下顎歯列模型７２と上顎歯列模型７１との間隔は何ら変化しない。【０３１２】  したがって、正常な咬合が行われる相対位置関係において上顎歯列用差し歯を製作することが可能となるとともに、上顎歯列用差し歯の製作中、咬合状態を随時チェックすべく、頂版５４を構成する頂版本体５２を頂版基部５３に対して元通り回転させても、下顎歯列模型７２と上顎歯列模型７１との相対位置関係は何ら変化しないため、上顎歯列用差し歯の製作中において正常な咬合が行われているかどうかを随時チェックすることが可能となる。【０３１３】  また、本実施形態に係る上顎歯列用差し歯製作方法によれば、咬合器５０の底版５１及び頂版本体５２の前方側端面に所定の瞳孔線基準ライン５９ａ，５９ｂを底版５１に対して平行に設けるようにしたので、上顎歯列用差し歯を製作する際、咬合面を瞳孔線基準ライン５９ａ，５９ｂに合わせることで、精度の高い差し歯を製作することが可能となる。【０３１４】  また、本実施形態に係る上顎歯列用差し歯製作方法によれば、咬合器５０の底版５１及び頂版本体５２の両前方側端面にてそれぞれ形成された正中線設定用ロッド溝５８ａ，５８ｂの内面に底版５１と垂直に正中線基準ライン６０ａ，６０ｂをそれぞれ設けるようにしたので、切歯７９ａ，７９ｂの間にちょうど正中線基準ライン６０ａ，６０ｂがくるように該切歯を製作することにより、より整った歯列、言い換えれば審美的な歯列となるように上顎歯列用差し歯を製作することが可能となる。【０３１５】（第４実施形態）【０３１６】  次に、第４実施形態について説明する。なお、上述の実施形態と実質的に同一の部品等については同一の符号を付してその説明を省略する。【０３１７】  図９は、本実施形態に係る咬合面トランスファー器具を示した図であり、（ａ）は分解斜視図、（ｂ）は断面図である。同図でわかるように、本実施形態に係る咬合面トランスファー器具１２０は、未硬化のバイト材１を咬合可能な状態で保持するバイト材保持部２と、該バイト材保持部が一端に取り付けられた接続部材３と、該接続部材の他端に設けられた瞳孔線設定用ロッド４と、該瞳孔線設定用ロッドに直角にかつ該瞳孔線設定用ロッドの材軸廻りに任意の角度位置で取付け自在な正中線設定用ロッド１２５とからなり、瞳孔線設定用ロッド４は、接続部材３の材軸に対して直角にかつ該材軸廻りに揺動自在又は回動自在となるようにその中央近傍で接続部材３に取り付けられるように構成してある。【０３１８】  なお、接続部材３及び瞳孔線設定用ロッド４の構成については、第１実施形態ですでに述べたので、ここではその説明を省略する。【０３１９】  ここで、正中線設定用ロッド１２５は、断面が円形で径が３ｍｍ程度のロッド本体１３５と該ロッド本体の周面であってその材軸に沿って突設された断面が矩形状の突条体１３６から構成してあり、いずれもプラスチックで構成してある。【０３２０】  正中線設定用ロッド１２５は、その中央近傍に瞳孔線設定用ロッド４に嵌着可能な嵌着部１３１を取り付けてあり、該嵌着部を介して瞳孔線設定用ロッド４に着脱自在に取り付けることができるようになっている。【０３２１】  嵌着部１３１及び瞳孔線設定用ロッド４は、瞳孔線設定用ロッド４に正中線設定用ロッド１２５が取り付けられたとき、正中線設定用ロッド１２５が瞳孔線設定用ロッド４に沿って摺動自在かつその材軸廻りに回動自在となるように構成してある。【０３２２】  ここで、正中線設定用ロッド１２５及び嵌着部１３１は、該正中線設定用ロッドを瞳孔線設定用ロッド４に取り付けたときに突条体１３６の突設方向が瞳孔線設定用ロッド４の材軸に対して直角になるように構成してある。換言すれば、瞳孔線設定用ロッド４の材軸が正中線設定用ロッド１２５の突条体を含む突条平面と直交するように正中線設定用ロッド１２５及び嵌着部１３１を構成してある。【０３２��】  嵌着部１３１には、該嵌着部が瞳孔線設定用ロッド４に嵌着された状態にて正中線設定用ロッド１２５が瞳孔線設定用ロッド４の材軸廻りに所望の角度位置で固定されるように嵌着部固定機構１３４を設けてある。【０３２４】  嵌着部固定機構１３４は、嵌着部１３１の背面側に正中線設定用ロッド１２５と直交するように形成された第２の雌ネジ孔１３３と該第２の雌ネジ孔に螺合される第２の雄ネジ１３２とで構成してある。【０３２５】  図１０は本実施形態に係る咬合器を示した図であり、（ａ）は斜視図、（ｂ）は咬合器の前方側周辺の詳細断面図である。図１１は、本実施形態に係る咬合器の側面図を示す。これらの図でわかるように、本実施形態に係る咬合器１４０は、上面に下顎歯列模型７２が固着される底版１４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版１４４とから構成してあり、頂版１４４は、前方に向けて高さ調整ロッド５６，５６に片持ち状に取り付けてある。【０３２６】  ここで、底版１４１及び頂版１４４は、互いに平行に対向させてあるとともに両前方側端面が底版１４１に対する垂直面上に位置するように構成してあり、底版１４１の上面には下顎歯列模型７２を、頂版１４４の下面には上顎歯列模型７１をそれぞれ固着することができるようになっている。【０３２７】  底版１４１及び頂版１４４は、例えば所定の厚みを有する矩形状の鋼板で構成することが可能であり、底版１４１の上面と頂版１４４の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０３２８】  また、底版１４１の後方側縁部に沿って互いに離間させた状態で一対の高さ調整ロッド５６，５６を立設してあり、頂版１４４は、高さ調整ロッド５６，５６が挿通される２つのロッド孔９１，９１が両端部に形成されてなる頂版基部５３と該頂版基部にヒンジ９９，９９を介して連結された頂版本体１４２とから構成してある。かかる構成により、頂版１４４全体を高さ調整ロッド５６，５６に沿って昇降させることができるとともに、頂版本体１４２を頂版基部５３の廻りに回転させて該頂版本体の上面及び下面を反転させることができるようになっている。【０３２９】  また、頂版１４４は、上述したようにその頂版本体１４２を頂版基部５３の廻りに回転させることができるようになっているが、頂版本体１４２の後方端面と頂版基部５３とが当接することで頂版本体１４２の回転が制限され、かかる状態において、該頂版本体は、底版１４１に対して水平前方に向けて片持ち状になるように構成してある。【０３３０】  このように、頂版本体１４２が水平前方に向いた位置で回転拘束されるようになっていることにより、頂版本体１４２の上面及び下面の反転の前後で底版１４１と頂版１４４との相対位置関係を保持することができる。【０３３１】  また、頂版基部５３の長手方向両端面には、固定機構９３，９３を設けてあり、頂版基部５３、ひいては頂版１４４全体を高��調整ロッド５６，５６の所望位置に固定することができるようになっているが、かかる構成については第２実施形態ですでに述べたので省略する。【０３３２】  ここで、本実施形態に係る咬合器１４０は、底版１４１と頂版１４４の前方側端面に正中線設定用ロッド１２５の突条体１３６が着脱自在に嵌合される嵌合溝１５０ａ、嵌合溝１５０ｂをそれぞれ形成してあるとともに、該２つの嵌合溝を底版１４１に対する同一の垂直線上にそれぞれ形成してあり、突条体１３６を嵌合溝１５０ａ，１５０ｂに嵌合したとき、正中線設定用ロッド１２５が底版１４１に対して垂直になり、かつ正中線設定用ロッド１２５が底版１４１に対して垂直な軸線廻りに対し特定の角度に位置決めされた状態で仮固定されるように嵌合溝１５０ａ，１５０ｂを構成してある。【０３３３】  一方、上述したように正中線設定用ロッド１２５及び嵌着部１３１は、該正中線設定用ロッドを瞳孔線設定用ロッド４に取り付けたときに突条体１３６の突設方向が瞳孔線設定用ロッド４の材軸に対して直角になるように構成してある。【０３３４】  したがって、かかる突条体１３６を嵌合溝１５０ａ，１５０ｂに嵌合することにより、正中線設定用ロッド１２５及び瞳孔線設定用ロッド４は、底版１４１及び頂版１４４の前方側縁部で構成される平面、換言すれば咬合器１４０の正面と平行になるように取り付けられることとなり、後述する咬合面設定用器具１６０との併用によって、差し歯の製作を高精度に行うことができることとなる。【０３３５】  なお、嵌合溝１５０ａ，１５０ｂへの正中線設定用ロッド１２５の着脱を行うにあたって、取付け時には所定の強度で仮固定されるように、かつ取外し時には例えば手で手前に引く程度の力で外れるように、突条体１３６の外寸と嵌合溝１５０ａ，１５０ｂの内寸とを適宜調整しておく。【０３３６】  図１２は、本実施形態に係る咬合面設定用器具１６０を示した図であり、（ａ）は斜視図、（ｂ）は断面図である。図１３は、咬合面設定用器具１６０と咬合面トランスファー器具１２０との関係を示した図であり、（ａ）は咬合面設定用器具１６０の断面図、（ｂ）は咬合面トランスファー器具１２０の断面図である。【０３３７】  これらの図からわかるように、本実施形態に係る咬合面設定用器具１６０は、所定の正中線ガイド部材１６３と、該正中線ガイド部材に沿って昇降自在に取り付けられた昇降部材１６４と、該昇降部材に正中線ガイド部材１６３と直角になるように突設された切歯ガイド部材１６５と、該切歯ガイド部材にその材軸及び正中線ガイド部材１６３の材軸に直角に中央近傍が取り付けられた瞳孔線ガイド部材１６６とから構成してある。【０３３８】  昇降部材１６４を正中線ガイド部材１６３の所望の高さに固定する手段は公知の技術を適宜選択すればよい。【０３３９】  ここで、正中線ガイド部材１６３は、断面が円形の正中線ガイド用ロッド本体１６１と、該正中線ガイド用ロッド本体の周面であってその材軸に沿って突設されかつ断面形状が咬合面トランスファー器具１２０を構成する正中線設定用ロッド１２５の突条体１３６の断面形状と同一となるように形成された正中線ガイド用突条体１６２とから構成してあり、いずれもプラスチックで形成してある���【０３４０】  また、瞳孔線ガイド部材１６６は図１３でよくわかるように、正中線ガイド用突条体１６２の突設方向に対する該瞳孔線ガイド部材の配置角度α１が突条体１３６の突設方向に対する瞳孔線設定用ロッド４の配置角度と同じ角度α１となるように正中線ガイド部材１６３に対して位置決めしてある。つまり、本実施形態に係る咬合面設定用器具１６０は、かかる配置角度になるように切歯ガイド部材１６５を昇降部材１６４の周面に突設して構成してある。ちなみに、本実施形態では、α１は９０°に設定してある。【０３４１】  次に、本実施形態に係る咬合面トランスファー器具１２０、咬合器１４０及び咬合面設定用器具１６０を用いて差し歯を製作する手順を、患者の上顎歯列用差し歯を製作する場合を例として説明する。【０３４２】  上述した手順で患者の上顎歯列用差し歯を製作するにあたっては、まず、患者の口腔内における咬合面を患者の瞳孔線４１、正中線４３及び特定正中線４２という形で咬合面トランスファー器具１２０に記録し、次いで、これら瞳孔線４１、正中線４３及び特定正中線４２が記録された咬合面トランスファー器具１２０を用いて上顎歯列模型７１及び下顎歯列模型７２を咬合器１４０に固着し、しかる後、咬合面設定用器具１６０を咬合器１４０に取り付け、かかる状態で上顎歯列模型７１及び下顎歯列模型７２を用いて上顎歯列用差し歯を製作する。【０３４３】  以下、その具体的手順を詳細に説明する。【０３４４】  咬合面トランスファー器具１２０を用いて患者の咬合面を記録するにあたっては、まず、歯科医師が患者の上歯をタービン等で削り、差し歯を支えるための支柱を形成する。なお、自歯の利用が困難な場合には、自歯を抜き、それに代えてインプラントを上顎の骨の中に植え込み該インプラントを支柱とする。【０３４５】  次に、第１実施形態で述べたように、２つの未硬化の側方バイト材２５，２７によって患者の右側の上下臼歯２３，２４及び左側の上下臼歯２１，２６の咬合型取りを行い、次いで、硬化後の側方バイト材２５′，２７′を用いて上顎前歯３１と下顎前歯３２との咬合型取りを未硬化のバイト材１で行う。【０３４６】  側方バイト材２５，２７は、例えば即時重合レジンを用いればよく、バイト材１は、歯科用ゴム質弾性印象材（パテタイプ）を用いるのがよい。【０３４７】  次に、バイト材１がバイト材１′として硬化した後、図１４に示すようにバイト材１′に貫入されたバイト材保持部２（図９参照）に接続部材３を介して取付けられた瞳孔線設定用ロッド４を該接続部材の材軸回りに回動させることで、瞳孔線設定用ロッド４を患者の瞳孔線４１に対して平行に位置決めする。【０３４８】  次に、第１実施形態と同様、差込部固定機構１３を構成する第１の雄ネジ８を回すことにより、接続部材３の差込穴６に差し込まれた瞳孔線設定用ロッド４の差込部７を上述した位置にて固定する（図９参照）。【０３４９】  なお、バイト材１が完全に硬化せずとも瞳孔線設定用ロッド４の揺動又は回転による位置決めが変化しないのであれば、完全硬化を待つ必要はない。【０３５０】  審美的な歯列の一つの条件は、その歯列弓、すなわち咬合面が両瞳孔を結ぶ線である瞳孔線４１と平行であることである。【０３５１】  したがって、上述したように瞳孔線設定用ロッド４を位置決めすると、第１実施形態で述べたように、上顎歯列２８と下顎歯列２９との咬合面に対する相対位置関係として瞳孔線４１が瞳孔線設定用ロッド４に記録され、患者の審美的な咬合面の決定条件のうちの一つが定まることになる。【０３５２】  次に、図１５に示すように第１実施形態と同様、上顎前歯３１及び下顎前歯３２に硬化したバイト材１′を咬ませた状態を保ったまま、患者の顔面を正面から見たときに正中線設定用ロッド１２５が正中線４３に一致するように、かつ特定正中線４２に平行になるように、つまり正中線設定用ロッド１２５と額との距離Ｄ３及び正中線設定用ロッド１２５と顎との距離Ｄ４が同じになるように、嵌着部１３１を介して正中線設定用ロッド１２５を瞳孔線設定用ロッド４に取り付け、しかる後、取り付けられた正中線設定用ロッド１２５を瞳孔線設定用ロッド４に沿って適宜移動させ、あるいは適宜その材軸廻りに回転させることで位置決めを行う。【０３５３】  次に、かかる状態にて第２の雄ネジ１３２を第２の雌ネジ孔１３３（図９参照）に螺合することで正中線設定用ロッド１２５を瞳孔線設定用ロッド４に固定する。【０３５４】  ここで、審美的な歯列の二つ目の条件は、患者の顔面を正面から見たとき、図１５に示すように瞳孔線４１とその中点にて直角に交わる正中線４３上に上顎両切歯間が位置することであるとともに、それらに加えて、額と顎とを結ぶ線、すなわち特定正中線４２に歯茎からの生え方が平行であることであるが、上述したように、正中線設定用ロッド１２５を瞳孔線設定用ロッド４に固定すると、正中線４３が正中線設定用ロッド１２５に記録されるとともに、特定正中線４２が正中線４３と同様に瞳孔線設定用ロッド４に対する相対位置関係として正中線設定用ロッド１２５に記録されることとなるため、患者の審美的な咬合面の決定条件のうちの二つ目が定まることになる。【０３５５】  なお、上顎前歯３１及び下顎前歯３２でバイト材１を咬ませる際、当然ながら該バイト材のどの箇所を咬むかという意味で前後左右にばらつきが生じるが、かかるばらつきは何ら問題とはならないし、むしろ、口腔内の歯列状態とは関係なく、正中線４３や特定正中線４２を正中線設定用ロッド１２５に記録し、これを咬合器１４０に移すことによって、審美的に優れた差し歯を製作することができる。【０３５６】  次に、適当な時期、例えば支柱が形成された後に、未硬化状態の印象材、例えばシリコンラバー印象材や歯科用寒天印象材を上顎歯列２８及び下顎歯列２９にそれぞれあてがって、該上顎歯列及び該下顎歯列の型取りをそれぞれ行い、従来の方法により上顎歯列模型７１及び下顎歯列模型７２をそれぞれ製作する。【０３５７】  次に、咬合面トランスファー器具１２０を用いて上顎歯列模型７１及び下顎歯列模型７２を咬合器１４０に固着する。【０３５８】  図１６及び図１７は、本実施形態に係る咬合器１４０に咬合面トランスファー器具１２０を装着した場合を示した正面図及び側面図である。【０３５９】  これらの図からわかるように、咬合面トランスファー器具１２０を用いて上顎歯列模型７１及び下顎歯列模型７２を咬合器１４０に固着するには、まず、咬合面トラン���ファー器具１２０のバイト材保持部２に保持された硬化済みのバイト材１′を該バイト材に圧痕された咬合型に合わせて上顎歯列模型７１の前歯７３と下顎歯列模型７２の前歯７とで咬ませるとともに、右側の上下臼歯２３，２４（図２参照）の咬合型が圧痕された側方バイト材２５′及び左側の上下臼歯２１，２６（図２参照）の咬合型が圧痕された側方バイト材２７′を各咬合型に合わせて上顎歯列模型７１及び下顎歯列模型７２の右上下臼歯７５，７６と左上下臼歯７７，７８にそれぞれ咬ませ、かかる状態で咬合面トランスファー器具１２０を構成する正中線設定用ロッド１２５の突条体１３６を底版１４１と頂版本体１４２の前方側端面にて形成された嵌合溝１５０ａ，１５０ｂにそれぞれ嵌合し、しかる後、石膏等を用いて下顎歯列模型７２を底版１４１の上面に、上顎歯列模型７１を頂版本体１４２の下面にそれぞれ固着する。【０３６０】  このように正中線設定用ロッド１２５の突条体１３６を嵌合溝１５０ａ，１５０ｂに嵌合することにより、患者の瞳孔線４１は、咬合器１４０を構成する底版１４１と平行な関係として該咬合器に記録が移されるとともに、正中線４２及び特定正中線４２は、咬合器１４０を構成する底版１４１と垂直な関係として該咬合器に記録が移される。【０３６１】  特に、咬合器１４０は、嵌合溝１５０ａ，１５０ｂが底版１４１及び頂版１４４の前方側縁部に対して垂直になるように形成してあるので、正中線設定用ロッド１２５及び瞳孔線設定用ロッド４は、底版１４１及び頂版１４４の前方側縁部で構成される平面、換言すれば咬合器１４０の正面と平行になるように取り付けられることとなる。【０３６２】  下顎歯列模型７２及び上顎歯列模型７１を底版１４１の上面及び頂版本体１４２の下面にそれぞれ固着するにあたっては、高さ調整ロッド５６，５６に沿って頂版１４４を昇降させ、次いで、第３の雄ネジ５７，５７を操作することにより頂版１４４を所望の位置で固定した後、正中線設定用ロッド１２５の突条体１３６を嵌合溝１５０ａ，１５０ｂに嵌合し、かかる状態で下顎歯列模型７２を底版１４１の上面に、上顎歯列模型７１を頂版本体１４２の下面にそれぞれ石膏等で固着すればよい。【０３６３】  なお、石膏が固まるまでは、必要に応じて、所定の支保部材（図示せず）を底版１４１の上面に立設し、該支保部材で上顎歯列模型７１及び下顎歯列模型７２の重量を支えるようにするのがよい。かかる場合には、支保部材は、底版１４１と下顎歯列模型７２との間の石膏に埋設されることになる。【０３６４】  ここで、上述したように側方バイト材２５，２７の材料を即時重合レジン、バイト材１の材料を歯科用ゴム質弾性印象材（パテタイプ）とするならば、該歯科用ゴム質弾性印象材（パテタイプ）は硬化後においても適度な弾性を有するため、バイト材１′に圧痕された咬合型に合わせて上顎歯列模型７１及び下顎歯列模型７２の前歯７３，７４でバイト材１′を咬ませる際に支柱である上顎歯列模型７１の前歯７３が欠損する恐れがない。【０３６５】  また、即時重合レジンは硬化後かなり硬くなるため、側方バイト材２５′，２７′を該側方バイト材に圧痕された各咬合型に合わせて上顎歯列模型７１及び下顎歯列模型７２の上下臼歯７５���７６及び上下臼歯７７，７８にそれぞれ咬ませることによって、バイト材１′が弾性を有していても上顎歯列模型７１及び下顎歯列模型７２の咬合位置がずれる心配はない。【０３６６】  下顎歯列模型７２が底版１４１の上面に、上顎歯列模型７１が頂版本体１４２の下面にそれぞれ固着されたならば、上顎歯列模型７１と下顎歯列模型７２とで咬まされたバイト材１′及び２つの側方バイト材２５′，２７′を咬合面トランスファー器具１２０とともに、上顎歯列模型７１及び下顎歯列模型７２からそれぞれ撤去する。【０３６７】  ここで、バイト材１′及び２つの側方バイト材２５′，２７′を撤去する前後で底版１４１と頂版１４４との相対位置関係が保持されるように、かつ頂版本体１４２の反転の前後で底版１４１と頂版１４４との相対位置関係が保持されるように構成してあるので、バイト材１′及び２つの側方バイト材２５′，２７′を取り去った後も、上顎歯列模型７１と下顎歯列模型７２との相対位置関係は何ら変化しない。【０３６８】  次に、咬合器１４０に咬合面設定用器具１６０を取り付ける。【０３６９】  図１８は、咬合器１４０に咬合面設定用器具１６０を取り付けた状態を示した正面図、図１９は、図１８における頂版本体１４２周辺を示した詳細正面図、図２０は、咬合器１４０に咬合面設定用器具１６０を取り付けた状態を示した側面図である。【０３７０】  また、図２１は咬合器１４０を構成する頂版本体１４２に上顎歯列模型７１が固着された状態を示す図であり、（ａ）は図１７におけるＡ−Ａ線に沿う矢視図、（ｂ）は図２０におけるＢ−Ｂ線に沿う矢視図である。【０３７１】  これらの図からわかるように、咬合面トランスファー器具１２０を撤去した後、それに代えて咬合面設定用器具１６０を咬合器１４０に取り付けるには、頂版本体１４２の前方側端面に形成された嵌合溝１５０ｂに正中線ガイド部材１６３を構成する正中線ガイド用突条体１６２を嵌合する。【０３７２】  ここで、図２１でよくわかるように、咬合面設定用器具１６０は、正中線ガイド用突条体１６２の断面形状が咬合面トランスファー器具１２０を構成する正中線設定用ロッド１２５の突条体１３６の断面形状と同一となるように形成してあるとともに、正中線ガイド用突条体１６２の突設方向に対する瞳孔線ガイド部材１６６の配置角度が突条体１３６の突設方向に対する瞳孔線設定用ロッド４の配置角度と同一になるように、瞳孔線ガイド部材１６６を正中線ガイド部材１６３に対して位置決めしてある。【０３７３】  一方、瞳孔線設定用ロッド４は、接続部材３を介してバイト材保持部２に取り付けてあるため、咬合面トランスファー器具１２０を用いて咬合器１４０に固着された上顎歯列模型７１及び下顎歯列模型７２の向きは、咬合面トランスファー器具１２０の突条体１３６の突設方向（咬合器１４０の嵌合溝１５０ｂの方向）に対する瞳孔線設定用ロッド４の配置角度で決定される。【０３７４】  したがって、正中線ガイド用突条体１６２の突設方向に対する瞳孔線ガイド部材１６６の配置角度が突条体１３６の突設方向に対する瞳孔線設定用ロッド４の配置角度と同一になるように瞳孔線ガイド部材１６６を正中線ガイド部材１６３に対して位置決めしておけば、瞳孔線ガイ���部材１６６の向きは、上顎歯列模型７１及び下顎歯列模型７２を取り付けたときの瞳孔線設定用ロッド４の向きが再現され、その向きと同じになる。【０３７５】  すなわち、上顎歯列模型７１及び下顎歯列模型７２を咬合器１４０にどのような向きで取り付けようと、上述したように咬合面設定用器具１６０を構成しておけば、上顎歯列模型７１及び下顎歯列模型７２に対する瞳孔線ガイド部材１６６の向きは、取付け時における瞳孔線設定用ロッド４の向きと同じになる。【０３７６】  かくして、患者の瞳孔線４１、正中線４３及び特定正中線４２と口腔内の咬合面との相対位置関係は、瞳孔線ガイド部材１６６及び正中線ガイド部材１６３と上顎歯列模型７１及び下顎歯列模型７２との相対位置関係として咬合器１４０上で正確に再現されることとなる。【０３７７】  次に、瞳孔線ガイド部材１６６及び正中線ガイド部材１６３を基準として差し歯を製作する。【０３７８】  具体的には、図１９に示すように瞳孔線ガイド部材１６６を基準として上顎歯列が左右対称となるように差し歯を製作することが可能となる。すなわち、咬合器１４０の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作することができる。【０３７９】  なお、咬合面は、特定正中線４２を基準にした場合、前歯である切歯７３から大臼歯と口腔内の奥に向かうにつれて徐々に高くなっていくが、図１９でわかるように昇降部材１６４を正中線ガイド部材１６３に沿って昇降させることができるため、上顎歯列用差し歯１４７の種類に応じて昇降部材１６４を正中線ガイド部材１６３に沿って適宜昇降させながら、上顎歯列模型７１で咬合面を正確に再現することができる。【０３８０】  また、図１９及び図２１でよくわかるように咬合器１４０の正面から見て切歯ガイド部材１６５の材軸延長線上に上顎歯列用差し歯１４７のうち、切歯１４５ａ，１４５ｂの間が来るように上顎歯列用差し歯１４７を製作する。かかる場合にも、昇降部材１６４を適宜昇降させることにより、切歯ガイド部材１６５の高さを切歯７３の位置に合わせるようにすればよい。【０３８１】  なお、作業の便宜上、咬合器１４０を構成する頂版本体１４２を頂版基部５３に対して該頂版基部廻りに上面が該頂版基部の上面に当接するまで反転させて上顎歯列用差し歯１４７を製作し、上顎歯列模型７１に該上顎歯列用差し歯を取り付けては頂版本体１４２を頂版基部５３に対して元通りに回転させ、下顎歯列模型７２との咬合状態を確認する。【０３８２】  以上説明したように、本実施形態に係る咬合面トランスファー器具１２０によれば、患者の上顎前歯３１と下顎前歯３２とで咬ませたバイト材１が硬化した後、接続部材３に取付けられた瞳孔線設定用ロッド４を該接続部材の材軸回りに揺動又は回動させることで、瞳孔線設定用ロッド４を患者の瞳孔線４１に対して平行に位置決めし、かかる位置にて瞳孔線設定用ロッド４を接続部材３に固定することが可能となる。【０３８３】  したがって、患者の瞳孔線４１を上顎歯列２８と下顎歯列２９との���合面に対する相対位置関係として瞳孔線設定用ロッド４に記録することが可能となる。【０３８４】  また、本実施形態に係る咬合面トランスファー器具１２０によれば、上顎前歯３１及び下顎前歯３２にバイト材保持部２に保持され硬化したバイト材１′を咬ませた状態を保ったまま、正中線設定用ロッド１２５を患者の正中線４３に沿うように瞳孔線設定用ロッド４に直角にかつ、正中線設定用ロッド１２５が特定正中線４２に対して平行になるように正中線設定用ロッド１２５の周面に取り付けられた嵌着部１３１を瞳孔線設定用ロッド４に嵌着し、かかる状態にて正中線設定用ロッド１２５を瞳孔線設定用ロッド４に固定することが可能となる。【０３８５】  したがって、患者の正中線４３及び特定正中線４２を瞳孔線設定用ロッド４に対する相対位置関係として正中線設定用ロッド１２５に記録することが可能となる。【０３８６】  そして、患者の口腔内の咬合面と、瞳孔線４１、正中線４３及び特定正中線４２からなる一群の審美情報とが互いに関連付けられた状態で瞳孔線設定用ロッド４及び正中線設定用ロッド１２５に記録することができるので、審美的な歯列となる差し歯を製作することが可能となる。【０３８７】  また、本実施形態に係る咬合面トランスファー器具１２０及び咬合器１４０によれば、瞳孔線設定用ロッド４を介して患者の瞳孔線４１を咬合器１４０の底版１４１と平行な関係として該咬合器に移すことができるとともに、正中線設定用ロッド１２５を介して正中線４３及び特定正中線４２を咬合器１４０の底版１４１と垂直な関係として該咬合器に記録が移すことが可能となる。【０３８８】  したがって、上顎歯列模型７１及び下顎歯列模型７２を、その咬合面が患者の口腔内における咬合面と三次元座標上で同一となるように咬合器１４０に固着することが可能となり、それゆえ、かかる口腔内における咬合面が咬合器１４０に再現された状態で審美的に優れた差し歯を製作することができる。【０３８９】  加えて、本実施形態に係る咬合面トランスファー器具１２０及び咬合器１４０によれば、突条体１３６の突設方向が瞳孔線設定用ロッド４の材軸に対して直角になるように咬合面トランスファー器具１２０を構成してあるとともに、嵌合溝１５０ａ，１５０ｂが頂版本体１４２及び底版１４１の前方側端面に対して垂直になるように咬合器１４０を構成したので、突条体１３６を嵌合溝１５０ａ，１５０ｂに嵌合したとき、正中線設定用ロッド１２５は、底版１４１及び頂版本体１４２に対しておのずと垂直になるとともに、瞳孔線設定用ロッド４は底版１４１及び頂版本体１４２の前方側端部に対して平行になる。【０３９０】  したがって、上顎歯列模型７１及び下顎歯列模型７２を、それらの正面が咬合器１４０の正面と一致する状態にて咬合器１４０に据え付けることが可能となり、咬合器１４０の正面から上顎歯列模型７１及び下顎歯列模型７２を見ることで、患者の口腔内における歯列を患者の正面から見た場合と同じ状況を再現することが可能となり、かくして差し歯の製作をより正確に行うことが可能となる。【０３９１】  また、本実施形態に係る咬合面トランスファー器具１２０及び咬合器１４０によれば、正中線設定用ロッド１２５の突条体１３６を断面が矩形状のプラスチックロッドで構成するとともに、嵌合溝１５０ａ，１５０ｂの幅を突条体１３６の幅よりも若干小さく構成してあるため、突条体１３６を嵌合溝１５０ａ，１５０ｂにそれぞれ嵌合することで咬合面トランスファー器具１２０を咬合器１４０に着脱自在することが可能となり、取付け時には咬合面トランスファー器具１２０を咬合器１４０に仮固定することができるとともに、取外し時には咬合器１４０から容易に取り外すことが可能となる。【０３９２】  したがって、上顎歯列模型７１及び下顎歯列模型７２を頂版本体１４２の下面及び底版１４１の上面にそれぞれ取り付ける作業が容易になる。【０３９３】  また、本実施形態に係る咬合器１４０によれば、固着後においてバイト材１′及び２つの側方バイト材２５′，２７′を撤去する際、該撤去の前後で底版１４１と頂版１４４との相対位置関係が保持されるように、かつ頂版１４４の反転の前後で底版１４１と頂版１４４との相対位置関係が保持されるように頂版１４４及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０３９４】  したがって、正常な咬合が行われる相対位置関係において上顎歯列用差し歯１４７を製作することが可能となるとともに、該上顎歯列用差し歯の製作中、咬合状態を随時チェックすべく、頂版１４４を構成する頂版本体１４２を頂版基部５３に対して元通り回転させても、上顎歯列模型７１と下顎歯列模型７２との相対位置関係は何ら変化しないため、上顎歯列用差し歯１４７の製作中において正常な咬合が行われているかどうかを随時チェックすることが可能となる。【０３９５】  また、本実施形態に係る咬合面設定用器具１６０によれば、上顎歯列模型７１及び下顎歯列模型７２に対する正中線ガイド部材１６３及び瞳孔線ガイド部材１６６の相対位置は、上顎歯列模型７１及び下顎歯列模型７２に対する正中線設定用ロッド１２５及び瞳孔線設定用ロッド４の向きと同一となる。【０３９６】  そのため、患者の瞳孔線４１、正中線４３及び特定正中線４２と口腔内の咬合面との相対位置関係は、瞳孔線ガイド部材１６６及び正中線ガイド部材１６３と上顎歯列模型７１及び下顎歯列模型７２との相対位置関係として咬合器１４０上で正確に再現される。【０３９７】  したがって、正中線ガイド部材１６３及び瞳孔線ガイド部材１６６を基準として高精度に上顎歯列用差し歯１４７を製作することが可能となる。【０３９８】  また、本実施形態に係る咬合面設定用器具１６０によれば、正中線ガイド用突条体１６２を咬合器１４０の嵌合溝１５０ｂに嵌合することによって、正中線設定用ロッド１２５と同様、正中線ガイド部材１６３を頂版本体１４２に対して垂直姿勢にて該頂版本体に着脱自在に仮固定することが可能となり、上顎歯列用差し歯１４７を製作する作業性を向上させることができる。【０３９９】  また、本実施形態に係る咬合面設定用器具１６０によれば、昇降部材１６４を正中線ガイド部材１６３に沿って昇降自在に取り付けるようにしたので、昇降部材１６４に取り付けられた瞳孔線ガイド部材１６６を上顎歯列模型７１の歯列に合わせて所望��高さに設定することが可能となり、上顎歯列用差し歯１４７の製作精度が向上する。【０４００】  加えて、本実施形態に係る咬合面設定用器具１６０によれば、切歯ガイド部材１６５を正中線ガイド用突条体１６２の突設方向延長上にくるように構成したので、切歯ガイド部材１６５の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０４０１】  本実施形態では特に言及しなかったが、バイト材保持部は未硬化のバイト材１が保持されればその形状はどのようなものでもよい。図２２は、変形例に係る咬合面トランスファー器具を示した図であり、（ａ）は斜視図、（ｂ）及び（ｃ）はバイト材保持部近傍を示した詳細平面図及び側面図である。【０４０２】  同図に示すように、変形例に係る咬合面トランスファー器具１７０は、咬合面トランスファー器具１２０のバイト材保持部２に代えて、バイト材保持部１０２を接続部材３に取り付けてある。【０４０３】  かかるバイト材保持部１０２は、患者の上顎歯列２８及び下顎歯列２９の両前歯３１，３２のアーチに合うような弓状の形状としてあり、かかる構成により、より安定した状態にて上顎歯列２８の前歯３１と下顎歯列２９の前歯３２との咬合型を採取することが可能となる。【０４０４】  また、本実施形態では、咬合面トランスファー器具１２０を構成する接続部材３の周面に差込穴６と直交するように第１の雌ネジ孔９を形成し、第１の雄ネジ８を該第１の雌ネジ孔に螺合するようにしたが、瞳孔線設定用ロッド４の差込部７が接続部材３の差込穴６の軸線廻りに任意の角度で該差込穴内に固定されればどのように構成してもよく、例えば、差込穴６内に接着剤を注入して該差込穴に差込部７を嵌合するようにしてもよい。【０４０５】  また、本実施形態では、咬合面トランスファー器具１２０の嵌着部１３１に正中線設定用ロッド１２５と直交するように第２の雌ネジ孔１３３を形成し、第２の雄ネジ１３２を該第２の雌ネジ孔に螺合するようにしたが、嵌着部１３１が瞳孔線設定用ロッド４の任意位置でかつ任意の角度で固定されればどのように構成してもよく、例えば、接着剤によって嵌着部１３１を瞳孔線設定用ロッド４に固定するようにしてもよい。【０４０６】  また、本実施形態では、本発明の咬合器を高さ調整ロッド５６，５６に沿って頂版１４２が昇降自在となるように構成したが、上顎歯列模型７１及び下顎歯列模型７２の取付けに支障がなく頂版を昇降自在に構成する必要がないのであれば、頂版を昇降自在とする必要はない。【０４０７】  図２３は、変形例に係る咬合器を示した斜視図である。【０４０８】  同図からわかるように、変形例に係る咬合器１８０は、底版１４１と、該底版の後方側縁部に沿って互いに離間させた状態で立設された一対の支持ロッド１１５，１１５と、該支持ロッドの上端に固定された頂版１８４とからなり、該頂版は、支持ロッド１１５，１１５の上端にて固定された頂版基部１１３と該頂版基部にヒンジ９９，９９を介して連結された頂版本体１４２とから構成してある。【０４０９】  かかる構成により、頂版本体１４２を頂版基部１１３の廻りに回転させて該頂版本体の上面及び下面を反転させることができるとともに、頂版本体１４２の後方端面と頂版基部１１３とが当接することで頂版本体１４２の回転が制限され、かかる状態において、該頂版本体は、底版１４１に対して水平前方に向けて片持ち状になるように構成してある。なお、咬合器１８０を構成する底版１４１、頂版本体１４２及び嵌合溝１５０ａ，１５０ｂの構成については、本実施形態と同様であるので、ここではその説明を省略する。【０４１０】  また、本実施形態では、咬合面設定用器具１６０を用いて差し歯の製作を行うようにしたが、これに代えて咬合面設定用器具１６０を省略し、咬合器１４０の底版１４１又は頂版１４４を基準として左右対称になるように上顎歯列用差し歯１４７を製作するとともに、底版１４１及び頂版本体１４２の前方側端面に形成された嵌合溝１５０ａ，１５０ｂを基準として上顎歯列用差し歯１４７のうち、切歯１４５ａ，１４５ｂの間を設定するようにしてもかまわない。【０４１１】  かかる構成においては、差し歯の製作精度や作業性が若干低下するが、フェイスボウが不要になるなど、上述したと同様の顕著な作用効果を奏することに何ら変わりはない。【０４１２】  また、本実施形態では、咬合面設定用器具１６０を用いて差し歯の製作を行うようにしたが、図２４に示す咬合器を使用することによって、咬合面設定用器具１６０を省略することができる。【０４１３】  図２４は、変形例に係る咬合器１９０を示した斜視図である。【０４１４】  同図に示すように、変形例に係る咬合器１９０は、本実施形態に係る咬合器１４０と同様、上面に下顎歯列模型７２が固着される底版１４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版１４４とから構成してあり、頂版１４４は、前方に向けて高さ調整ロッド５６，５６に片持ち状に取り付けてあるが、本変形例では、底版１４１及び頂版本体１４２の前方側端面にて該底版と平行に瞳孔線基準ライン２０３ａ，２０３ｂを設けてある。【０４１５】  かかる構成によれば、瞳孔線基準ライン２０３ａ，２０３ｂを基準として左右対称に上顎歯列用差し歯１４７を製作するとともに、底版１４１及び頂版本体１４２の前方側端面に形成された嵌合溝１５０ａ，１５０ｂを基準として上顎歯列用差し歯１４７のうち、切歯１４５ａ，１４５ｂの間を設定することができる。なお、高さ調整ロッド５６，５６、頂版基部５３及び嵌合溝１５０ａ，１５０ｂに関する構成については本実施形態と同じであるので、ここではその説明は省略する。【０４１６】  また、本実施形態では、咬合器１４０を構成する頂版１４４及び底版１４１を所定の厚みを有する矩形状の鋼板で構成したが、特に矩形状に限る必要はない。【０４１７】  図２５は、変形例に係る咬合器１９５を示した斜視図である。【０４１８】  同図でわかるように、変形例に係る咬合器１９５は、咬合器１４０とほぼ同様、上面に下顎歯列模型７２が固着される底版１９６と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版１９８とから構成してあり、頂版１９８は、前方に向けて高さ調整ロッド５６，５６に片持ち状に取り付けてある。【０４１９】  頂版１９８は、高さ調整ロッド５６，５６が挿通される２つのロッド孔９１，９１が両端部に形成されてなる頂版基部５３と該頂版基部にヒンジ９９，９９を介して連結された頂版本体１９７とから構成してある。【０４２０】  また、底版１９６及び頂版１９８は、互いに平行に対向させてあるとともに両前方側端面が底版１９６に対する垂直面上に位置するように構成してあり、底版１９６の上面には下顎歯列模型７２を、頂版１９８の下面には上顎歯列模型７１をそれぞれ固着することができるようになっている。【０４２１】  ここで、底版１９６及び頂版本体１９７は咬合器１４０とは異なり、半楕円状で所定の厚みを有する鋼板で形成してあり、底版１９６の上面と頂版本体１９７の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０４２２】  底版１９６及び頂版本体１９７の前方側端面には咬合器１４０と同様、嵌合溝１５０ａ，１５０ｂを形成してある。【０４２３】  以下、本変形例に係る咬合器１９５は、底版及び頂版の形状が異なる点を除き、咬合器１４０と同様であるので、その他の構成及び作用効果についてはその説明を省略する。【０４２４】  また、本実施形態では図１９及び図２０でよくわかるように、上顎歯列模型７１を用いて上顎歯列用差し歯を製作することを前提に、咬合面設定用器具１６０を頂版１４４の嵌合溝１５０ｂにのみ着脱するようにしたが、底版１４１の嵌合溝１５０ａにも着脱するようにしてもかまわないし、下顎歯列模型７２を使って下顎歯列用差し歯を製作する際には、底版１４１の嵌合溝１５０ａにのみ着脱するようにしてもかまわない。【０４２５】  さらに言えば、咬合面設定用器具１６０の正中線ガイド部材１６３を、断面が円形の正中線ガイド用ロッド本体１６１と、該正中線ガイド用ロッド本体の周面であってその材軸に沿って突設されかつ断面形状が咬合面トランスファー器具１２０を構成する正中線設定用ロッド１２５の突条体１３６の断面形状と同一となるように形成された正中線ガイド用突条体１６２とから構成したが、かかる正中線ガイド用突条体１６２は、正中線ガイド用ロッド本体１６１の全長にわたって設ける必要はなく、嵌合溝１５０ａ，１５０ｂに嵌合する範囲にわたって突設されていれば足りる。【０４２６】  また、本実施形態では、昇降部材１６４を正中線ガイド部材１６３に沿って昇降させることにより、切歯ガイド部材１６５及び瞳孔線ガイド部材１６６の高さを変化させることができるようにしたが、かかる昇降部材１６４を省略してもかまわない。【０４２７】  図２６は、変形例に係る咬合面設定用器具２００の斜視図及び断面図であり、同図に示す咬合面設定用器具２００は、正中線ガイド部材１６３と、該正中線ガイド部材と直角になるように突設された切歯ガイド部材１６５と、該切歯ガイド部材にその材軸及び正中線ガイド部材１６３の材軸に直角に中央近傍が取り付けられた瞳孔線ガイド部材１６６とから構成してあり、正中線ガイド用突条体１６２の各端を嵌合溝１５０ａ，１５０ｂにそれぞれ着脱自在に嵌め込むようになっている。【０４２８】  かかる構成においては、切歯ガイド部材１６５及び瞳孔線ガイド部材１６６の高さを変化させることができないため、差し歯の製作精度が若干低下するとともに、差し歯の製作中、着脱の頻度が増えるために作業性が若干低下するが、フェイスボウが不要になるなど、上述したと同様の顕著な作用効果を奏することに何ら変わりはない。【０４２９】  一方、正中線ガイド用突条体１６２を嵌合溝１５０ａ，１５０ｂのいずれかのみに着脱自在に嵌め込むようにすれば、正中線ガイド部材１６３を随時着脱することによって該正中線ガイド部材の取付け高さを変更することができる。【０４３０】  そのため、かかる構成においては、切歯ガイド部材１６５及び瞳孔線ガイド部材１６６の高さを変化させることが可能になるとともに、差し歯の製作中、着脱の頻度が増えることもないため、作業性が低下することもない。【０４３１】  また、本実施形態では特に言及しなかったが、切歯ガイド部材１６５を伸縮自在に構成してもよい。【０４３２】  図２７は、変形例に係る咬合面設定用器具２１０を示した斜視図及び断面図である。同図に示す咬合面設定用器具２１０は、正中線ガイド部材１６３と、該正中線ガイド部材に沿って昇降自在に取り付けられた昇降部材１６４と、該昇降部材に正中線ガイド部材１６３と直角になるように突設された切歯ガイド部材１９３と、該切歯ガイド部材にその材軸及び正中線ガイド部材１６３の材軸に直角に中央近傍が取り付けられた瞳孔線ガイド部材１６６とから構成してあるが、本変形例では、切歯ガイド部材１９３は、昇降部材１６４に取り付けられた切歯ガイド本体１９２と、その先端に取り付けられ先鋭に形成された伸縮ガイド１９１とからなり、該伸縮ガイド１９１は、切歯ガイド本体１９２に対して伸縮自在に構成してある。【０４３３】  伸縮自在とするには、切歯ガイド１９１を切歯ガイド本体１９２に螺合する構成や、ロッドアンテナ状に切歯ガイド１９１を伸縮させる構成などがあるが、かかる構成については、公知の構成から適宜選択すればよい。【０４３４】  かかる構成においては、上顎歯列模型７１及び下顎歯列模型７２の固着位置と咬合面設定用器具２１０が設けられた位置との離間長さ（底版１４１と平行な線上における長さ）に関わらず、切歯ガイド部材１９３を適宜伸縮させてその先端を上顎歯列模型７１の前歯７３に近づけるとともに、図２７（ｂ）に示すように、その先鋭な先端にちょうど両切歯１４５ａ，１４５ｂの間がくるように上顎歯列用差し歯を製作することが可能となり、該上顎歯列用差し歯の製作精度がより向上する。【０４３５】  換言すれば、咬合面トランスファー器具１２０を構成する正中線設定用ロッド１２５とバイト材保持部２との水平長さを咬合器１４０上で再現せずとも、切歯１４５ａ，１４５ｂ間の位置を正中線４３あるいは特定正中線４２上に正確に一致させることが可能となるとともに、バイト材１を咬んだときの咬合位置のばらつきについても、切歯ガイ��部材１９３を伸縮させることによって、そのばらつきを吸収することが可能となる。【０４３６】  また、本実施形態では特に言及しなかったが、本発明においては、咬合面設定用器具を構成する正中線ガイド用突条体の突設方向に対する瞳孔線ガイド部材の配置角度が、咬合面トランスファー器具を構成する突条体の突設方向に対する瞳孔線設定用ロッドの配置角度と同一になるように瞳孔線ガイド部材を正中線ガイド部材に対して位置決めしてある限り、その配置角度は任意であり、本実施形態のように９０°である必要はない。【０４３７】  図２８は、咬合器１４０を構成する頂版本体１４２の見上げ図（上方を見上げた図）であり、（ａ）は、上述した配置角度が９０°でない任意の角度θ１の場合において、咬合面トランスファー器具１２０ａと上顎歯列模型７１あるいは咬合器１４０との相対位置関係を示した図、（ｂ）は、咬合面設定用器具１６０ａと上顎歯列模型７１あるいは咬合器１４０との相対位置関係を示したものである。【０４３８】  かかる場合には、同図で明らかなように、上顎歯列模型７１の正面と咬合器１４０の正面とは一致せず、角度θ１だけずれることになるが、咬合面トランスファー器具１２０ａを用いて上顎歯列模型７１を取り付けたときの角度ずれを咬合面設定用器具１６０ａによって再現することができるため、差し歯の製作上、何らの問題も生じないし、上述したと同様、高精度の差し歯を製作することができる。【０４３９】  なお、咬合面トランスファー器具１２０ａは、突条体１３６の突設方向に対する瞳孔線設定用ロッド４の配置角度が９０°でなく角度θ１である点を除き、咬合面トランスファー器具１２０と全く同一であるので、ここではその説明を省略する。【０４４０】  同様に、咬合面設定用器具１６０ａは、正中線ガイド用突条体１６２の突設方向に対する瞳孔線ガイド部材１６６の配置角度が９０°でなく角度θ１である点を除き、咬合面設定用器具１６０と全く同一であるので、ここではその説明を省略する。【０４４１】  また、本実施形態では、咬合面トランスファー器具１２０、咬合器１４０及び咬合面設定用器具１６０を用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材２５，２７及びバイト材１を患者に咬ませ、かかる状態にて患者の瞳孔線４１を瞳孔線設定用ロッド４に、患者の正中線４３及び特定正中線４２を正中線設定用ロッド１２５にそれぞれ記録し、次いで、咬合面トランスファー器具１２０を用いて下顎歯列模型および上顎歯列模型を咬合器１４０に据え付けた上、咬合面設定用器具１６０を用いて下顎歯列用差し歯を製作すればよい。【０４４２】  かかる場合、上述したように、正中線ガイド部材１６３の正中線ガイド用突条体１６２を底版１４１に形成された嵌合溝１５０ａに嵌合するようにすれば、噛み合わせを確認するために頂版本体１４２を反転させながら下顎歯列用差し歯を製作するにあたり、その都度、咬合面設定用器具１６０を咬合器１４０から取り外す必要がなくなる。【０４４３】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。【０４４４】  なお、本実施形態では特に言及しなかったが、バイト材１及び側方バイト材２５，２７の材料に関しては第１実施形態に係る咬合面トランスファー器具１０についても同様であることは言うまでもない。【０４４５】（第５実施形態）【０４４６】  次に、第５実施形態について説明する。なお、上述の実施形態と実質的に同一の部品等については同一の符号を付してその説明を省略する。【０４４７】  図２９は、本実施形態に係る咬合面トランスファー器具を示した図であり、（ａ）は分解斜視図、（ｂ）は断面図である。同図でわかるように、本実施形態に係る咬合面トランスファー器具２２０は、未硬化のバイト材１を咬合可能な状態で保持するバイト材保持部２と、該バイト材保持部が一端に取り付けられた接続部材３と、該接続部材の他端に設けられた瞳孔線設定用ロッド４と、該瞳孔線設定用ロッドに直角にかつ該瞳孔線設定用ロッドの材軸廻りに任意の角度位置で着脱自在に取付け自在な正中線設定用ロッド２２５とからなり、瞳孔線設定用ロッド４は、接続部材３の材軸に対して直角にかつ該材軸廻りに回動自在となるようにその中央近傍で接続部材３に取り付けられるように構成してある。【０４４８】  ここで、正中線設定用ロッド２２５は、断面が非円形である矩形状のプラスチックロッドで構成してあるとともに、その中央近傍に瞳孔線設定用ロッド４に嵌着可能な嵌着部１３１を取り付けてあり、該嵌着部を介して瞳孔線設定用ロッド４に着脱自在に取り付けることができるようになっている。【０４４９】  嵌着部１３１及び瞳孔線設定用ロッド４は、瞳孔線設定用ロッド４に正中線設定用ロッド２２５が取り付けられたとき、正中線設定用ロッド２２５が瞳孔線設定用ロッド４に沿って摺動自在かつその材軸廻りに回動自在となるように構成してある。【０４５０】  ここで、正中線設定用ロッド２２５及び嵌着部１３１は、該正中線設定用ロッドを瞳孔線設定用ロッド４に取り付けたとき、正中線設定用ロッド２２５の断面二軸のうち、接続部材３の材軸と平行な断面軸２４５が瞳孔線設定用ロッド４の材軸に対して直角になるように構成してある。【０４５１】  嵌着部１３１には、該嵌着部が瞳孔線設定用ロッド４に嵌着された状態にて正中線設定用ロッド２２５が瞳孔線設定用ロッド４の材軸廻りに所望の角度位置で固定されるように嵌着部固定機構１３４を設けてある。【０４５２】  以下、接続部材３、瞳孔線設定用ロッド４、嵌着部１３１及び嵌着部固定機構１３４の構成については、第１実施形態又は第４実施形態ですでに述べたので、ここではその説明を省略する。【０４５３】  図３０は本実施形態に係る咬合器を示した図であり、（ａ）は斜視図、（ｂ）は咬合器の前方側周辺の詳細断面図である。図３１は、本実施形態に係る咬合器の側面図を示す。これらの図でわかるように、本実施形態に係る咬合器２４０は、上面に下顎歯列模型７２が固着される底版２４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版２４４とから構成してあり、頂版２４４は、前方に向けて高さ調整ロッド５６，５６に片持ち状に取り付けてある。【０４５４】  ここで、底版２４１及び頂版２４４は、互いに平行に対向させてあるとともに両前方側端面が底版２４１に対する垂直面上に位置するように構成してあり、底版２４１の上面には下顎歯列模型７２を、頂版２４４の下面には上顎歯列模型７１をそれぞれ固着することができるようになっている。【０４５５】  底版２４１及び頂版２４４は、底版１４１及び頂版１４４と同様、例えば所定の厚みを有する矩形状の鋼板で構成することが可能であり、底版２４１の上面と頂版２４４の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０４５６】  また、底版２４１の後方側縁部に沿って互いに離間させた状態で一対の高さ調整ロッド５６，５６を立設してあり、頂版２４４は、高さ調整ロッド５６，５６が挿通される２つのロッド孔９１，９１が両端部に形成されてなる頂版基部５３と該頂版基部にヒンジ９９，９９を介して連結された頂版本体２４２とから構成してある。かかる構成により、頂版２４４全体を高さ調整ロッド５６，５６に沿って昇降させることができるとともに、頂版本体２４２を頂版基部５３の廻りに回転させて該頂版本体の上面及び下面を反転させることができるようになっている。【０４５７】  また、頂版２４４は、上述したようにその頂版本体２４２を頂版基部５３の廻りに回転させることができるようになっているが、頂版本体２４２の後方端面と頂版基部５３とが当接することで頂版本体２４２の回転が制限され、かかる状態において、該頂版本体は、底版２４１に対して水平前方に向けて片持ち状になるように構成してある。【０４５８】  このように、頂版本体２４２が水平前方に向いた位置で回転拘束されるようになっていることにより、頂版本体２４２の上面及び下面の反転の前後で底版２４１と頂版２４４との相対位置関係を保持することができる。【０４５９】  また、頂版基部５３の長手方向両端面には、固定機構９３，９３を設けてあるが、かかる固定機構については第４実施形態で既に述べたので、ここではその説明を省略する。【０４６０】  ここで、本実施形態に係る咬合器２４０は、咬合面トランスファー器具２２０の正中線設定用ロッド２２５が着脱自在に嵌合されるようにロッド嵌合凹部２５０ａ，２５０ｂを底版２４１と頂版本体２４２の前方側端面にそれぞれ形成するとともに該２つのロッド嵌合凹部を底版２４１に対する同一の垂直線上にそれぞれ形成してあり、ロッド嵌合凹部２５０ａ，２５０ｂに正中線設定用ロッド２２５が嵌合されたときに該正中線設定用ロッドが底版２４１に対して垂直になり、かつ正中線設定用ロッド２２５が底版２４１に対して垂直な軸線廻りに対し特定の角度に位置決めされた状態で仮固定できるようにロッド嵌合凹部２５０ａ，２５０ｂを構成してある。【０４６１】  ここで、特定の��度に位置決めするとは、正中線設定用ロッド２２５をロッド嵌合凹部２５０ａ，２５０ｂを嵌合したときに、正中線設定用ロッド２２５の断面二軸のうち、接続部材３の材軸と平行な断面軸２４５が底版２４１及び頂版２４４の前方側縁部と直角になるように位置決めすることを意味する。【０４６２】  一方、上述したように正中線設定用ロッド２２５及び嵌着部１３１は、該正中線設定用ロッドを瞳孔線設定用ロッド４に取り付けたときに正中線設定用ロッド２２５の断面二軸のうち、接続部材３の材軸と平行な断面軸２４５が瞳孔線設定用ロッド４の材軸に対して直角になるように構成してある。【０４６３】  したがって、かかる正中線設定用ロッド２２５をロッド嵌合凹部２５０ａ，２５０ｂに嵌合することにより、正中線設定用ロッド２２５及び瞳孔線設定用ロッド４は、底版２４１及び頂版２４４の前方側縁部で構成される平面、換言すれば咬合器２４０の正面と平行になるように取り付けられることとなり、後述する咬合面設定用器具２６０との併用によって、差し歯の製作を高精度に行うことができることとなる。【０４６４】  なお、ロッド嵌合凹部２５０ａ，２５０ｂへの正中線設定用ロッド２２５の着脱を行うにあたって、取付け時には所定の強度で仮固定されるように、かつ取外し時には例えば手で手前に引く程度の力で外れるように、正中線設定用ロッド２２５の外寸とロッド嵌合凹部２５０ａ，２５０ｂの内寸とを適宜調整しておく。【０４６５】  図３２は、本実施形態に係る咬合面設定用器具２６０を示した図であり、（ａ）は斜視図、（ｂ）は断面図である。図３３は、咬合面設定用器具２６０と咬合面トランスファー器具２２０との関係を示した図であり、（ａ）は咬合面設定用器具２６０の断面図、（ｂ）は咬合面トランスファー器具２２０の断面図である。【０４６６】  これらの図からわかるように、本実施形態に係る咬合面設定用器具２６０は、断面が矩形形の正中線ガイド部材２６３と、該正中線ガイド部材に沿って昇降自在に取り付けられた昇降部材２６４と、該昇降部材に正中線ガイド部材２６３と直角になるように突設された切歯ガイド部材１６５と、該切歯ガイド部材にその材軸及び正中線ガイド部材２６３の材軸に直角に中央近傍が取り付けられた瞳孔線ガイド部材１６６とから構成してある。【０４６７】  昇降部材２６４を正中線ガイド部材２６３の所望の高さに固定する手段は公知の技術を適宜選択すればよい。【０４６８】  ここで、正中線ガイド部材２６３は、その断面形状が咬合面トランスファー器具２２０を構成する正中線設定用ロッド２２５の断面形状と同一となるように構成してあるとともにプラスチックで形成してある。【０４６９】  また、瞳孔線ガイド部材１６６は図３３でよくわかるように、正中線ガイド部材２６３に対する瞳孔線ガイド部材１６６の配置角度が正中線設定用ロッド２２５に対する瞳孔線設定用ロッド４の配置角度と同一になるように正中線ガイド部材２６３に対して位置決めしてある。つまり、咬合面設定用器具２６０は、かかる配置角度になるように切歯ガイド部材１６５を昇降部材２６４の周面に突設してある。ちなみに、本実施形態では、上述した配置角度を９０°に設定してある。【０４７０】  次に、本実施形態に係る咬合面トランスファー器具２２０、咬合器２４０及び咬合面設定用器具２６０を用いて差し歯を製作する手順を、患者の上顎歯列用差し歯を製作する場合を例として説明する。【０４７１】  上述した手順で患者の上顎歯列用差し歯を製作するにあたっては、第４実施形態と同様、まず、患者の口腔内における咬合面を患者の瞳孔線４１、正中線４３及び特定正中線４２という形で咬合面トランスファー器具２２０に記録し、次いで、これら瞳孔線４１、正中線４３及び特定正中線４２が記録された咬合面トランスファー器具２２０を用いて上顎歯列模型７１及び下顎歯列模型７２を咬合器２４０に固着し、しかる後、咬合面設定用器具２６０を咬合器２４０に取り付け、かかる状態で上顎歯列模型７１及び下顎歯列模型７２を用いて上顎歯列用差し歯を製作する。【０４７２】  ここで、かかる差し歯を製作するにあたっては、咬合面トランスファー器具２２０の正中線設定用ロッド２２５を底版２４１及び頂版本体２４２の前方側端面にて形成されたロッド嵌合凹部２５０ａ，２５０ｂにそれぞれ嵌合して下顎歯列模型７２を底版２４１の上面に、上顎歯列模型７１を頂版本体２４２の下面にそれぞれ固着するとともに、咬合器２４０の頂版本体２４２の前方側端面に形成されたロッド嵌合凹部２５０ｂに正中線ガイド部材２６３を嵌合して差し歯を製作するが、その具体的手順については第４実施形態と概ね同様であるので、ここではその説明を省略し、特記すべき内容だけ以下に述べる。【０４７３】  第１に、咬合器２４０は、正中線設定用ロッド２２５が底版２４１に対して垂直になり、かつ正中線設定用ロッド２２５の断面二軸のうち、接続部材３の材軸と平行な断面軸２４５が底版２４１の前方縁部に対して９０°に位置決めされた状態で仮固定されるようにロッド嵌合凹部２５０ａ，２５０ｂを構成してある。【０４７４】  そのため、咬合面トランスファー器具２２０の正中線設定用ロッド２２５を咬合器２４０のロッド嵌合凹部２５０ａ，２５０ｂに嵌合したとき、正中線設定用ロッド２２５及び瞳孔線設定用ロッド４は、底版２４１及び頂版２４４の前方側縁部で構成される平面、換言すれば咬合器２４０の正面と平行になるように取り付けられることとなる。【０４７５】  第２に、咬合面設定用器具２６０は、正中線ガイド部材２６３に対する瞳孔線ガイド部材１６６の配置角度が正中線設定用ロッド２２５に対する瞳孔線設定用ロッド４の配置角度と同一になるように構成してある。【０４７６】  一方、瞳孔線設定用ロッド４は、接続部材３を介してバイト材保持部２に取り付けてあるため、咬合面トランスファー器具２２０を用いて咬合器２４０に固着された上顎歯列模型７１及び下顎歯列模型７２の向きは、咬合面トランスファー器具２２０の正中線設定用ロッド２２５に対する瞳孔線設定用ロッド４の配置角度で決定される。【０４７７】  したがって、瞳孔線ガイド部材１６６の向きは、上顎歯列模型７１及び下顎歯列模型７２を取り付けたときの瞳孔線設定用ロッド４の向きが再現され、その向きと同じになり、患者の瞳孔線４１、正中線４３及び特定正中線４２と口腔内の咬合面との相対位置関係は、瞳孔線ガイド部材１６６及び正中線ガイド部材２６３と上顎歯列模型７１及び下顎歯列��型７２との相対位置関係として咬合器２４０上で正確に再現されることとなり、瞳孔線ガイド部材１６６及び正中線ガイド部材２６３を基準として高精度に差し歯を製作することが可能となる。【０４７８】  以上説明したように、本実施形態に係る咬合面トランスファー器具２２０によれば、患者の上顎前歯３１と下顎前歯３２とで咬ませたバイト材１が硬化した後、接続部材３に取付けられた瞳孔線設定用ロッド４を該接続部材の材軸回りに揺動又は回動させることで、瞳孔線設定用ロッド４を患者の瞳孔線４１に対して平行に位置決めし、かかる位置にて瞳孔線設定用ロッド４を接続部材３に固定することが可能となる。【０４７９】  したがって、患者の瞳孔線４１を上顎歯列２８と下顎歯列２９との咬合面に対する相対位置関係として瞳孔線設定用ロッド４に記録することが可能となる。【０４８０】  また、本実施形態に係る咬合面トランスファー器具２２０によれば、上顎前歯３１及び下顎前歯３２にバイト材保持部２に保持され硬化したバイト材１′を咬ませた状態を保ったまま、正中線設定用ロッド２２５を患者の正中線４３に沿うように瞳孔線設定用ロッド４に直角にかつ、正中線設定用ロッド２２５が特定正中線４２に対して平行になるように正中線設定用ロッド２２５の周面に取り付けられた嵌着部１３１を瞳孔線設定用ロッド４に嵌着し、かかる状態にて正中線設定用ロッド２２５を瞳孔線設定用ロッド４に固定することが可能となる。【０４８１】  したがって、患者の正中線４３及び特定正中線４２を瞳孔線設定用ロッド４に対する相対位置関係として正中線設定用ロッド２２５に記録することが可能となる。【０４８２】  そして、患者の口腔内の咬合面と、瞳孔線４１、正中線４３及び特定正中線４２からなる一群の審美情報とが互いに関連付けられた状態で瞳孔線設定用ロッド４及び正中線設定用ロッド２２５に記録することができるので、審美的な歯列となる差し歯を製作することが可能となる。【０４８３】  また、本実施形態に係る咬合面トランスファー器具２２０及び咬合器２４０によれば、瞳孔線設定用ロッド４を介して患者の瞳孔線４１を咬合器２４０の底版２４１と平行な関係として該咬合器に移すことができるとともに、正中線設定用ロッド２２５を介して正中線４３及び特定正中線４２を咬合器２４０の底版２４１と垂直な関係として該咬合器に記録が移すことが可能となる。【０４８４】  したがって、上顎歯列模型７１及び下顎歯列模型７２を、その咬合面が患者の口腔内における咬合面と三次元座標上で同一となるように咬合器２４０に固着することが可能となり、それゆえ、かかる口腔内における咬合面が咬合器２４０に再現された状態で審美的に優れた差し歯を製作することができる。【０４８５】  加えて、本実施形態に係る咬合面トランスファー器具２２０及び咬合器２４０によれば、正中線設定用ロッド２２５が底版２４１に対して垂直になり、かつ正中線設定用ロッド２２５の断面二軸のうち、接続部材３の材軸と平行な断面軸２４５が底版２４１の前方縁部に対して９０°に位置決めされた状態で仮固定されるようにロッド嵌合凹部２５０ａ，２５０ｂを構成したので、咬合面トランスファー器具２２０の正中線設定用ロッド２２５を咬合器２４０のロッド��合凹部２５０ａ，２５０ｂに嵌合したとき、正中線設定用ロッド２２５は、底版２４１及び頂版本体２４２に対しておのずと垂直になるとともに、瞳孔線設定用ロッド４は底版２４１及び頂版本体２４２の前方側端部に対して平行になる。【０４８６】  したがって、上顎歯列模型７１及び下顎歯列模型７２を、それらの正面が咬合器２４０の正面と一致する状態にて咬合器２４０に据え付けることが可能となり、咬合器２４０の正面から上顎歯列模型７１及び下顎歯列模型７２を見ることで、患者の口腔内における歯列を患者の正面から見た場合と同じ状況を再現することが可能となり、かくして差し歯の製作をより正確に行うことが可能となる。【０４８７】  また、本実施形態に係る咬合面トランスファー器具２２０及び咬合器２４０によれば、咬合面トランスファー器具２２０を咬合器２４０に着脱自在に取り付けることが可能となり、取付け時には咬合面トランスファー器具２２０を咬合器２４０に仮固定することができるとともに、取外し時には咬合器２４０から容易に取り外すことが可能となる。【０４８８】  したがって、上顎歯列模型７１及び下顎歯列模型７２を頂版本体２４２の下面及び底版２４１の上面にそれぞれ取り付ける作業が容易になる。【０４８９】  また、本実施形態に係る咬合器２４０によれば、固着後においてバイト材１′及び２つの側方バイト材２５′，２７′を撤去する際、該撤去の前後で底版２４１と頂版２４４との相対位置関係が保持されるように、かつ頂版２４４の反転の前後で底版２４１と頂版２４４との相対位置関係が保持されるように頂版２４４及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０４９０】  したがって、正常な咬合が行われる相対位置関係において上顎歯列用差し歯１４７を製作することが可能となるとともに、該上顎歯列用差し歯の製作中、咬合状態を随時チェックすべく、頂版２４４を構成する頂版本体２４２を頂版基部５３に対して元通り回転させても、上顎歯列模型７１と下顎歯列模型７２との相対位置関係は何ら変化しないため、上顎歯列用差し歯１４７の製作中において正常な咬合が行われているかどうかを随時チェックすることが可能となる。【０４９１】  また、本実施形態に係る咬合面設定用器具２６０によれば、上顎歯列模型７１及び下顎歯列模型７２に対する正中線ガイド部材２６３及び瞳孔線ガイド部材１６６の相対位置は、上顎歯列模型７１及び下顎歯列模型７２に対する正中線設定用ロッド２２５及び瞳孔線設定用ロッド４の向きと同一となる。【０４９２】  そのため、患者の瞳孔線４１、正中線４３及び特定正中線４２と口腔内の咬合面との相対位置関係は、瞳孔線ガイド部材１６６及び正中線ガイド部材２６３と上顎歯列模型７１及び下顎歯列模型７２との相対位置関係として咬合器２４０上で正確に再現される。【０４９３】  したがって、正中線ガイド部材２６３及び瞳孔線ガイド部材１６６を基準として高精度に上顎歯列用差し歯１４７を製作することが可能となる。【０４９４】  また、本実施形態に係る咬合面設定用器具２６０によれば、正中線設定用ロッド２２５と同様��正中線ガイド部材２６３を頂版本体２４２に対して垂直姿勢にて該頂版本体に着脱自在に仮固定することが可能となり、上顎歯列用差し歯１４７を製作する作業性を向上させることができる。【０４９５】  また、本実施形態に係る咬合面設定用器具２６０によれば、昇降部材２６４を正中線ガイド部材２６３に沿って昇降自在に取り付けるようにしたので、昇降部材２６４に取り付けられた瞳孔線ガイド部材１６６を上顎歯列模型７１の歯列に合わせて所望の高さに設定することが可能となり、上顎歯列用差し歯１４７の製作精度が向上する。【０４９６】  加えて、本実施形態に係る咬合面設定用器具２６０によれば、切歯ガイド部材１６５を正中線ガイド部材２６３の断面二軸のうち、瞳孔線ガイド部材１６６と直角な断面軸延長上にくるように構成したので、切歯ガイド部材１６５の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０４９７】  本実施形態では特に言及しなかったが、バイト材保持部は未硬化のバイト材１が保持されればその形状はどのようなものでもよい。すなわち、図２２と同様、咬合面トランスファー器具２２０のバイト材保持部２に代えて、バイト材保持部１０２を接続部材３に取り付けることができる。【０４９８】  なお、バイト材保持部１０２に関する構成やその作用効果については、第４実施形態で既に述べたので、ここではその説明を省略する。【０４９９】  また、本発明においても、差込穴６内に接着剤を注入して該差込穴に差込部７を嵌合するようにしてもよい点、接着剤によって嵌着部１３１を瞳孔線設定用ロッド４に固定するようにしてもよい点、咬合面設定用器具２６０を省略することができる点は、第４実施形態と同様であるが、その説明については第４実施形態で詳述したので、ここではその説明を省略する。【０５００】  また、本実施形態では、本発明の咬合器を高さ調整ロッド５６，５６に沿って頂版２４２が昇降自在となるように構成したが、上顎歯列模型７１及び下顎歯列模型７２の取付けに支障がなく頂版を昇降自在に構成する必要がないのであれば、頂版を昇降自在とする必要はない。【０５０１】  図３４は、変形例に係る咬合器を示した斜視図である。【０５０２】  同図からわかるように、変形例に係る咬合器２８０は、底版２４１と、該底版の後方側縁部に沿って互いに離間させた状態で立設された一対の支持ロッド１１５，１１５と、該支持ロッドの上端に固定された頂版２８４とからなり、該頂版は、支持ロッド１１５，１１５の上端にて固定された頂版基部１１３と該頂版基部にヒンジ９９，９９を介して連結された頂版本体２４２とから構成してある。以下、本変形例については、第４実施形態で詳述したので、ここではその説明を省略する。【０５０３】  また、本実施形態では、咬合面設定用器具２６０を用いて差し歯の製作を行うようにしたが、図３５に示す咬合器を使用することによって、咬合面設定用器具２６０を省略することができる。【０５０４】  図３５は、変形例に係る咬合器２９０を示した斜視図である。【０５０５】  同図に示すように、変形例に係る咬合器���９０は、本実施形態に係る咬合器２４０と同様、上面に下顎歯列模型７２が固着される底版２４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版２４４とから構成してあり、頂版２４４は、前方に向けて高さ調整ロッド５６，５６に片持ち状に取り付けてあるが、本変形例では、底版２４１及び頂版本体２４２の前方側端面にて該底版と平行に瞳孔線基準ライン２０３ａ，２０３ｂを設けてある。【０５０６】  なお、かかる構成による作用効果については、第４実施形態で既に述べたので、ここではその説明を省略する。【０５０７】  また、本実施形態では、咬合器２４０を構成する頂版２４４及び底版２４１を所定の厚みを有する矩形状の鋼板で構成したが、特に矩形状に限る必要はない。【０５０８】  図３６は、変形例に係る咬合器３００を示した斜視図である。【０５０９】  同図でわかるように、変形例に係る咬合器３００は、咬合器２４０とほぼ同様、上面に下顎歯列模型７２が固着される底版３０１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版３０３とから構成してあり、頂版３０３は、前方に向けて高さ調整ロッド５６，５６に片持ち状に取り付けてある。【０５１０】  また、底版３０１及び頂版３０３は、互いに平行に対向させてあるとともに両前方側端面が底版３０１に対する垂直面上に位置するように構成してあり、底版３０１の上面には下顎歯列模型７２を、頂版３０３の下面には上顎歯列模型７１をそれぞれ固着することができるようになっている。【０５１１】  頂版３０３は、高さ調整ロッド５６，５６が挿通される２つのロッド孔９１，９１が両端部に形成されてなる頂版基部５３と該頂版基部にヒンジ９９，９９を介して連結された頂版本体３０２とから構成してある。【０５１２】  ここで、底版３０１及び頂版本体３０２は咬合器２４０とは異なり、半楕円状で所定の厚みを有する鋼板で形成してあり、底版３０１の上面と頂版本体３０２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０５１３】  底版３０１及び頂版本体３０２の前方側端面には咬合器２４０と同様、ロッド嵌合凹部２５０ａ，２５０ｂを形成してある。【０５１４】  以下、本変形例に係る咬合器３００は、底版及び頂版の形状が異なる点を除き、咬合器２４０と同様であるので、その他の構成及び作用効果についてはその説明を省略する。【０５１５】  また、本実施形態では、第４実施形態に係る図１９及び図２０と同様、上顎歯列模型７１を用いて上顎歯列用差し歯を製作することを前提に、咬合面設定用器具２６０を頂版２４４の嵌合溝２５０ｂにのみ着脱するようにしたが、底版２４１の嵌合溝２５０ａにも着脱するようにしてもかまわないし、下顎歯列模型７２を使って下顎歯列用差し歯を製作��る際には、底版２４１の嵌合溝２５０ａにのみ着脱するようにしてもかまわない。【０５１６】  さらに言えば、咬合面設定用器具２６０の正中線ガイド部材２６３を、断面が矩形状となるように形成したが、かかる断面形状は、正中線ガイド部材２６３の全長にわたって同一である必要はなく、ロッド嵌合凹部２５０ａ，２５０ｂに嵌合する範囲にわたって矩形断面であれば足りる。【０５１７】  また、本実施形態では、昇降部材２６４を正中線ガイド部材２６３に沿って昇降させることにより、切歯ガイド部材１６５及び瞳孔線ガイド部材１６６の高さを変化させることができるようにしたが、かかる昇降部材２６４を省略してもかまわない。【０５１８】  図３７は、変形例に係る咬合面設定用器具３０５の斜視図及び断面図であり、同図に示す咬合面設定用器具３０５は、正中線ガイド部材２６３と、該正中線ガイド部材と直角になるように突設された切歯ガイド部材１６５と、該切歯ガイド部材にその材軸及び正中線ガイド部材２６３の材軸に直角に中央近傍が取り付けられた瞳孔線ガイド部材１６６とから構成してあり、正中線ガイド部材２６３の各端をロッド嵌合凹部２５０ａ，２５０ｂにそれぞれ着脱自在に嵌め込むようになっている。【０５１９】  かかる構成においては、切歯ガイド部材１６５及び瞳孔線ガイド部材１６６の高さを変化させることができないため、差し歯の製作精度が若干低下するとともに、差し歯の製作中、着脱の頻度が増えるために作業性が若干低下するが、フェイスボウが不要になるなど、上述したと同様の顕著な作用効果を奏することに何ら変わりはない。【０５２０】  一方、正中線ガイド部材２６３をロッド嵌合凹部２５０ａ，２５０ｂのいずれかのみに着脱自在に嵌め込むようにすれば、正中線ガイド部材２６３を随時着脱することによって該正中線ガイド部材の取付け高さを変更することができる。【０５２１】  そのため、かかる構成においては、切歯ガイド部材１６５及び瞳孔線ガイド部材１６６の高さを変化させることが可能になるとともに、差し歯の製作中、着脱の頻度が増えることもないため、作業性が低下することもない。【０５２２】  また、本実施形態では特に言及しなかったが、切歯ガイド部材１６５を伸縮自在に構成してもよい。【０５２３】  図３８は、変形例に係る咬合面設定用器具３０６を示した斜視図及び断面図である。同図に示す咬合面設定用器具３０６は、正中線ガイド部材２６３と、該正中線ガイド部材に沿って昇降自在に取り付けられた昇降部材２６４と、該昇降部材に正中線ガイド部材２６３と直角になるように突設された切歯ガイド部材１９３と、該切歯ガイド部材にその材軸及び正中線ガイド部材２６３の材軸に直角に中央近傍が取り付けられた瞳孔線ガイド部材１６６とから構成してあるが、本変形例では、切歯ガイド部材１９３は、昇降部材２６４に取り付けられた切歯ガイド本体１９２と、その先端に取り付けられ先鋭に形成された伸縮ガイド１９１とからなり、該伸縮ガイド１９１は、切歯ガイド本体１９２に対して伸縮自在に構成してある。【０５２４】  以下、伸縮ガイド１９１については、第４実施形態の変形例に詳述したので、ここではその説明を省略する。【０５２５】  また、本実施形態では特に言及しなかったが、本発明においては、咬合面設定用器具を構成する正中線ガイド部材に対する瞳孔線ガイド部材の配置角度が正中線設定用ロッドに対する瞳孔線設定用ロッドの配置角度と同一になるように構成してある限り、その配置角度は任意であり、本実施形態のように９０°である必要はない。【０５２６】  図３９は、咬合器２４０を構成する頂版本体２４２の見上げ図（上方を見上げた図）であり、（ａ）は、上述した配置角度が９０°でない任意の角度θ２の場合において、咬合面トランスファー器具２２０ａと上顎歯列模型７１あるいは咬合器２４０との相対位置関係を示した図、（ｂ）は、咬合面設定用器具２６０ａと上顎歯列模型７１あるいは咬合器２４０との相対位置関係を示したものである。【０５２７】  かかる場合には、同図で明らかなように、上顎歯列模型７１の正面と咬合器２４０の正面とは一致せず、角度θ２だけずれることになるが、咬合面トランスファー器具２２０ａを用いて上顎歯列模型７１を取り付けたときの角度ずれを咬合面設定用器具２６０ａによって再現することができるため、差し歯の製作上、何らの問題も生じないし、上述したと同様、高精度の差し歯を製作することができる。【０５２８】  なお、咬合面トランスファー器具２２０ａは、正中線設定用ロッド２２５に対する瞳孔線設定用ロッド４の配置角度が９０°でなく角度θ２である点を除き、咬合面トランスファー器具２２０と全く同一であるので、ここではその説明を省略する。【０５２９】  同様に、咬合面設定用器具２６０ａは、正中線ガイド部材２６３に対する瞳孔線ガイド部材１６６の配置角度が９０°でなく角度θ２である点を除き、咬合面設定用器具２６０と全く同一であるので、ここではその説明を省略する。【０５３０】  また、本実施形態では、咬合面トランスファー器具２２０、咬合器２４０及び咬合面設定用器具２６０を用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材２５，２７及びバイト材１を患者に咬ませ、かかる状態にて患者の瞳孔線４１を瞳孔線設定用ロッド４に、患者の正中線４３及び特定正中線４２を正中線設定用ロッド２２５にそれぞれ記録し、次いで、咬合面トランスファー器具２２０を用いて下顎歯列模型および上顎歯列模型を咬合器２４０に据え付けた上、咬合面設定用器具２６０を用いて下顎歯列用差し歯を製作すればよい。【０５３１】  かかる場合、上述したように、正中線ガイド部材２６３を底版２４１に形成された嵌合溝２５０ａに嵌合するようにすれば、噛み合わせを確認するために頂版本体２４２を反転させながら下顎歯列用差し歯を製作するにあたり、その都度、咬合面設定用器具２６０を咬合器２４０から取り外す必要がなくなる。【０５３２】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。【０５３３】（第６実施形態）【０５３４】  次に、第６実施形態について説明する。なお、上述の実施形態と実質的に同一の部品等については同一の符号を付してその説明を省略する。【０５３５】  図４０は、本実施形態に係る咬合面トランスファー器具を示した図であり、（ａ）は分解斜視図、（ｂ）は断面図である。同図でわかるように、本実施形態に係る咬合面トランスファー器具３２０は、未硬化のバイト材１を咬合可能な状態で保持するバイト材保持部２と、該バイト材保持部が一端に取り付けられた接続部材３と、該接続部材の他端に設けられた瞳孔線設定用ロッド４と、該瞳孔線設定用ロッドに直角にかつ該瞳孔線設定用ロッドの材軸廻りに任意の角度位置で着脱自在に取付け自在な正中線設定用ロッド３２５とからなり、瞳孔線設定用ロッド４は、接続部材３の材軸に対して直角にかつ該材軸廻りに回動自在となるようにその中央近傍で接続部材３に取り付けられるように構成してある。【０５３６】  ここで、正中線設定用ロッド３２５は、断面が非円形である三角状のロッド本体３３５と該ロッド本体の周面であってそのひとつの稜に沿って突設された断面が矩形状の突条体３３６から構成してあり、いずれもプラスチックで形成してあるとともに、その中央近傍に瞳孔線設定用ロッド４に嵌着可能な嵌着部１３１を取り付けてあり、該嵌着部を介して瞳孔線設定用ロッド４に着脱自在に取り付けることができるようになっている。【０５３７】  嵌着部１３１及び瞳孔線設定用ロッド４は、瞳孔線設定用ロッド４に正中線設定用ロッド３２５が取り付けられたとき、正中線設定用ロッド３２５が瞳孔線設定用ロッド４に沿って摺動自在かつその材軸廻りに回動自在となるように構成してある。【０５３８】  ここで、正中線設定用ロッド３２５及び嵌着部１３１は、該正中線設定用ロッドを瞳孔線設定用ロッド４に取り付けたときに突条体３３６の突設方向が瞳孔線設定用ロッド４の材軸に対して直角になるように構成してある。換言すれば、瞳孔線設定用ロッド４の材軸が正中線設定用ロッド３２５の突条体を含む突条平面と直交するように正中線設定用ロッド３２５及び嵌着部１３１を構成してある。【０５３９】  嵌着部１３１には、該嵌着部が瞳孔線設定用ロッド４に嵌着された状態にて正中線設定用ロッド３２５が瞳孔線設定用ロッド４の材軸廻りに所望の角度位置で固定されるように嵌着部固定機構１３４を設けてある。【０５４０】  以下、接続部材３、瞳孔線設定用ロッド４、嵌着部１３１及び嵌着部固定機構１３４の構成については、第１実施形態又は第４実施形態ですでに述べたので、ここではその説明を省略する。【０５４１】  図４１は本実施形態に係る咬合器を示した図であり、（ａ）は斜視図、（ｂ）は咬合器の前方側周辺の詳細断面図である。図４２は、本実施形態に係る咬合器の側面図を示す。これらの図でわかるように、本実施形態に係る咬合器３４０は、上面に下顎歯列模型７２が固着される底版３４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版３４４とから構成してあり、頂版３４４は、前方に向けて高さ調整ロッド５６，５��に片持ち状に取り付けてある。【０５４２】  ここで、底版３４１及び頂版３４４は、互いに平行に対向させてあるとともに両前方側端面が底版３４１に対する垂直面上に位置するように構成してあり、底版３４１の上面には下顎歯列模型７２を、頂版３４４の下面には上顎歯列模型７１をそれぞれ固着することができるようになっている。【０５４３】  底版３４１及び頂版３４４は、底版１４１及び頂版１４４と同様、例えば所定の厚みを有する矩形状の鋼板で構成することが可能であり、底版３４１の上面と頂版３４４の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０５４４】  また、底版３４１の後方側縁部に沿って互いに離間させた状態で一対の高さ調整ロッド５６，５６を立設してあり、頂版３４４は、高さ調整ロッド５６，５６が挿通される２つのロッド孔９１，９１が両端部に形成されてなる頂版基部５３と該頂版基部にヒンジ９９，９９を介して連結された頂版本体３４２とから構成してある。かかる構成により、頂版３４４全体を高さ調整ロッド５６，５６に沿って昇降させることができるとともに、頂版本体３４２を頂版基部５３の廻りに回転させて該頂版本体の上面及び下面を反転させることができるようになっている。【０５４５】  また、頂版３４４は、上述したようにその頂版本体３４２を頂版基部５３の廻りに回転させることができるようになっているが、頂版本体３４２の後方端面と頂版基部５３とが当接することで頂版本体３４２の回転が制限され、かかる状態において、該頂版本体は、底版３４１に対して水平前方に向けて片持ち状になるように構成してある。【０５４６】  このように、頂版本体３４２が水平前方に向いた位置で回転拘束されるようになっていることにより、頂版本体３４２の上面及び下面の反転の前後で底版３４１と頂版本体３４２との相対位置関係を保持することができる。【０５４７】  また、頂版基部５３の長手方向両端面には、固定機構９３，９３を設けてあるが、かかる固定機構については第４実施形態で既に述べたので、ここではその説明を省略する。【０５４８】  ここで、本実施形態に係る咬合器３４０は、頂版３４４及び底版３４１の前方側端面に正中線設定用ロッド３２５のロッド本体３３５が着脱自在に嵌合されるようにロッド嵌合凹部３５０ａ，３５０ｂを形成してあるとともに、正中線設定用ロッド３２５の突条体３３６が着脱自在に嵌合されるように嵌合溝３５１ａ，３５１ｂをロッド嵌合凹部３５０ａ，３５０ｂの内面に形成してあり、ロッド本体３３５及び突条体３３６をロッド嵌合凹部３５０ａ，３５０ｂ及び嵌合溝３５１ａ，３５１ｂにそれぞれ嵌合したとき、正中線設定用ロッド３２５が底版３４１に対して垂直になり、かつ正中線設定用ロッド３２５が底版３４１に対して垂直な軸線廻りに対し特定の角度に位置決めされた状態で仮固定されるようにロッド嵌合凹部３５０ａ，３５０ｂ及び嵌合溝３５１ａ，３５１ｂを構成してある。【０５４９】  一方、上述したように正中線設定用ロッド３２５及び嵌着部３３１は、該正中線設定用ロッドを瞳孔線設定用ロッド４に取り付けたとき���突条体３３６の突設方向が瞳孔線設定用ロッド４の材軸に対して直角になるように構成してある。【０５５０】  したがって、かかる突条体３３６を嵌合溝３５０ａ，３５０ｂに嵌合することにより、正中線設定用ロッド３２５及び瞳孔線設定用ロッド４は、底版３４１及び頂版３４４の前方側縁部で構成される平面、換言すれば咬合器３４０の正面と平行になるように取り付けられることとなり、後述する咬合面設定用器具３６０との併用によって、差し歯の製作を高精度に行うことができることとなる。【０５５１】  なお、嵌合溝３５０ａ，３５０ｂへの正中線設定用ロッド３２５の着脱を行うにあたって、取付け時には所定の強度で仮固定されるように、かつ取外し時には例えば手で手前に引く程度の力で外れるように、突条体３３６の外寸と嵌合溝３５０ａ，３５０ｂの内寸とを適宜調整しておく。【０５５２】  図４３は、本実施形態に係る咬合面設定用器具３６０を示した図であり、（ａ）は斜視図、（ｂ）は断面図である。図４４は、咬合面設定用器具３６０と咬合面トランスファー器具３２０との関係を示した図であり、（ａ）は咬合面設定用器具３６０の断面図、（ｂ）は咬合面トランスファー器具３２０の断面図である。【０５５３】  これらの図からわかるように、本実施形態に係る咬合面設定用器具３６０は、所定の正中線ガイド部材３６３と、該正中線ガイド部材に沿って昇降自在に取り付けられた昇降部材３６４と、該昇降部材に正中線ガイド部材３６３と直角になるように突設された切歯ガイド部材１６５と、該切歯ガイド部材にその材軸及び正中線ガイド部材３６３の材軸に直角に中央近傍が取り付けられた瞳孔線ガイド部材１６６とから構成してある。【０５５４】  昇降部材３６４を正中線ガイド部材３６３の所望の高さに固定する手段は公知の技術を適宜選択すればよい。【０５５５】  ここで、正中線ガイド部材３６３は、断面が三角形状の正中線ガイド用ロッド本体３６１と該正中線ガイド用ロッド本体の周面であってその材軸に沿って突設された正中線ガイド用突条体３６２とからなり、いずれもプラスチックで形成してある。【０５５６】  正中線ガイド部材３６３は、その断面形状が咬合面トランスファー器具３２０を構成する正中線設定用ロッド３２５の断面形状と同一となるように形成してある。【０５５７】  また、瞳孔線ガイド部材１６６は図４４でよくわかるように、正中線ガイド用突条体３６２の突設方向に対する該瞳孔線ガイド部材の配置角度α２が突条体３３６の突設方向に対する瞳孔線設定用ロッド４の配置角度と同じ角度α２となるように正中線ガイド部材３６３に対して位置決めしてある。つまり、本実施形態に係る咬合面設定用器具３６０は、かかる配置角度になるように切歯ガイド部材１６５を昇降部材３６４の周面に突設して構成してある。ちなみに、本実施形態では、α２は９０°に設定してある。【０５５８】  次に、本実施形態に係る咬合面トランスファー器具３２０、咬合器３４０及び咬合面設定用器具３６０を用いて差し歯を製作する手順を、患者の上顎歯列用差し歯を製作する場合を例として説明する。【０５５９】  上述した手順で患者の上顎歯列用差し歯を製作するにあたっては、第４実施形態と同様、まず、患者の口腔内における咬合面を患者の瞳孔線４１、正中線４３及び特定正中線４２という形で咬合面トランスファー器具３２０に記録し、次いで、これら瞳孔線４１、正中線４３及び特定正中線４２が記録された咬合面トランスファー器具３２０を用いて上顎歯列模型７１及び下顎歯列模型７２を咬合器３４０に固着し、しかる後、咬合面設定用器具３６０を咬合器３４０に取り付け、かかる状態で上顎歯列模型７１及び下顎歯列模型７２を用いて上顎歯列用差し歯を製作する。【０５６０】  ここで、かかる差し歯を製作するにあたっては、咬合面トランスファー器具３２０の正中線設定用ロッド３２５を構成するロッド本体３３５及び突条体３３６をロッド嵌合凹部３５０ａ，３５０ｂ及び嵌合溝３５１ａ，３５１ｂにそれぞれ嵌合して下顎歯列模型７２を底版３４１の上面に、上顎歯列模型７１を頂版本体３４２の下面にそれぞれ固着するとともに、咬合面設定用器具３６０の正中線ガイド用ロッド本体３６１と該正中線ガイド用ロッド本体に突設された正中線ガイド用突条体３６２をロッド嵌合凹部３５０ａ，３５０ｂ及び嵌合溝３５１ａ，３５１ｂにそれぞれ嵌合して差し歯を製作するが、その具体的手順については第４実施形態と概ね同様であるので、ここではその説明を省略し、特記すべき内容だけ以下に述べる。【０５６１】  第１に、咬合器３４０は、正中線設定用ロッド３２５が底版３４１に対して垂直になり、かつ正中線設定用ロッド３２５が底版３４１に対して垂直な軸線廻りに対し特定の角度に位置決めされた状態で仮固定されるようにロッド嵌合凹部３５０ａ，３５０ｂ及び嵌合溝３５１ａ，３５１ｂを構成してある。【０５６２】  そのため、咬合面トランスファー器具３２０の正中線設定用ロッド３２５を咬合器３４０のロッド嵌合凹部３５０ａ，３５０ｂ及び嵌合溝３５１ａ，３５１ｂに嵌合したとき、正中線設定用ロッド３２５及び瞳孔線設定用ロッド４は、底版３４１及び頂版３４４の前方側縁部で構成される平面、換言すれば咬合器３４０の正面と平行になるように取り付けられることとなる。【０５６３】  第２に、咬合面設定用器具３６０は、正中線ガイド部材３６３に対する瞳孔線ガイド部材１６６の配置角度が正中線設定用ロッド３２５に対する瞳孔線設定用ロッド４の配置角度と同一になるように構成してある。【０５６４】  一方、瞳孔線設定用ロッド４は、接続部材３を介してバイト材保持部２に取り付けてあるため、咬合面トランスファー器具３２０を用いて咬合器３４０に固着された上顎歯列模型７１及び下顎歯列模型７２の向きは、咬合面トランスファー器具３２０の正中線設定用ロッド３２５に対する瞳孔線設定用ロッド４の配置角度で決定される。【０５６５】  したがって、瞳孔線ガイド部材１６６の向きは、上顎歯列模型７１及び下顎歯列模型７２を取り付けたときの瞳孔線設定用ロッド４の向きが再現され、その向きと同じになり、患者の瞳孔線４１、正中線４３及び特定正中線４２と口腔内の咬合面との相対位置関係は、瞳孔線ガイド部材１６６及び正中線ガイド部材３６３と上顎歯列模型７１及び下顎歯列模型７２との相対位置関係として咬合器３４０上で正確に再現されることとなり、瞳孔線ガイド部材１６６及び正中線ガイド部材３６３を基準として高精度に差し歯を製作することが可能となる。【０５６６】  以上説明したように、本実施形態に係る咬合面トランスファー器具３２０によれば、患者の上顎前歯３１と下顎前歯３２とで咬ませたバイト材１が硬化した後、接続部材３に取付けられた瞳孔線設定用ロッド４を該接続部材の材軸回りに揺動又は回動させることで、瞳孔線設定用ロッド４を患者の瞳孔線４１に対して平行に位置決めし、かかる位置にて瞳孔線設定用ロッド４を接続部材３に固定することが可能となる。【０５６７】  したがって、患者の瞳孔線４１を上顎歯列２８と下顎歯列２９との咬合面に対する相対位置関係として瞳孔線設定用ロッド４に記録することが可能となる。【０５６８】  また、本実施形態に係る咬合面トランスファー器具３２０によれば、上顎前歯３１及び下顎前歯３２にバイト材保持部２に保持され硬化したバイト材１′を咬ませた状態を保ったまま、正中線設定用ロッド３２５を患者の正中線４３に沿うように瞳孔線設定用ロッド４に直角にかつ、正中線設定用ロッド３２５が特定正中線４２に対して平行になるように正中線設定用ロッド３２５の周面に取り付けられた嵌着部１３１を瞳孔線設定用ロッド４に嵌着し、かかる状態にて正中線設定用ロッド３２５を瞳孔線設定用ロッド４に固定することが可能となる。【０５６９】  したがって、患者の正中線４３及び特定正中線４２を瞳孔線設定用ロッド４に対する相対位置関係として正中線設定用ロッド３２５に記録することが可能となる。【０５７０】  そして、患者の口腔内の咬合面と、瞳孔線４１、正中線４３及び特定正中線４２からなる一群の審美情報とが互いに関連付けられた状態で瞳孔線設定用ロッド４及び正中線設定用ロッド３２５に記録することができるので、審美的な歯列となる差し歯を製作することが可能となる。【０５７１】  また、本実施形態に係る咬合面トランスファー器具３２０及び咬合器３４０によれば、瞳孔線設定用ロッド４を介して患者の瞳孔線４１を咬合器３４０の底版３４１と平行な関係として該咬合器に移すことができるとともに、正中線設定用ロッド３２５を介して正中線４３及び特定正中線４２を咬合器３４０の底版３４１と垂直な関係として該咬合器に記録が移すことが可能となる。【０５７２】  したがって、上顎歯列模型７１及び下顎歯列模型７２を、その咬合面が患者の口腔内における咬合面と三次元座標上で同一となるように咬合器３４０に固着することが可能となり、それゆえ、かかる口腔内における咬合面が咬合器３４０に再現された状態で審美的に優れた差し歯を製作することができる。【０５７３】  加えて、本実施形態に係る咬合面トランスファー器具３２０及び咬合器３４０によれば、突条体３３６の突設方向が瞳孔線設定用ロッド４の材軸に対して直角になるように咬合面トランスファー器具３２０を構成してあるとともに、嵌合溝３５１ａ，３５１ｂが頂版本体３４２及び底版３４１の前方側端面に対して垂直になるように咬合器３４０を構成したので、突条体３３６を嵌合溝３５１ａ，３５１ｂに嵌合したとき、正中線設定用ロッド３２５は、底版３４１及び頂版本体３４２に対しておのずと垂直になるとともに、瞳孔線設定用ロッド４は底版３４１及び頂版本体３４２の前方側端部に対して平行になる。【０５７４】  したがって、上顎歯列模型７１及び下顎歯列模型７２を、それらの正面が咬合器３４０の正面と一致する状態にて咬合器３４０に据え付けることが可能となり、咬合器３４０の正面から上顎歯列模型７１及び下顎歯列模型７２を見ることで、患者の口腔内における歯列を患者の正面から見た場合と同じ状況を再現することが可能となり、かくして差し歯の製作をより正確に行うことが可能となる。【０５７５】  また、本実施形態に係る咬合面トランスファー器具３２０及び咬合器３４０によれば、咬合面トランスファー器具３２０を咬合器３４０に着脱自在に取り付けることが可能となり、取付け時には咬合面トランスファー器具３２０を咬合器３４０に仮固定することができるとともに、取外し時には咬合器３４０から容易に取り外すことが可能となる。【０５７６】  したがって、上顎歯列模型７１及び下顎歯列模型７２を頂版本体３４２の下面及び底版３４１の上面にそれぞれ取り付ける作業が容易になる。【０５７７】  また、本実施形態に係る咬合器３４０によれば、固着後においてバイト材１′及び２つの側方バイト材２５′，２７′を撤去する際、該撤去の前後で底版３４１と頂版３４４との相対位置関係が保持されるように、かつ頂版３４４の反転の前後で底版３４１と頂版３４４との相対位置関係が保持されるように頂版３４４及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０５７８】  したがって、正常な咬合が行われる相対位置関係において上顎歯列用差し歯１４７を製作することが可能となるとともに、該上顎歯列用差し歯の製作中、咬合状態を随時チェックすべく、頂版３４４を構成する頂版本体３４２を頂版基部５３に対して元通り回転させても、上顎歯列模型７１と下顎歯列模型７２との相対位置関係は何ら変化しないため、上顎歯列用差し歯１４７の製作中において正常な咬合が行われているかどうかを随時チェックすることが可能となる。【０５７９】  また、本実施形態に係る咬合面設定用器具３６０によれば、上顎歯列模型７１及び下顎歯列模型７２に対する正中線ガイド部材３６３及び瞳孔線ガイド部材１６６の相対位置は、上顎歯列模型７１及び下顎歯列模型７２に対する正中線設定用ロッド３２５及び瞳孔線設定用ロッド４の向きと同一となる。【０５８０】  そのため、患者の瞳孔線４１、正中線４３及び特定正中線４２と口腔内の咬合面との相対位置関係は、瞳孔線ガイド部材１６６及び正中線ガイド部材３６３と上顎歯列模型７１及び下顎歯列模型７２との相対位置関係として咬合器３４０上で正確に再現される。【０５８１】  したがって、正中線ガイド部材３６３及び瞳孔線ガイド部材１６６を基準として高精度に上顎歯列用差し歯１４７を製作することが可能となる。【０５８２】  また、本実施形態に係る咬合面設定用器具３６０によれば、正中線設定用ロッド３２５と同様、正中線ガイド部材３６３を頂版本体３４２に対して垂直姿勢にて該頂版本体に着脱自在に仮固定することが可能となり、上顎歯列用差し歯１４７を製作する作業性を向上させることができる。【０５８３】  また、本実施形態に係る咬合面設定用器具３６０によれば、昇降部材３６４を正中線ガイド部材３６３に沿って昇降自在に取り付けるようにしたので、昇降部材３６４に取り付けられた瞳孔線ガイド部材１６６を上顎歯列模型７１の歯列に合わせて所望の高さに設定することが可能となり、上顎歯列用差し歯１４７の製作精度が向上する。【０５８４】  加えて、本実施形態に係る咬合面設定用器具３６０によれば、切歯ガイド部材１６５を正中線ガイド用突条体３６２の突設方向延長上にくるように構成したので、切歯ガイド部材１６５の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０５８５】  本実施形態では特に言及しなかったが、バイト材保持部は未硬化のバイト材１が保持されればその形状はどのようなものでもよい。すなわち、図２２と同様、咬合面トランスファー器具３２０のバイト材保持部２に代えて、バイト材保持部１０２を接続部材３に取り付けることができる。【０５８６】  なお、バイト材保持部１０２に関する構成やその作用効果については、第４実施形態で既に述べたので、ここではその説明を省略する。【０５８７】  また、本発明においても、差込穴６内に接着剤を注入して該差込穴に差込部７を嵌合するようにしてもよい点、接着剤によって嵌着部１３１を瞳孔線設定用ロッド４に固定するようにしてもよい点、咬合面設定用器具３６０を省略することができる点は、第４実施形態と同様であるが、その説明については第４実施形態で詳述したので、ここではその説明を省略する。【０５８８】  また、本実施形態では、本発明の咬合器を高さ調整ロッド５６，５６に沿って頂版３４４が昇降自在となるように構成したが、上顎歯列模型７１及び下顎歯列模型７２の取付けに支障がなく頂版を昇降自在に構成する必要がないのであれば、頂版を昇降自在とする必要はない。【０５８９】  図４５は、変形例に係る咬合器を示した斜視図である。【０５９０】  同図からわかるように、変形例に係る咬合器３８０は、底版３４１と、該底版の後方側縁部に沿って互いに離間させた状態で立設された一対の支持ロッド１１５，１１５と、該支持ロッドの上端に固定された頂版３８４とからなり、該頂版は、支持ロッド１１５，１１５の上端にて固定された頂版基部１１３と該頂版基部にヒンジ９９，９９を介して連結された頂版本体３４２とから構成してある。以下、本変形例については、第４実施形態で詳述したので、ここではその説明を省略する。【０５９１】  また、本実施形態では、咬合面設定用器具３６０を用いて差し歯の製作を行うようにしたが、図４６に示す咬合器を使用することによって、咬合面設定用器具３６０を省略することができる。【０５９２】  図４６は、変形例に係る咬合器３９０を示した斜視図である。【０５９３】  同図に示すように、変形例に係る咬合器３９０は、本実施形態に係る咬合器３４０と同様、上面に下顎歯列模型７２が固着される底版３４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が���着される頂版３４４とから構成してあり、頂版３４４は、前方に向けて高さ調整ロッド５６，５６に片持ち状に取り付けてあるが、本変形例では、底版３４１及び頂版本体３４２の前方側端面にて該底版と平行に瞳孔線基準ライン２０３ａ，２０３ｂを設けてある。【０５９４】  なお、かかる構成による作用効果については、第４実施形態で既に述べたので、ここではその説明を省略する。【０５９５】  また、本実施形態では、咬合器３４０を構成する頂版３４４及び底版３４１を所定の厚みを有する矩形状の鋼板で構成したが、特に矩形状に限る必要はない。【０５９６】  図４７は、変形例に係る咬合器４００を示した斜視図である。【０５９７】  同図でわかるように、変形例に係る咬合器４００は、咬合器３４０とほぼ同様、上面に下顎歯列模型７２が固着される底版４４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版４４４とから構成してあり、頂版４４４は、前方に向けて高さ調整ロッド５６，５６に片持ち状に取り付けてある。【０５９８】  また、底版４４１及び頂版４４４は、互いに平行に対向させてあるとともに両前方側端面が底版４４１に対する垂直面上に位置するように構成してあり、底版４４１の上面には下顎歯列模型７２を、頂版４４４の下面には上顎歯列模型７１をそれぞれ固着することができるようになっている。【０５９９】  頂版４４４は、高さ調整ロッド５６，５６が挿通される２つのロッド孔９１，９１が両端部に形成されてなる頂版基部５３と該頂版基部にヒンジ９９，９９を介して連結された頂版本体４４２とから構成してある。【０６００】  ここで、底版４４１及び頂版本体４４２は咬合器３４０とは異なり、半楕円状で所定の厚みを有する鋼板で形成してあり、底版４４１の上面と頂版本体４４２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０６０１】  底版４４１及び頂版本体４４２の前方側端面には咬合器３４０と同様、正中線設定用ロッド３２５のロッド本体３３５が着脱自在に嵌合されるようにロッド嵌合凹部３５０ａ，３５０ｂを形成してあるとともに、正中線設定用ロッド３２５の突条体３３６が着脱自在に嵌合されるように嵌合溝３５１ａ，３５１ｂをロッド嵌合凹部３５０ａ，３５０ｂの内面に形成してある。【０６０２】  以下、本変形例に係る咬合器４００は、底版及び頂版の形状が異なる点を除き、咬合器３４０と同様であるので、その他の構成及び作用効果についてはその説明を省略する。【０６０３】  また、本実施形態では、第４実施形態に係る図１９及び図２０と同様、上顎歯列模型７１を用いて上顎歯列用差し歯を製作することを前提に、咬合面設定用器具３６０を頂版３４４の嵌合溝３５１ｂ及びロッド嵌合凹部３５０ｂにのみ着脱するようにしたが、底版３４１の嵌合溝３５１ａ及びロッド嵌合凹部３５０ａにも着脱するようにしてもかまわないし、下顎歯列模型７２を使って下顎歯列用差し歯を製作する際��は、底版３４１の嵌合溝３５１ａ及びロッド嵌合凹部３５０ａにのみ着脱するようにしてもかまわない。【０６０４】  さらに言えば、咬合面設定用器具３６０の正中線ガイド部材３６３を、断面が三角状のロッド本体の一つの稜にその材軸に沿って断面が矩形状の突条体を突設して構成したが、かかる断面形状は、正中線ガイド部材３６３の全長にわたって同一である必要はなく、嵌合溝３５１ａ及びロッド嵌合凹部３５０ａあるいは嵌合溝３５１ｂ及びロッド嵌合凹部３５０ｂに嵌合する範囲にわたって上述した断面であれば足りる。【０６０５】  また、本実施形態では、昇降部材３６４を正中線ガイド部材３６３に沿って昇降させることにより、切歯ガイド部材１６５及び瞳孔線ガイド部材１６６の高さを変化させることができるようにしたが、かかる昇降部材３６４を省略してもかまわない。【０６０６】  図４８は、変形例に係る咬合面設定用器具５００の斜視図及び断面図であり、同図に示す咬合面設定用器具５００は、正中線ガイド部材３６３と、該正中線ガイド部材と直角になるように突設された切歯ガイド部材１６５と、該切歯ガイド部材にその材軸及び正中線ガイド部材３６３の材軸に直角に中央近傍が取り付けられた瞳孔線ガイド部材１６６とから構成してあり、正中線ガイド部材３６３の各端を嵌合溝３５１ａ及びロッド嵌合凹部３５０ａ、嵌合溝３５１ｂ及びロッド嵌合凹部３５０ｂにそれぞれ着脱自在に嵌め込むようになっている。【０６０７】  かかる構成においては、切歯ガイド部材１６５及び瞳孔線ガイド部材１６６の高さを変化させることができないため、差し歯の製作精度が若干低下するとともに、差し歯の製作中、着脱の頻度が増えるために作業性が若干低下するが、フェイスボウが不要になるなど、上述したと同様の顕著な作用効果を奏することに何ら変わりはない。【０６０８】  一方、正中線ガイド部材３６３を嵌合溝３５１ａ及びロッド嵌合凹部３５０ａか、又は嵌合溝３５１ｂ及びロッド嵌合凹部３５０ｂのいずれかのみに着脱自在に嵌め込むようにすれば、正中線ガイド部材３６３を随時着脱することによって該正中線ガイド部材の取付け高さを変更することができる。【０６０９】  そのため、かかる構成においては、切歯ガイド部材１６５及び瞳孔線ガイド部材１６６の高さを変化させることが可能になるとともに、差し歯の製作中、着脱の頻度が増えることもないため、作業性が低下することもない。【０６１０】  また、本実施形態では特に言及しなかったが、切歯ガイド部材１６５を伸縮自在に構成してもよい。【０６１１】  図４９は、変形例に係る咬合面設定用器具５５０を示した斜視図及び断面図である。同図に示す咬合面設定用器具５５０は、正中線ガイド部材３６３と、該正中線ガイド部材に沿って昇降自在に取り付けられた昇降部材３６４と、該昇降部材に正中線ガイド部材３６３と直角になるように突設された切歯ガイド部材１９３と、該切歯ガイド部材にその材軸及び正中線ガイド部材３６３の材軸に直角に中央近傍が取り付けられた瞳孔線ガイド部材１６６とから構成してあるが、本変形例では、切歯ガイド部材１９３は、昇降部材３６４に取り付けられた切歯ガイド本体１９２と、その先端に取り付けられ先鋭に形成された伸縮ガイド１９１とか���なり、該伸縮ガイド１９１は、切歯ガイド本体１９２に対して伸縮自在に構成してある。【０６１２】  以下、伸縮ガイド１９１については、第４実施形態の変形例に詳述したので、ここではその説明を省略する。【０６１３】  また、本実施形態では特に言及しなかったが、本発明においては、咬合面設定用器具を構成する正中線ガイド部材に対する瞳孔線ガイド部材の配置角度が正中線設定用ロッドに対する瞳孔線設定用ロッドの配置角度と同一になるように構成してある限り、その配置角度は任意であり、本実施形態のように９０°である必要はない。【０６１４】  図５０は、咬合器３４０を構成する頂版本体３４２の見上げ図（上方を見上げた図）であり、（ａ）は、上述した配置角度が９０°でない任意の角度θ３の場合において、咬合面トランスファー器具３２０ａと上顎歯列模型７１あるいは咬合器３４０との相対位置関係を示した図、（ｂ）は、咬合面設定用器具３６０ａと上顎歯列模型７１あるいは咬合器１４０との相対位置関係を示したものである。【０６１５】  かかる場合には、同図で明らかなように、上顎歯列模型７１の正面と咬合器３４０の正面とは一致せず、角度θ３だけずれることになるが、咬合面トランスファー器具３２０ａを用いて上顎歯列模型７１を取り付けたときの角度ずれを咬合面設定用器具３６０ａによって再現することができるため、差し歯の製作上、何らの問題も生じないし、上述したと同様、高精度の差し歯を製作することができる。【０６１６】  なお、咬合面トランスファー器具３２０ａは、正中線設定用ロッド３２５に対する瞳孔線設定用ロッド４の配置角度が９０°でなく角度θ３である点を除き、咬合面トランスファー器具３２０と全く同一であるので、ここではその説明を省略する。【０６１７】  同様に、咬合面設定用器具３６０ａは、正中線ガイド部材３６３に対する瞳孔線ガイド部材１６６の配置角度が９０°でなく角度θ３である点を除き、咬合面設定用器具３６０と全く同一であるので、ここではその説明を省略する。【０６１８】  また、本実施形態では、咬合面トランスファー器具３２０、咬合器３４０及び咬合面設定用器具３６０を用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材２５，２７及びバイト材１を患者に咬ませ、かかる状態にて患者の瞳孔線４１を瞳孔線設定用ロッド４に、患者の正中線４３及び特定正中線４２を正中線設定用ロッド１２５にそれぞれ記録し、次いで、咬合面トランスファー器具３２０を用いて下顎歯列模型および上顎歯列模型を咬合器３４０に据え付けた上、咬合面設定用器具３６０を用いて下顎歯列用差し歯を製作すればよい。【０６１９】  かかる場合、上述したように、正中線ガイド部材３６３を底版３４１に形成された嵌合溝３５１ａ及びロッド嵌合凹部３５０ａに嵌合するようにすれば、噛み合わせを確認するために頂版本体３４２を反転させながら下顎歯列用差し歯を製作するにあたり、その都度、咬合面設定用器具３６０を咬合器３４０から取り外す必要がなくなる。【０６２０】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。【０６２１】（第７実施形態）【０６２２】  次に、第７実施形態について説明する。なお、上述の実施形態と実質的に同一の部品等については同一の符号を付してその説明を省略する。【０６２３】  図５１は、本実施形態に係る咬合器を示した図であり、（ａ）は斜視図、（ｂ）は咬合器の前方側周辺の詳細断面図である。図５２は、本実施形態に係る咬合器の側面図を示す。これらの図でわかるように、本実施形態に係る咬合器６００は、上面に下顎歯列模型７２が固着される底版６０１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版６０４と、該頂版の前方側近傍に該頂版を貫通する形で設けられた咬合面設定用機構６２０とから構成してあり、頂版６０４は、前方に向けて高さ調整ロッド５６，５６に片持ち状に取り付けてある。【０６２４】  ここで、底版６０１及び頂版６０４は、互いに平行に対向させてあるとともに両前方側端面が底版６０１に対する垂直面上に位置するように構成してあり、底版６０１の上面には下顎歯列模型７２を、頂版６０４の下面には上顎歯列模型７１をそれぞれ固着することができるようになっている。【０６２５】  底版６０１及び頂版６０４は、例えば所定の厚みを有する矩形状の鋼板で構成することが可能であり、底版６０１の上面と頂版６０４の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０６２６】  また、底版６０１の後方側縁部に沿って互いに離間させた状態で一対の高さ調整ロッド５６，５６を立設してあり、頂版６０４は、高さ調整ロッド５６，５６が挿通される２つのロッド孔９１，９１が両端部に形成されてなる頂版基部５３と該頂版基部にヒンジ９９，９９を介して連結された頂版本体６０２とから構成してある。かかる構成により、頂版６０４全体を高さ調整ロッド５６，５６に沿って昇降させることができるとともに、頂版本体６０２を頂版基部５３の廻りに回転させて該頂版本体の上面及び下面を反転させることができるようになっている。【０６２７】  また、頂版６０４は、上述したようにその頂版本体６０２を頂版基部５３の廻りに回転させることができるようになっているが、頂版本体６０２の後方端面と頂版基部５３とが当接することで頂版本体６０２の回転が制限され、かかる状態において、該頂版本体は、底版６０１に対して水平前方に向けて片持ち状になるように構成してある。【０６２８】  このように、頂版本体６０２が水平前方に向いた位置で回転拘束されるようになっていることにより、頂版本体６０２の上面及び下面の反転の前後で底版６０１と頂版６０４との相対位置関係を保持することができる。【０６２９】  また、頂版基部５３の長手方向��端面には、固定機構９３，９３を設けてあり、頂版基部５３、ひいては頂版６０４全体を高さ調整ロッド５６，５６の所望位置に固定することができるようになっているが、かかる構成については第２実施形態ですでに述べたので省略する。【０６３０】  ここで、咬合面設定用機構６２０は、頂版本体６０２に形成された貫通孔６１５に材軸廻りに非回転となるように挿通され断面が矩形状の昇降ロッド６１２と、該昇降ロッドの下端近傍にてその材軸に直角になるようにかつ頂版６０４及び底版６０１の前方側縁部に対して直交するように底版６０１の後方側に突設された切歯ガイド部材６１４と、昇降ロッド６１２の下端近傍にてその材軸及び切歯ガイド部材６１４に直角になるように設けられた瞳孔線ガイド部材６１３とから構成してあり、昇降ロッド６１２は、頂版本体６０２に対して垂直に昇降自在となるように貫通孔６１５を形成してある。【０６３１】  なお、切歯ガイド部材６１４は、上述したように頂版６０４及び底版６０１の前方側縁部に対して直交するように底版６０１の後方側に突設してあるため、瞳孔線ガイド部材６１３は頂版６０４及び底版６０１の前方側縁部と平行に位置決めされることとなる。【０６３２】  昇降ロッド６１２の背面にはラック６１６を設けてあるとともに該ラックに噛合するピニオン６１７を頂版６０４の上面に設けてあり、該ピニオンの回転軸に連結された高さ調整つまみ６１８を回すことによって、昇降ロッド６１２を昇降自在にかつ所望の位置にて固定できるように構成してある。【０６３３】  一方、本実施形態に係る咬合器６００は、底版６０１と頂版６０４の前方側端面に咬合面トランスファー器具１０の正中線設定用ロッド５が着脱自在に嵌合される正中線設定用ロッド溝６１０ａ、正中線設定用ロッド溝６１０ｂをそれぞれ形成してあるとともに、該２つの正中線設定用ロッド溝を底版６０１に対する同一の垂直線上にそれぞれ形成してあり、正中線設定用ロッド５を正中線設定用ロッド溝６１０ａ，６１０ｂに嵌合したとき、正中線設定用ロッド５が底版６０１に対して垂直になり、かつその材軸と切歯ガイド部材６１４の材軸が同一面内に含まれるように正中線設定用ロッド溝６１０ａ，６１０ｂを形成してある。【０６３４】  したがって、瞳孔線設定用ロッド４が咬合面設定用機構６２０を構成する瞳孔線ガイド部材６１３に平行になるように正中線設定用ロッド５を正中線設定用ロッド溝６１０ａ，６１０ｂに嵌合することにより、正中線設定用ロッド５及び瞳孔線設定用ロッド４は、底版６０１及び頂版６０４の前方側縁部で構成される平面、換言すれば咬合器６００の正面と平行になるように取り付けられることとなる。【０６３５】  なお、正中線設定用ロッド溝６１０ａ，６１０ｂへの正中線設定用ロッド５の着脱を行うにあたって、取付け時には所定の強度で仮固定されるように、かつ取外し時には例えば手で手前に引く程度の力で外れるように、正中線設定用ロッド５の外径と正中線設定用ロッド溝６１０ａ，６１０ｂの内径とを適宜調整しておく。【０６３６】  次に、本実施形態に係る咬合面トランスファー器具１０及び咬合器６００を用いて差し歯を製作する手順を、患者の上顎歯列用差し歯を製作する場合を例として説明する。【０６３７】  上述した手順で患者の上顎歯列用差し歯を製作するにあたっては、まず、患者の口腔内における咬合面を患者の瞳孔線４１、正中線４３及び特定正中線４２という形で咬合面トランスファー器具１０に記録し、次いで、これら瞳孔線４１、正中線４３及び特定正中線４２が記録された咬合面トランスファー器具１０を用いて上顎歯列模型７１及び下顎歯列模型７２を咬合器６００に固着し、かかる状態で上顎歯列模型７１及び下顎歯列模型７２を用いて上顎歯列用差し歯を製作する。【０６３８】  以下、その具体的手順を詳細に説明する。【０６３９】  なお、上顎歯列をタービン等で削り差し歯を支えるための支柱を形成し、２つの側方バイト材２５，２７及びバイト材１を患者に咬ませ、かかる状態にて咬合面トランスファー器具１０を用いて患者の瞳孔線４１を瞳孔線設定用ロッド４に、患者の正中線４３及び特定正中線４２を正中線設定用ロッド５にそれぞれ記録する手順については第１実施形態ですでに述べたので、ここではその説明を省略する。【０６４０】  まず、咬合面トランスファー器具１０を用いて上顎歯列模型７１及び下顎歯列模型７２を咬合器６００に固着する。【０６４１】  図５３及び図５４は、本実施形態に係る咬合器６００に咬合面トランスファー器具１０を装着した場合を示した正面図及び側面図である。【０６４２】  これらの図からわかるように、咬合面トランスファー器具１０を用いて上顎歯列模型７１及び下顎歯列模型７２を咬合器６００に固着するには、まず、咬合面トランスファー器具１０のバイト材保持部２に保持された硬化済みのバイト材１′を該バイト材に圧痕された咬合型に合わせて上顎歯列模型７１の前歯７３と下顎歯列模型７２の前歯７４とで咬ませるとともに、右側の上下臼歯２３，２４（図２参照）の咬合型が圧痕された側方バイト材２５′及び左側の上下臼歯２１，２６（図２参照）の咬合型が圧痕された側方バイト材２７′を各咬合型に合わせて上顎歯列模型７１及び下顎歯列模型７２の右上下臼歯７５，７６と左上下臼歯７７，７８にそれぞれ咬ませ、かかる状態で咬合面トランスファー器具１０を構成する正中線設定用ロッド５を底版６０１と頂版本体６０２の前方側端面にて形成された正中線設定用ロッド溝６１０ａ，６１０ｂにそれぞれ嵌合し、しかる後、石膏等を用いて下顎歯列模型７２を底版６０１の上面に、上顎歯列模型７１を頂版本体６０２の下面にそれぞれ固着する。【０６４３】  このように正中線設定用ロッド５を正中線設定用ロッド溝６１０ａ，６１０ｂに嵌合することにより、患者の瞳孔線４１は、咬合器６００を構成する底版６０１と平行な関係として該咬合器に記録が移されるとともに、正中線４２及び特定正中線４２は、咬合器６００を構成する底版６０１と垂直な関係として該咬合器に記録が移される。【０６４４】  ここで、正中線設定用ロッド５を底版６０１と頂版本体６０２の前方側端面にて形成された正中線設定用ロッド溝６１０ａ，６１０ｂにそれぞれ嵌合する際、瞳孔線設定用ロッド４が咬合面設定用機構６２０の瞳孔線ガイド部材６１３に平行になるように正中線設定用ロッド５を正中線設定用ロッド溝６１０ａ，６１０ｂに嵌合するようにする。【０６４５】  なお、瞳孔線設定用ロッド４が瞳孔線ガイド部材６１３に平行になるように正中線設定用ロッド５を正中線設定用ロッド溝６１０ａ，６１０ｂにそれぞれ嵌合する際、昇降ロッド６１２を適宜昇降させることによって、瞳孔線設定用ロッド４と瞳孔線ガイド部材６１３とを近接させればよい。【０６４６】  このようにすると、瞳孔線ガイド部材６１３に対する瞳孔線設定用ロッド４の位置決めをより正確に行うことが可能となる。上顎歯列模型７１及び下顎歯列模型７２を咬合器６００内に挿入する際や石膏を盛る際には、必要に応じて昇降ロッド６１２を引き上げ、上述した作業の効率を高めるのが望ましい。【０６４７】  正中線設定用ロッド５を正中線設定用ロッド溝６１０ａ，６１０ｂにそれぞれ嵌合する際、正中線設定用ロッド５を断面が円状のプラスチックロッドで構成してあるとともに正中線設定用ロッド溝６１０ａ，６１０ｂの内径を正中線設定用ロッド５の外径よりも若干小さく形成してあるため、取付け時には咬合面トランスファー器具１０を咬合器６００に仮固定することができるとともに、取外し時には咬合器６００から容易に取り外すことが可能となる。【０６４８】  咬合面設定用機構６２０は、昇降ロッド６１２を頂版本体６０２に対して垂直に昇降自在となるように構成してあるとともに切歯ガイド部材６１４を頂版６０４及び底版６０１の前方側縁部に対して直交するように底版６０１の後方側に突設して構成してあるため、瞳孔線ガイド部材６１３は、頂版６０４及び底版６０１の前方側縁部と平行に位置決めされる。【０６４９】  一方、咬合面トランスファー器具１０は、患者の口腔内の咬合面との相対位置関係として瞳孔線４１が瞳孔線設定用ロッド４に、正中線４３及び特定正中線４２が正中線設定用ロッド５にそれぞれ記録されてある。【０６５０】  そのため、瞳孔線設定用ロッド４が瞳孔線ガイド部材６１３に平行になるように正中線設定用ロッド５を正中線設定用ロッド溝６１０ａ，６１０ｂにそれぞれ嵌合すれば、瞳孔線４１は瞳孔線ガイド部材６１３に、正中線４３及び特定正中線４２は昇降ロッド６１２にそれぞれ記録が移されることとなる。【０６５１】  加えて、瞳孔線ガイド部材６１３は、頂版６０４及び底版６０１の前方側縁部に平行に位置決めしてあるため、瞳孔線設定用ロッド４が瞳孔線ガイド部材６１３に平行になるように正中線設定用ロッド５を正中線設定用ロッド溝６１０ａ，６１０ｂに嵌合したならば、正中線設定用ロッド５及び瞳孔線設定用ロッド４は、底版６０１及び頂版６０４の前方側縁部で構成される平面、換言すれば咬合器６００の正面と平行になるように取り付けられることとなり、かくして上顎歯列模型７１及び下顎歯列模型７２はそれらの正面が咬合器６００の正面と一致するように該咬合器に据え付けられることとなる。【０６５２】  下顎歯列模型７２及び上顎歯列模型７１を底版６０１の上面及び頂版本体６０２の下面にそれぞれ固着するにあたっては、高さ調整ロッド５６，５６に沿って頂版６０４を昇降させ、次いで、第３の雄ネジ５７，５７を操作することにより頂版６０４を所望の位置で固定した後、正中線設定用ロッド５を正中線設定用ロッド溝６１０ａ，６１０ｂに嵌合し、かかる状態で下顎歯列模型７２を底版６０１の上面に、上顎歯列模型７１���頂版本体６０２の下面にそれぞれ石膏等で固着すればよい。【０６５３】  なお、石膏が固まるまでは、必要に応じて所定の支保部材（図示せず）を底版６０１の上面に立設し、該支保部材で上顎歯列模型７１及び下顎歯列模型７２の重量を支えるようにするのがよい。かかる場合には、支保部材は、底版６０１と下顎歯列模型７２との間の石膏に埋設されることになる。【０６５４】  ここで、上述したように側方バイト材２５，２７の材料を即時重合レジン、バイト材１の材料を歯科用ゴム質弾性印象材（パテタイプ）とするならば、該歯科用ゴム質弾性印象材（パテタイプ）は硬化後においても適度な弾性を有するため、バイト材１′に圧痕された咬合型に合わせて上顎歯列模型７１及び下顎歯列模型７２の前歯７３，７４でバイト材１′を咬ませる際に支柱である上顎歯列模型７１の前歯７３が欠損する恐れがない。【０６５５】  また、即時重合レジンは硬化後かなり硬くなるため、側方バイト材２５′，２７′を該側方バイト材に圧痕された各咬合型に合わせて上顎歯列模型７１及び下顎歯列模型７２の上下臼歯７５，７６及び上下臼歯７７，７８にそれぞれ咬ませることによって、バイト材１′が弾性を有していても上顎歯列模型７１及び下顎歯列模型７２の咬合位置がずれる心配はない。【０６５６】  下顎歯列模型７２が底版６０１の上面に、上顎歯列模型７１が頂版本体６０２の下面にそれぞれ固着されたならば、上顎歯列模型７１と下顎歯列模型７２とで咬まされたバイト材１′及び２つの側方バイト材２５′，２７′を咬合面トランスファー器具１０とともに、上顎歯列模型７１及び下顎歯列模型７２からそれぞれ撤去する。【０６５７】  ここで、バイト材１′及び２つの側方バイト材２５′，２７′を撤去する前後で底版６０１と頂版６０４との相対位置関係が保持されるように、かつ頂版本体６０２の反転の前後で底版６０１と頂版６０４との相対位置関係が保持されるように構成してあるので、バイト材１′及び２つの側方バイト材２５′，２７′を取り去った後も、上顎歯列模型７１と下顎歯列模型７２との相対位置関係は何ら変化しない。【０６５８】  次に、瞳孔線ガイド部材６１３及び正中線ガイド部材６１４を基準として差し歯を製作する。【０６５９】  図５５は、咬合器６００に上顎歯列模型７１及び下顎歯列模型７２が固着された状態を示した正面図、図５６は、図５５における頂版本体６０２周辺を示した詳細正面図、図５７は、咬合器６００に上顎歯列模型７１及び下顎歯列模型７２が固着された状態を示した側面図である。【０６６０】  また、図５８は咬合器６００を構成する頂版本体６０２に上顎歯列模型７１が固着された状態を示す図であり、（ａ）は図５４におけるＣ−Ｃ線に沿う矢視図、（ｂ）は図５７におけるＤ−Ｄ線に沿う矢視図である。【０６６１】  これらの図からわかるように、咬合器６００に固着された上顎歯列模型７１を用いて差し歯を製作するにあたっては、ピニオン６１７の回転軸に連結された高さ調整つまみ６１８を回して咬合面設定用機構６２０を構成する昇降ロッド６１２を上顎歯列模型７１に合わせて所望の位置に昇降させながら、差し歯を製作する。【０６６２】  具体的には、図５６に示すように瞳孔線ガイド部材６１３を基準として��顎歯列が左右対称となるように差し歯を製作することが可能となる。すなわち、咬合器６００の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作することができる。【０６６３】  なお、咬合面は、特定正中線４２を基準にした場合、前歯である切歯７３から大臼歯と口腔内の奥に向かうにつれて徐々に高くなっていくが、図５６でわかるようにピニオン６１７の回転軸に連結された高さ調整つまみ６１８を回すことによって、昇降ロッド６１２を頂版本体６０２に対して昇降させることができるため、上顎歯列用差し歯１４７の種類に応じて昇降ロッド６１２を適宜昇降させながら、上顎歯列模型７１で咬合面を正確に再現することができる。【０６６４】  また、図５６及び図５８でよくわかるように咬合器６００の正面から見て切歯ガイド部材６１４の材軸延長線上に上顎歯列用差し歯１４７のうち、切歯１４５ａ，１４５ｂの間が来るように上顎歯列用差し歯１４７を製作する。かかる場合にも、昇降ロッド６１２を適宜昇降させることにより、切歯ガイド部材６１４の高さを切歯７３の位置に合わせるようにすればよい。【０６６５】  なお、作業の便宜上、頂版本体６０２を頂版基部５３に対して該頂版基部廻りに上面が該頂版基部の上面に当接するまで反転させて上顎歯列用差し歯１４７を製作し、上顎歯列模型７１に該上顎歯列用差し歯を取り付けては頂版本体６０２を頂版基部５３に対して元通りに回転させ、下顎歯列模型７２との咬合状態を確認する。【０６６６】  以上説明したように、本実施形態に係る咬合面トランスファー器具１０及び咬合器６００によれば、瞳孔線設定用ロッド４を介して患者の瞳孔線４１を咬合器６００の底版６０１と平行な関係として該咬合器に移すことができるとともに、正中線設定用ロッド５を介して正中線４３及び特定正中線４２を咬合器６００の底版６０１と垂直な関係として該咬合器に記録が移すことが可能となる。【０６６７】  したがって、上顎歯列模型７１及び下顎歯列模型７２を、その咬合面が患者の口腔内における咬合面と三次元座標上で同一となるように咬合器６００に固着することが可能となり、それゆえ、かかる口腔内における咬合面が咬合器６００に再現された状態で審美的に優れた差し歯を製作することができる。【０６６８】  また、本実施形態に係る咬合器６００によれば、昇降ロッド６１２が頂版本体６０２に対して垂直に昇降自在となるように、かつ瞳孔線ガイド部材６１３が頂版６０４及び底版６０１の前方側縁部と平行に位置決めされるように咬合面設定用機構６２０及び貫通孔６１５を構成するとともに、正中線設定用ロッド溝６１０ａ，６１０ｂを正中線設定用ロッド５が該正中線設定用ロッド溝に嵌合されたときにその材軸と切歯ガイド部材６１４の材軸が同一面内に含まれるように底版６０１と頂版６０４の前方側端面にて形成し、瞳孔線設定用ロッド４が瞳孔線ガイド部材６１３に平行になるように正中線設定用ロッド５を正中線設定用ロッド溝６１０ａ，６１０ｂに嵌合するようにしたので、患者の瞳孔線４１、��中線４３及び特定正中線４２と口腔内の咬合面との相対位置関係は、瞳孔線ガイド部材６１３及び昇降ロッド６１２と上顎歯列模型７１及び下顎歯列模型７２との相対位置関係として咬合器６００上で正確に再現される。【０６６９】  加えて、上顎歯列模型７１及び下顎歯列模型７２を、それらの正面が咬合器６００の正面と一致する状態にて咬合器６００に据え付けることが可能となるため、咬合器６００の正面から上顎歯列模型７１及び下顎歯列模型７２を見ることで、患者の口腔内における歯列を患者の正面から見た場合と同じ状況を再現することが可能となる。【０６７０】  したがって、昇降ロッド６１２及び瞳孔線ガイド部材６１３を基準として高精度に上顎歯列用差し歯１４７を製作することが可能となる。【０６７１】  また、本実施形態に係る咬合面トランスファー器具１０及び咬合器６００によれば、正中線設定用ロッド５を断面が円状のプラスチックロッドで構成するとともに、正中線設定用ロッド溝６１０ａ，６１０ｂの内径を正中線設定用ロッド５の外径よりも若干小さく構成してあるため、該正中線設定用ロッドを正中線設定用ロッド溝６１０ａ，６１０ｂにそれぞれ嵌合することで咬合面トランスファー器具１０を咬合器６００に着脱自在することが可能となり、取付け時には咬合面トランスファー器具１０を咬合器６００に仮固定することができるとともに、ひいては上顎歯列模型７１及び下顎歯列模型７２の仮保持及び位置決めが可能となる。【０６７２】  したがって、上顎歯列模型７１及び下顎歯列模型７２を頂版本体６０２の下面及び底版６０１の上面にそれぞれ取り付ける作業が容易になる。【０６７３】  また、本実施形態に係る咬合器６００によれば、固着後においてバイト材１′及び２つの側方バイト材２５′，２７′を撤去する際、該撤去の前後で底版６０１と頂版６０４との相対位置関係が保持されるように、かつ頂版本体６０２の反転の前後で底版６０１と頂版６０４との相対位置関係が保持されるように頂版６０４及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０６７４】  したがって、正常な咬合が行われる相対位置関係において上顎歯列用差し歯１４７を製作することが可能となるとともに、該上顎歯列用差し歯の製作中、咬合状態を随時チェックすべく、頂版６０４を構成する頂版本体６０２を頂版基部５３に対して元通り回転させても、上顎歯列模型７１と下顎歯列模型７２との相対位置関係は何ら変化しないため、上顎歯列用差し歯１４７の製作中において正常な咬合が行われているかどうかを随時チェックすることが可能となる。【０６７５】  また、本実施形態に係る咬合器６００によれば、上顎歯列模型７１及び下顎歯列模型７２をそれらの正面が咬合器６００の正面と一致するように該咬合器に据え付けるように構成したので、咬合器６００の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作することができる。【０６７６】  また、本実施形態に係る咬合器６００によれば、咬合面設定用機構６２０を構成する昇降ロッド６１２を頂版本体６０２に対して昇降自在に取り付けるようにしたので、昇降ロッド６１２に取り付けられた瞳孔線ガイド部材６１３を上顎歯列模型７１の歯列に合わせて所望の高さに設定することが可能となり、上顎歯列用差し歯１４７の製作精度が向上する。【０６７７】  加えて、本実施形態に係る咬合器６００によれば、咬合面設定用機構６２０を構成する切歯ガイド部材６１４を昇降ロッド６１２にその材軸と直交するように底版６０１の後方側に突設して構成したので、切歯ガイド部材６１４の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０６７８】  本実施形態では特に言及しなかったが、本発明の咬合器を高さ調整ロッド５６，５６に沿って頂版６０２が昇降自在となるように構成したが、上顎歯列模型７１及び下顎歯列模型７２の取付けに支障がなく頂版を昇降自在に構成する必要がないのであれば、頂版を昇降自在とする必要はない。【０６７９】  図５９は、変形例に係る咬合器を示した斜視図である。【０６８０】  同図からわかるように、変形例に係る咬合器６３０は、底版６０１と、該底版の後方側縁部に沿って互いに離間させた状態で立設された一対の支持ロッド１１５，１１５と、該支持ロッドの上端に固定された頂版６３４と、該頂版の前方側近傍に該頂版を貫通する形で設けられた咬合面設定用機構６２０とからからなり、頂版６３４は、支持ロッド１１５，１１５の上端にて固定された頂版基部１１３と該頂版基部にヒンジ９９，９９を介して連結された頂版本体６０２とから構成してある。以下、本変形例については、第４実施形態で詳述したので、ここではその説明を省略する。【０６８１】  また、本実施形態では、本発明の咬合器を頂版及び底版の前方側端面にて咬合面トランスファー器具１０の正中線設定用ロッド５が嵌合される正中線設定用ロッド溝を形成するように構成したが、瞳孔線ガイド部材６１３及び昇降ロッド６１２を基準として上顎歯列模型７１及び下顎歯列模型７２を咬合器に固着することが可能であれば頂版及び底版に正中線設定用ロッド溝を形成する必要はない。【０６８２】  図６０は、変形例に係る咬合器を示した斜視図である。【０６８３】  同図からわかるように、変形例に係る咬合器６４０は、底版６４１と、該底版の後方側縁部に沿って互いに離間させた状態で立設された一対の高さ調整ロッド５６，５６と、該高さ調整ロッドに後方側縁部にてその上面及び下面が反転するように回動自在に取り付けられ下面に上顎歯列模型７１が固着される頂版６４４と、該頂版の前方側近傍に該頂版を貫通する形で設けられた咬合面設定用機構６２０とからからなり、頂版６３４は、高さ調整ロッド５６，５６の上端にて固定された頂版基部５３と該頂版基部にヒンジ９９，９９を介して連結された頂版本体６４２とから構成してある。【０６８４】  また、底版６４１及び頂版６４４は、互いに平行に対向させてあるとともに両前方側端面が底版６４１に対する垂直面上に位置するように構成してあり、底版６４１の上面には下顎歯列模型７２を、頂版６４４の下面には上顎歯列模型７１をそれぞれ固着することができるようになっている。【０６８５】  かかる構成においては、咬合面トランスファー器具１０の瞳孔線設定用ロッド４が咬合面設定用機構６２０の瞳孔線ガイド部材６１３に平行になるように、かつ正中線設定用ロッド５がその材軸と切歯ガイド部材６１４の材軸とが同一面内に含まれるように、正中線設定用ロッド５を底版６４１及び頂版本体６４２の前方側端面にあてがい、下顎歯列模型７２を底版６４１の上面に、上顎歯列模型７１を頂版本体６４２の下面にそれぞれ固着するようにすればよい。【０６８６】  また、本実施形態では、本発明の咬合器を高さ調整ロッド５６，５６に沿って頂版６０４が昇降自在となるように構成するとともに、頂版６０４及び底版６０１の前方側端面にて咬合面トランスファー器具１０の正中線設定用ロッド５が嵌合される正中線設定用ロッド溝６１０ａ，６１０ｂを形成するように構成したが、上述したように上顎歯列模型７１及び下顎歯列模型７２の取付けに支障がなく頂版を昇降自在に構成する必要がないのであれば、頂版を昇降自在とする必要はなく、かつ瞳孔線ガイド部材６１３及び昇降ロッド６１２を基準として上顎歯列模型７１及び下顎歯列模型７２を咬合器に固着することが可能であれば頂版及び底版に正中線設定用ロッド溝を形成する必要はない。【０６８７】  図６１は変形例に係る咬合器を示した斜視図である。【０６８８】  同図からわかるように、変形例に係る咬合器６５０は、底版６４１と、該底版の後方側縁部に沿って互いに離間させた状態で立設された一対の支持ロッド１１５，１１５と、該支持ロッドの上端に固定された頂版６５４と、該頂版の前方側近傍に該頂版を貫通する形で設けられた咬合面設定用機構６２０とからからなり、該頂版は、支持ロッド１１５，１１５の上端にて固定された頂版基部１１３と該頂版基部にヒンジ９９，９９を介して連結された頂版本体６４２とから構成してある。【０６８９】  かかる構成においても、上述したように瞳孔線設定用ロッド４が瞳孔線ガイド部材６１３に平行になるように、かつ正中線設定用ロッド５がその材軸と切歯ガイド部材６１４の材軸とが同一面内に含まれるように、正中線設定用ロッド５を底版６４１及び頂版本体６４２の前方側端面にあてがい、下顎歯列模型７２を底版６４１の上面に、上顎歯列模型７１を頂版本体６４２の下面にそれぞれ固着するようにすればよい。【０６９０】  また、本実施形態では、咬合器６００を構成する頂版６０４及び底版６０１を所定の厚みを有する矩形状の鋼板で構成したが、特に矩形状に限る必要はない。【０６９１】  図６２は、変形例に係る咬合器６６０を示した斜視図である。【０６９２】  同図でわかるように、変形例に係る咬合器６６０は、咬合器６００とほぼ同様、上面に下顎歯列模型７２が固着される底版６６１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版６６３と、該頂版の前方側近傍に該頂版を貫通する��で設けられた咬合面設定用機構６２０とから構成してあり、頂版６６３は、前方に向けて高さ調整ロッド５６，５６に片持ち状に取り付けてある。【０６９３】  また、底版６６１及び頂版６６３は、互いに平行に対向させてあるとともに両前方側端面が底版６６１に対する垂直面上に位置するように構成してあり、底版６６１の上面には下顎歯列模型７２を、頂版６６３の下面には上顎歯列模型７１をそれぞれ固着することができるようになっている。【０６９４】  頂版６６３は、高さ調整ロッド５６，５６が挿通される２つのロッド孔９１，９１が両端部に形成されてなる頂版基部５３と該頂版基部にヒンジ９９，９９を介して連結された頂版本体６６２とから構成してある。【０６９５】  ここで、底版６６１及び頂版本体６６２は咬合器６００とは異なり、半楕円状で所定の厚みを有する鋼板で形成してあり、底版６６１の上面と頂版本体６６２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０６９６】  底版６６１及び頂版本体６６２の前方側端面には咬合器６００と同様、咬合面トランスファー器具１０を構成する正中線設定用ロッド５が嵌合される正中線設定用ロッド溝６１０ａ，６１０ｂを形成してある。【０６９７】  以下、本変形例に係る咬合器６６０は、底版及び頂版の形状が異なる点を除き、咬合器６００と同様であるので、その他の構成及び作用効果についてはその説明を省略する。【０６９８】  また、本実施形態では特に言及しなかったが、切歯ガイド部材６１４を伸縮自在に構成してもよい。【０６９９】  図６３は、変形例に係る咬合器６７０を示した斜視図及び咬合面設定用機構６７４の断面図である。【０７００】  同図に示す咬合器６７０は咬合器６００とほぼ同様、底版６０１と、該底版の後方側縁部近傍に立設された支持機構としての高さ調整ロッド５６，５６と、該高さ調整ロッドに後方側縁部にて取り付けられた頂版６０４と、該頂版の前方側近傍に該頂版を貫通する形で設けられた咬合面設定用機構６７４とから構成してあるとともに、頂版６０４は、前方に向けて高さ調整ロッド５６，５６に片持ち状に取り付けてある。【０７０１】  咬合面設定用機構６７４は、頂版本体６０２に形成された貫通孔６１５に材軸廻りに非回転となるように挿通され断面が矩形状の昇降ロッド６１２と、該昇降ロッドの下端近傍にてその材軸に直角になるようにかつ頂版６０４及び底版６０１の前方側縁部に対して直交するように底版６０１と平行に後方側に向けて突設された切歯ガイド部材６７３と、昇降ロッド６１２の下端近傍にてその材軸及び切歯ガイド部材６７３に直角になるように設けられた瞳孔線ガイド部材６１３とから構成してある。【０７０２】  ここで、切歯ガイド部材６７３は、昇降ロッド６１２に取り付けられた切歯ガイド本体６７２と、その先端に取り付けられ先鋭に形成された伸縮ガイド６７１とからなり、該伸縮ガイド６７１は、切歯ガイド本体６７２に対して伸縮自在に構成してある。【０７０３】  伸縮自在とするには、切歯ガイド６７１を切歯ガイド本体６７２に螺合する構成や、ロッドアンテナ状に切歯ガイド６���１を伸縮させる構成などがあるが、かかる構成については、公知の構成から適宜選択すればよい。【０７０４】  かかる構成においては、切歯ガイド部材６７３を適宜伸縮させてその先端を上顎歯列模型７１の前歯に近づけるとともに、図６３（ｂ）に示すように、その先鋭な先端にちょうど両切歯１４５ａ，１４５ｂの間がくるように上顎歯列用差し歯を製作することが可能となり、該上顎歯列用差し歯の製作精度がより向上する。【０７０５】  換言すれば、咬合面トランスファー器具１０を構成する正中線設定用ロッド５とバイト材保持部２との水平長さを咬合器６７０上で再現せずとも、切歯１４５ａ，１４５ｂ間の位置を正中線４３あるいは特定正中線４２上に正確に一致させることが可能となるとともに、バイト材１を咬んだときの咬合位置のばらつきについても、切歯ガイド部材６７３を伸縮させることによって、そのばらつきを吸収することが可能となる。【０７０６】  以下、本変形例に係る咬合器６７０は、咬合面設定用機構が異なる点を除き、咬合器６００と同様であるので、その他の構成及び作用効果についてはその説明を省略する。【０７０７】  また、本実施形態では特に言及しなかったが、本発明に係る咬合器は、咬合面トランスファー器具を構成する正中線設定用ロッドを正中線設定用ロッド溝に嵌合したとき、正中線設定用ロッドが底版に対して垂直になり、かつその材軸と咬合面設定用機構の切歯ガイド部材の材軸が同一面内に含まれるように正中線設定用ロッド溝を形成してあれば、底版及び頂版の前方側縁部に対する咬合面設定用機構の瞳孔線ガイド部材の配置角度は任意であり、本実施形態のように平行である必要はない。【０７０８】  図６４は、変形例に係る頂版本体６８２の見上げ図（上方を見上げた図）であり、（ａ）は、上述した配置角度が９０°でない任意の角度θ４の場合における頂版本体６８２を示した図、（ｂ）は、咬合面トランスファー器具１０と上顎歯列模型７１あるいは頂版本体６８２との相対位置関係を示したものである。【０７０９】  かかる場合には、同図でわかるように、瞳孔線設定用ロッド４が瞳孔線ガイド部材６１３に平行になる状態にて上顎歯列模型７１が頂版本体６８２に固着されてあり、上顎歯列模型７１の正面と該頂版本体の正面とは一致せず、角度θ４だけずれることになるが、差し歯の製作上、何らの問題も生じないし、上述したと同様、高精度の差し歯を製作することができる。【０７１０】  なお、咬合面設定用機構６２０ａは、瞳孔線ガイド部材６１３が頂版本体６８２の前方側縁部に平行ではなく角度θ４である点を除き、咬合面設定用機構６２０と全く同一であるので、ここではその説明を省略する。【０７１１】  また、本実施形態では、咬合面トランスファー器具１０及び咬合器６００を用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材及びバイト材を患者に咬ませ、かかる状態にて患者の瞳孔線４１を瞳孔線設定用ロッド４に、患者の正中線４３及び特定正中線４２を正中線設定用ロッド５にそれぞれ記録し、次いで、���合面トランスファー器具１０の瞳孔線設定用ロッド４が瞳孔線ガイド部材６１３に平行になるように正中線設定用ロッド５を正中線設定用ロッド溝６１０ａ，６１０ｂにそれぞれ嵌合し、下顎歯列模型７２および上顎歯列模型７１を咬合器６００に据え付けた上、瞳孔線ガイド部材６１３及び昇降ロッド６１２並びに切歯ガイド部材６１４を基準として下顎歯列用差し歯を製作すればよい。【０７１２】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。【０７１３】（第８実施形態）【０７１４】  次に、第８実施形態について説明する。なお、上述の実施形態と実質的に同一の部品等については同一の符号を付してその説明を省略する。【０７１５】  図６５は、本実施形態に係る咬合器を示した図であり、（ａ）は斜視図、（ｂ）は咬合器の前方側周辺の詳細断面図である。図６６は、本実施形態に係る咬合器の側面図を示す。これらの図でわかるように、本実施形態に係る咬合器７００は、上面に下顎歯列模型７２が固着される底版１４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版７０２と、該頂版の前方側近傍に該頂版を貫通する形で設けられた咬合面設定用機構６２０とから構成してあり、頂版７０２は、前方に向けて高さ調整ロッド５６，５６に片持ち状に取り付けてある。【０７１６】  ここで、底版１４１及び頂版７０２は、互いに平行に対向させてあるとともに両前方側端面が底版１４１に対する垂直面上に位置するように構成してあり、底版１４１の上面には下顎歯列模型７２を、頂版７０２の下面には上顎歯列模型７１をそれぞれ固着することができるようになっている。【０７１７】  底版１４１及び頂版７０２は、例えば所定の厚みを有する矩形状の鋼板で構成することが可能であり、底版１４１の上面と頂版７０２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０７１８】  また、底版１４１の後方側縁部に沿って互いに離間させた状態で一対の高さ調整ロッド５６，５６を立設してあり、頂版７０２は、高さ調整ロッド５６，５６が挿通される２つのロッド孔９１，９１が両端部に形成されてなる頂版基部５３と該頂版基部にヒンジ９９，９９を介して連結された頂版本体７０１とから構成してある。かかる構成により、頂版７０２全体を高さ調整ロッド５６，５６に沿って昇降させることができるとともに、頂版本体７０１を頂版基部５３の廻りに回転させて該頂版本体の上面及び下面を反転させることができるようになっている。【０７１９】  また、頂版７０２は、上述したようにその頂版本体７０１を頂版基部５３の廻りに回転させることができるようになっているが、頂版本体７０１の後方端面と頂版基部５３とが当接することで頂��本体７０１の回転が制限され、かかる状態において、該頂版本体は、底版１４１に対して水平前方に向けて片持ち状になるように構成してある。【０７２０】  このように、頂版本体７０１が水平前方に向いた位置で回転拘束されるようになっていることにより、頂版本体７０１の上面及び下面の反転の前後で底版１４１と頂版本体７０１との相対位置関係を保持することができる。【０７２１】  また、頂版基部５３の長手方向両端面には、固定機構９３，９３を設けてあり、頂版基部５３、ひいては頂版７０２全体を高さ調整ロッド５６，５６の所望位置に固定することができるようになっているが、かかる構成については第２実施形態ですでに述べたので省略する。【０７２２】  ここで、咬合面設定用機構６２０は、頂版本体７０１に形成された貫通孔６１５に材軸廻りに非回転となるように挿通され断面が矩形状の昇降ロッド６１２と、該昇降ロッドの下端近傍にてその材軸に直角になるようにかつ頂版７０２及び底版１４１の前方側縁部に対して直交するように底版１４１と平行に後方へ向けて突設された切歯ガイド部材６１４と、昇降ロッド６１２の下端近傍にてその材軸及び切歯ガイド部材６１４に直角になるように設けられた瞳孔線ガイド部材６１３とから構成してあり、昇降ロッド６１２は、頂版本体７０１に対して垂直に昇降自在となるように貫通孔６１５を形成してある。【０７２３】  以下、咬合面設定用機構６２０については第７実施形態で詳述したので、その説明を省略する。【０７２４】  ここで、底版１４１と頂版７０２の前方側端面には、咬合面トランスファー器具１２０の正中線設定用ロッド１２５の突条体１３６が着脱自在に嵌合される嵌合溝１５０ａ、嵌合溝１５０ｂをそれぞれ形成してある。【０７２５】  かかる嵌合溝１５０ａ，１５０ｂは、底版１４１に対する同一の垂直線上にそれぞれ形成してあるとともに、正中線設定用ロッド１２５の突条体１３６を嵌合したとき、該正中線設定用ロッドが底版１４１に対して垂直となる状態で仮固定され、かつ咬合面トランスファー器具１２０の瞳孔線設定用ロッド４が底版１４１及び頂版７０２の前方側縁部に平行になるように、換言すれば咬合器７００の正面と平行になるように形成してある。【０７２６】  なお、嵌合溝１５０ａ，１５０ｂへの正中線設定用ロッド１２５の着脱を行うにあたって、取付け時には所定の強度で仮固定されるように、かつ取外し時には例えば手で手前に引く程度の力で外れるように、突条体１３６の外寸と嵌合溝１５０ａ，１５０ｂの内寸とを適宜調整しておく。【０７２７】  次に、咬合面トランスファー器具１２０及び咬合器７００を用いて差し歯を製作する手順を、患者の上顎歯列用差し歯を製作する場合を例として説明する。【０７２８】  上述した手順で患者の上顎歯列用差し歯を製作するにあたっては、まず、患者の口腔内における咬合面を患者の瞳孔線４１、正中線４３及び特定正中線４２という形で咬合面トランスファー器具１２０に記録し、次いで、これら瞳孔線４１、正中線４３及び特定正中線４２が記録された咬合面トランスファー器具１２０を用いて上顎歯列模型７１及び下顎歯列模型７２を咬合器７００に固着し、かかる状態で上顎歯列模型７１及び下顎歯列模型７２を用いて��顎歯列用差し歯を製作する。【０７２９】  以下、その具体的手順を詳細に説明する。【０７３０】  なお、上顎歯列をタービン等で削り差し歯を支えるための支柱を形成し、２つの側方バイト材２５，２７及びバイト材１を患者に咬ませ、かかる状態にて咬合面トランスファー器具１２０を用いて患者の瞳孔線４１を瞳孔線設定用ロッド４に、患者の正中線４３及び特定正中線４２を正中線設定用ロッド１２５にそれぞれ記録する手順については第４実施形態ですでに述べたので、ここではその説明を省略する。【０７３１】  まず、咬合面トランスファー器具１２０を用いて上顎歯列模型７１及び下顎歯列模型７２を咬合器７００に固着する。【０７３２】  図６７及び図６８は、本実施形態に係る咬合器７００に咬合面トランスファー器具１２０を装着した場合を示した正面図及び側面図である。【０７３３】  これらの図からわかるように、咬合面トランスファー器具１２０を用いて上顎歯列模型７１及び下顎歯列模型７２を咬合器７００に固着するには、まず、昇降ロッド６１２を頂版本体７０１に形成された貫通孔６１５から予め引き抜いておき、上顎歯列模型７１及び下顎歯列模型７２の固着作業が効率的に行われるように準備する。【０７３４】  次に、咬合面トランスファー器具１２０のバイト材保持部２に保持された硬化済みのバイト材１′を該バイト材に圧痕された咬合型に合わせて上顎歯列模型７１の前歯７３と下顎歯列模型７２の前歯７４とで咬ませるとともに、右側の上下臼歯２３，２４（図２参照）の咬合型が圧痕された側方バイト材２５′及び左側の上下臼歯２１，２６（図２参照）の咬合型が圧痕された側方バイト材２７′を各咬合型に合わせて上顎歯列模型７１及び下顎歯列模型７２の右上下臼歯７５，７６と左上下臼歯７７，７８にそれぞれ咬ませ、かかる状態で咬合面トランスファー器具１２０を構成する正中線設定用ロッド１２５の突条体１３６を底版１４１と頂版本体７０１の前方側端面にて形成された嵌合溝１５０ａ、嵌合溝１５０ｂにそれぞれ嵌合し、しかる後、石膏等を用いて下顎歯列模型７２を底版１４１の上面に、上顎歯列模型７１を頂版本体７０１の下面にそれぞれ固着する。【０７３５】  ここで、正中線設定用ロッド１２５の突条体１３６を底版１４１と頂版本体７０１の前方側端面にて形成された嵌合溝１５０ａ、嵌合溝１５０ｂにそれぞれ嵌合することにより、患者の瞳孔線４１は、底版１４１と平行でかつ底版１４１及び頂版７０２の前方側縁部と平行な関係として該咬合器に記録が移されるとともに、正中線４３及び特定正中線４２は、底版１４１と垂直な関係として該咬合器に記録が移される。【０７３６】  一方、咬合面トランスファー器具１２０は、患者の口腔内の咬合面との相対位置関係として瞳孔線４１が瞳孔線設定用ロッド４に、正中線４３及び特定正中線４２が正中線設定用ロッド１２５にそれぞれ記録してある。【０７３７】  そのため、正中線設定用ロッド１２５の突条体１３６を嵌合溝１５０ａ、嵌合溝１５０ｂにそれぞれ嵌合し、かかる状態で上顎歯列模型７１及び下顎歯列模型７２を咬合器７００に取り付けるだけで、上顎歯列模型７１及び下顎歯列模型７２は、それらの正面が咬合器７００の正面と一致するように該咬合器に据え付け��れることとなる。【０７３８】  下顎歯列模型７２及び上顎歯列模型７１を底版１４１の上面及び頂版本体７０１の下面にそれぞれ固着するにあたっては、高さ調整ロッド５６，５６に沿って頂版７０２を昇降させ、次いで、第３の雄ネジ５７，５７を操作することにより頂版７０２を所望の位置で固定した後、正中線設定用ロッド１２５の突条体１３６を嵌合溝１５０ａ，１５０ｂに嵌合し、かかる状態で下顎歯列模型７２を底版１４１の上面に、上顎歯列模型７１を頂版本体７０１の下面にそれぞれ石膏等で固着すればよい。【０７３９】  なお、石膏が固まるまでは、必要に応じて所定の支保部材（図示せず）を底版１４１の上面に立設し、該支保部材で上顎歯列模型７１及び下顎歯列模型７２の重量を支えるようにするのがよい。かかる場合には、支保部材は、底版１４１と下顎歯列模型７２との間の石膏に埋設されることになる。【０７４０】  なお、側方バイト材及びバイト材に関しては、既に上述した実施形態で述べたので、ここではその説明を省略する。【０７４１】  下顎歯列模型７２が底版１４１の上面に、上顎歯列模型７１が頂版本体７０１の下面にそれぞれ固着されたならば、上顎歯列模型７１と下顎歯列模型７２とで咬まされたバイト材１′及び２つの側方バイト材２５′，２７′を咬合面トランスファー器具１２０とともに、上顎歯列模型７１及び下顎歯列模型７２からそれぞれ撤去する。【０７４２】  ここで、バイト材１′及び２つの側方バイト材２５′，２７′を撤去する前後で底版１４１と頂版７０２との相対位置関係が保持されるように、かつ頂版本体７０１の反転の前後で底版１４１と頂版７０２との相対位置関係が保持されるように構成してあるので、バイト材１′及び２つの側方バイト材２５′，２７′を取り去った後も、上顎歯列模型７１と下顎歯列模型７２との相対位置関係は何ら変化しない。【０７４３】  次に、昇降ロッド６１２を貫通孔６１５に差し込み、その後、昇降ロッド６１２に取り付けられた瞳孔線ガイド部材６１３及び昇降ロッド６１２を基準として差し歯を製作する。【０７４４】  図６９は、咬合器７００に上顎歯列模型７１及び下顎歯列模型７２が固着された状態を示した正面図、図７０は、図６９における頂版本体７０１周辺を示した詳細正面図、図７１は、咬合器７００に上顎歯列模型７１及び下顎歯列模型７２が固着された状態を示した側面図である。【０７４５】  また、図７２は咬合器７００を構成する頂版本体７０１に上顎歯列模型７１が固着された状態を示す図であり、（ａ）は図６８におけるＥ−Ｅ線に沿う矢視図、（ｂ）は図７１におけるＦ−Ｆ線に沿う矢視図である。【０７４６】  これらの図からわかるように、咬合器７００に固着された上顎歯列模型７１を用いて差し歯を製作するにあたっては、ピニオン６１７の回転軸に連結された高さ調整つまみ６１８を回して咬合面設定用機構６２０を構成する昇降ロッド６１２を上顎歯列模型７１に合わせて所望の位置に昇降させながら、差し歯を製作する。【０７４７】  具体的には、図７０に示すように瞳孔線ガイド部材６１３を基準として上顎歯列が左右対称となるように差し歯を製作する。すなわち、咬合器７００の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作する。【０７４８】  なお、咬合面は、特定正中線４２を基準にした場合、前歯である切歯７３から大臼歯と口腔内の奥に向かうにつれて徐々に高くなっていくが、図７０でわかるようにピニオン６１７の回転軸に連結された高さ調整つまみ６１８を回すことによって、昇降ロッド６１２を頂版本体７０１に対して昇降させることができるため、上顎歯列用差し歯１４７の種類に応じて昇降ロッド６１２を適宜昇降させながら、上顎歯列模型７１で咬合面を正確に再現することができる。【０７４９】  また、図７０でよくわかるように咬合器７００の正面から見て切歯ガイド部材６１４の材軸延長線上に上顎歯列用差し歯１４７のうち、切歯１４５ａ，１４５ｂの間が来るように上顎歯列用差し歯１４７を製作する。かかる場合にも、昇降ロッド６１２を適宜昇降させることにより、切歯ガイド部材６１４の高さを切歯７３の位置に合わせるようにすればよい。【０７５０】  なお、作業の便宜上、頂版本体７０１を頂版基部５３に対して該頂版基部廻りに上面が該頂版基部の上面に当接するまで反転させて上顎歯列用差し歯１４７を製作し、上顎歯列模型７１に該上顎歯列用差し歯を取り付けては頂版本体７０１を頂版基部５３に対して元通りに回転させ、下顎歯列模型７２との咬合状態を確認する。【０７５１】  以上説明したように、本実施形態に係る咬合器７００によれば、咬合面トランスファー器具１２０の瞳孔線設定用ロッド４を介して患者の瞳孔線４１を咬合器７００の底版１４１と平行な関係として該咬合器に移すことができるとともに、正中線設定用ロッド１２５を介して正中線４３及び特定正中線４２を咬合器７００の底版１４１と垂直な関係として該咬合器に記録が移すことが可能となる。【０７５２】  したがって、上顎歯列模型７１及び下顎歯列模型７２を、その咬合面が患者の口腔内における咬合面と三次元座標上で同一となるように咬合器７００に固着することが可能となり、それゆえ、かかる口腔内における咬合面が咬合器７００に再現された状態で審美的に優れた差し歯を製作することができる。【０７５３】  また、本実施形態に係る咬合器７００によれば、嵌合溝１５０ａ，１５０ｂを、底版１４１に対する同一の垂直線上にそれぞれ形成するとともに、正中線設定用ロッド１２５の突条体１３６が嵌合されたとき、該正中線設定用ロッドが底版１４１に対して垂直となる状態で仮固定され、かつ咬合面トランスファー器具１２０の瞳孔線設定用ロッド４が底版１４１及び頂版７０２の前方側縁部に平行になるように形成したので、患者の瞳孔線４１、正中線４３及び特定正中線４２と口腔内の咬合面との相対位置関係は、瞳孔線ガイド部材６１３及び昇降ロッド６１２と上顎歯列模型７１及び下顎歯列模型７２との相対位置関係として咬合器７００上で正確に再現される。【０７５４】  加えて、上顎歯列模型７１及び下顎歯列模型７２を、それらの正面が咬合器７００の正面と一致する状態にて咬合器７００に据え付けることが可能となるため、咬合器７００の正面から上顎歯列模型７１及び下顎歯���模型７２を見ることで、患者の口腔内における歯列を患者の正面から見た場合と同じ状況を再現することが可能となる。【０７５５】  したがって、昇降ロッド６１２及び瞳孔線ガイド部材６１３を基準として高精度に上顎歯列用差し歯１４７を製作することが可能となる。【０７５６】  また、本実施形態に係る咬合器７００によれば、正中線設定用ロッド１２５の突条体１３６を嵌合溝１５０ａ，１５０ｂにそれぞれ嵌合することで咬合面トランスファー器具１２０を咬合器７００に着脱自在することが可能となり、取付け時には咬合面トランスファー器具１２０を咬合器７００に仮固定することができるとともに、ひいては上顎歯列模型７１及び下顎歯列模型７２の仮保持及び位置決めが可能となる。【０７５７】  したがって、上顎歯列模型７１及び下顎歯列模型７２を頂版本体７０１の下面及び底版１４１の上面にそれぞれ取り付ける作業が容易になる。【０７５８】  また、本実施形態に係る咬合器７００によれば、固着後においてバイト材１′及び２つの側方バイト材２５′，２７′を撤去する際、該撤去の前後で底版１４１と頂版７０２との相対位置関係が保持されるように、かつ頂版７０２の反転の前後で底版１４１と頂版７０２との相対位置関係が保持されるように頂版７０２及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０７５９】  したがって、正常な咬合が行われる相対位置関係において上顎歯列用差し歯１４７を製作することが可能となるとともに、該上顎歯列用差し歯の製作中、咬合状態を随時チェックすべく、頂版７０２を構成する頂版本体７０１を頂版基部５３に対して元通り回転させても、上顎歯列模型７１と下顎歯列模型７２との相対位置関係は何ら変化しないため、上顎歯列用差し歯１４７の製作中において正常な咬合が行われているかどうかを随時チェックすることが可能となる。【０７６０】  また、本実施形態に係る咬合器７００によれば、上顎歯列模型７１及び下顎歯列模型７２をそれらの正面が咬合器７００の正面と一致するように該咬合器に据え付けるように構成したので、咬合器７００の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作することができる。【０７６１】  また、本実施形態に係る咬合器７００によれば、咬合面設定用機構６２０を構成する昇降ロッド６１２を頂版本体７０１に対して昇降自在に取り付けるようにしたので、昇降ロッド６１２に取り付けられた瞳孔線ガイド部材６１３を上顎歯列模型７１の歯列に合わせて所望の高さに設定することが可能となり、上顎歯列用差し歯１４７の製作精度が向上する。【０７６２】  加えて、本実施形態に係る咬合器７００によれば、咬合面設定用機構６２０を構成する切歯ガイド部材６１４を昇降ロッド６１２にその材軸と直交するように底版１４１の後方側に突設して構成したので、切歯ガイド部材６１４の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０７６３】  本実施形態では特に言及しなかったが、本発明の咬合器を高さ調整ロッド５６，５６に沿って頂版７０２が昇降自在となるように構成したが、上顎歯列模型７１及び下顎歯列模型７２の取付けに支障がなく頂版を昇降自在に構成する必要がないのであれば、頂版を昇降自在とする必要はない。【０７６４】  図７３は、変形例に係る咬合器を示した斜視図である。【０７６５】  同図からわかるように、変形例に係る咬合器７１０は、底版１４１と、該底版の後方側縁部に沿って互いに離間させた状態で立設された一対の支持ロッド１１５，１１５と、該支持ロッドの上端に固定された頂版７１１と、該頂版の前方側近傍に該頂版を貫通する形で設けられた咬合面設定用機構６２０とからからなり、頂版７１１は、支持ロッド１１５，１１５の上端にて固定された頂版基部１１３と該頂版基部にヒンジ９９，９９を介して連結された頂版本体７０１とから構成してある。以下、本変形例については、第４実施形態で詳述したので、ここではその説明を省略する。【０７６６】  また、本実施形態では、咬合器７００を構成する頂版７０２及び底版１４１を所定の厚みを有する矩形状の鋼板で構成したが、特に矩形状に限る必要はない。【０７６７】  図７４は、変形例に係る咬合器７２０を示した斜視図である。【０７６８】  同図でわかるように、変形例に係る咬合器７２０は、咬合器７００とほぼ同様、上面に下顎歯列模型７２が固着される底版７２１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版７２３と、該頂版の前方側近傍に該頂版を貫通する形で設けられた咬合面設定用機構６２０とから構成してあり、該頂版は、前方に向けて高さ調整ロッド５６，５６に片持ち状に取り付けてある。【０７６９】  また、底版７２１及び頂版７２３は、互いに平行に対向させてあるとともに両前方側端面が底版７２１に対する垂直面上に位置するように構成してあり、底版７２１の上面には下顎歯列模型７２を、頂版７２３の下面には上顎歯列模型７１をそれぞれ固着することができるようになっている。【０７７０】  頂版７２３は、高さ調整ロッド５６，５６が挿通される２つのロッド孔９１，９１が両端部に形成されてなる頂版基部５３と該頂版基部にヒンジ９９，９９を介して連結された頂版本体７２２とから構成してある。【０７７１】  ここで、底版７２１及び頂版７２３は咬合器７００とは異なり、半楕円状で所定の厚みを有する鋼板で形成してあり、底版７２１の上面と頂版本体７２２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０７７２】  底版７２１及び頂版本体７２２の前方側端面には咬合器７００と同様、咬合面トランスファー器具１２０を構成する正中線設定用ロッド１２５の突条体１３６が着脱自在に嵌合さ���る嵌合溝１５０ａ、嵌合溝１５０ｂを形成してある。【０７７３】  以下、本変形例に係る咬合器７２０は、底版及び頂版の形状が異なる点を除き、咬合器７００と同様であるので、その他の構成及び作用効果についてはその説明を省略する。【０７７４】  また、本実施形態では特に言及しなかったが、切歯ガイド部材６１４を伸縮自在に構成してもよい。【０７７５】  図７５は、変形例に係る咬合器７３０を示した斜視図及び断面図である。同図に示す咬合器７３０は咬合器７００とほぼ同様、底版１４１と、該底版の後方側縁部近傍に立設された支持機構としての高さ調整ロッド５６，５６と、該高さ調整ロッドに後方側縁部にて取り付けられた頂版７０２と、該頂版の前方側近傍に該頂版を貫通する形で設けられた咬合面設定用機構６７４とから構成してあるとともに、頂版７０２は、前方に向けて高さ調整ロッド５６，５６に片持ち状に取り付けてある。【０７７６】  咬合面設定用機構６７４は、頂版本体７０１に形成された貫通孔６１５に材軸廻りに非回転となるように挿通され断面が矩形状の昇降ロッド６１２と、該昇降ロッドの下端近傍にてその材軸に直角になるようにかつ頂版７０２及び底版１４１の前方側縁部に対して直交するように底版１４１と平行に後方側に向けて突設された切歯ガイド部材６７３と、昇降ロッド６１２の下端近傍にてその材軸及び切歯ガイド部材６７３に直角になるように設けられた瞳孔線ガイド部材６１３とから構成してある。【０７７７】  ここで、切歯ガイド部材６７３は、昇降ロッド６１２に取り付けられた切歯ガイド本体６７２と、その先端に取り付けられ先鋭に形成された伸縮ガイド６７１とからなり、該伸縮ガイド６７１は、切歯ガイド本体６７２に対して伸縮自在に構成してある。【０７７８】  伸縮自在とするには、切歯ガイド６７１を切歯ガイド本体６７２に螺合する構成や、ロッドアンテナ状に切歯ガイド６７１を伸縮させる構成などがあるが、かかる構成については、公知の構成から適宜選択すればよい。【０７７９】  かかる構成においては、切歯ガイド部材６７３を適宜伸縮させてその先端を上顎歯列模型７１の前歯に近づけるとともに、図７５（ｂ）に示すように、その先鋭な先端にちょうど両切歯１４５ａ，１４５ｂの間がくるように上顎歯列用差し歯を製作することが可能となり、該上顎歯列用差し歯の製作精度がより向上する。【０７８０】  換言すれば、咬合面トランスファー器具１２０を構成する正中線設定用ロッド１２５とバイト材保持部２との水平長さを咬合器７３０上で再現せずとも、切歯１４５ａ，１４５ｂ間の位置を正中線４３あるいは特定正中線４２上に正確に一致させることが可能となるとともに、バイト材１を咬んだときの咬合位置のばらつきについても、切歯ガイド部材６７３を伸縮させることによって、そのばらつきを吸収することが可能となる。【０７８１】  また、本実施形態では特に言及しなかったが、本発明に係る咬合器は、咬合面トランスファー器具を構成する正中線設定用ロッドの突条体を嵌合溝に嵌合したとき、該咬合面トランスファー器具の瞳孔線設定用ロッドが瞳孔線ガイド部材に平行になり、かつ正中線設定用ロッドが底版に対して垂直になるとともにその材軸と切歯ガイド部材の材軸が同一面内に���まれる状態で仮固定されるように嵌合溝を形成してあれば、その形状や方向は任意であり、本実施形態のように正中線設定用ロッド１２５の突条体１３６を嵌合したとき、咬合面トランスファー器具１２０の瞳孔線設定用ロッド４が底版１４１及び頂版７０２の前方側縁部に平行になるようにする必要はなく、瞳孔線設定用ロッド４や瞳孔線ガイド部材６１３が底版１４１及び頂版７０２の前方側縁部に対して所定の角度をなすように構成してもかまわない。【０７８２】  図７６は、変形例に係る頂版本体７０９の見上げ図（上方を見上げた図）であり、（ａ）は、上述した配置角度が９０°でない任意の角度θ５の場合において、咬合面トランスファー器具１２０と上顎歯列模型７１あるいは頂版本体７０９との相対位置関係を示した図、（ｂ）は、咬合面設定用機構６２０ａと上顎歯列模型７１あるいは頂版本体７０９との相対位置関係を示したものである。【０７８３】  かかる場合には、同図で明らかなように、上顎歯列模型７１の正面と頂版本体７０９の正面とは一致せず、角度θ５だけずれることになるが、差し歯の製作上、何らの間題も生じないし、上述したと同様、高精度の差し歯を製作することができる。【０７８４】  なお、咬合面設定用機構６２０ａは、瞳孔線ガイド部材６１３が頂版本体７０９の前方側端面に平行ではなく角度θ５である点を除き、咬合面設定用機構６２０と全く同一であるので、ここではその説明を省略する。【０７８５】  また、本実施形態では、咬合面トランスファー器具１２０及び咬合器７００を用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材及びバイト材を患者に咬ませ、かかる状態にて患者の瞳孔線４１を瞳孔線設定用ロッド４に、患者の正中線４３及び特定正中線４２を正中線設定用ロッド１２５にそれぞれ記録し、次いで、咬合面トランスファー器具１２０を用いて下顎歯列模型および上顎歯列模型を咬合器７００に据え付けた上、咬合面設定用機構６２０を用いて下顎歯列用差し歯を製作すればよい。【０７８６】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。【０７８７】（第９実施形態）【０７８８】  次に、第９実施形態について説明する。なお、上述の実施形態と実質的に同一の部品等については同一の符号を付してその説明を省略する。【０７８９】  図７７は、本実施形態に係る咬合器を示した図であり、（ａ）は斜視図、（ｂ）は咬合器の前方側周辺の詳細断面図である。図７８は、本実施形態に係る咬合器の側面図を示す。これらの図でわかるように、本実施形態に係る咬合器７４０は、上面に下顎歯列模型７２が固着される底版２４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版７４３と、該頂版の前方側近傍に該頂版を貫通する形で設けられた咬合面設定用機構６２０とから構成してあり、頂版７４３は、前方に向けて高さ調整ロッド５６，５６に片持ち状に取り付けてある。【０７９０】  ここで、底版２４１及び頂版７４３は、互いに平行に対向させてあるとともに両前方側端面が底版２４１に対する垂直面上に位置するように構成してあり、底版２４１の上面には下顎歯列模型７２を、頂版７４３の下面には上顎歯列模型７１をそれぞれ固着することができるようになっている。【０７９１】  底版２４１及び頂版７４３は、例えば所定の厚みを有する矩形状の鋼板で構成することが可能であり、底版２４１の上面と頂版７４３の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０７９２】  また、底版２４１の後方側縁部に沿って互いに離間させた状態で一対の高さ調整ロッド５６，５６を立設してあり、頂版７４３は、高さ調整ロッド５６，５６が挿通される２つのロッド孔９１，９１が両端部に形成されてなる頂版基部５３と該頂版基部にヒンジ９９，９９を介して連結された頂版本体７４２とから構成してある。かかる構成により、頂版７４３全体を高さ調整ロッド５６，５６に沿って昇降させることができるとともに、頂版本体７４２を頂版基部５３の廻りに回転させて該頂版本体の上面及び下面を反転させることができるようになっている。【０７９３】  また、頂版７４３は、上述したようにその頂版本体７４２を頂版基部５３の廻りに回転させることができるようになっているが、頂版本体７４２の後方端面と頂版基部５３とが当接することで頂版本体７４２の回転が制限され、かかる状態において、該頂版本体は、底版２４１に対して水平前方に向けて片持ち状になるように構成してある。【０７９４】  このように、頂版本体７４２が水平前方に向いた位置で回転拘束されるようになっていることにより、頂版本体７４２の上面及び下面の反転の前後で底版２４１と頂版本体７４２との相対位置関係を保持することができる。【０７９５】  また、頂版基部５３の長手方向両端面には、固定機構９３，９３を設けてあり、頂版基部５３、ひいては頂版７４３全体を高さ調整ロッド５６，５６の所望位置に固定することができるようになっているが、かかる構成については第２実施形態ですでに述べたので省略する。【０７９６】  ここで、咬合面設定用機構６２０は、頂版本体７４２に形成された貫通孔６１５に材軸廻りに非回転となるように挿通され断面が矩形状の昇降ロッド６１２と、該昇降ロッドの下端近傍にてその材軸に直角になるようにかつ頂版７４３及び底版２４１の前方側縁部に対して直交するように底版２４１と平行に後方へ向けて突設された切歯ガイド部材６１４と、昇降ロッド６１２の下端近傍にてその材軸及び切歯ガイド部材６１４に直角になるように設けられた瞳孔線ガイド部材６１３とから構成してあり、昇降ロッド６１２は、頂版本体７４２に対して垂直に昇降自在となるように貫通孔６１５を形成してある。【０７９７】  以下、咬合面設定用機構６２０については��７実施形態で詳述したので、その説明を省略する。【０７９８】  ここで、底版２４１と頂版７４３の前方側端面には、咬合面トランスファー器具２２０の正中線設定用ロッド２２５が着脱自在に嵌合されるロッド嵌合凹部２５０ａ、ロッド嵌合凹部２５０ｂをそれぞれ形成してある。【０７９９】  ２つのロッド嵌合凹部２５０ａ，２５０ｂは、底版２４１に対する同一の垂直線上にそれぞれ形成してあり、ロッド嵌合凹部２５０ａ，２５０ｂに正中線設定用ロッド２２５が嵌合されたときに該正中線設定用ロッドが底版２４１に対して垂直になり、かつ正中線設定用ロッド２２５が底版２４１に対して垂直な軸線廻りに対し特定の角度に位置決めされた状態で仮固定できるように構成してある。【０８００】  ここで、特定の角度に位置決めするとは、正中線設定用ロッド２２５をロッド嵌合凹部２５０ａ，２５０ｂを嵌合したときに、正中線設定用ロッド２２５の断面二軸のうち、接続部材３の材軸と平行な断面軸２４５が底版２４１及び頂版２４４の前方側縁部と直角になるように位置決めすることを意味する。【０８０１】  一方、咬合面トランスファー器具２２０の正中線設定用ロッド２２５及び嵌着部１３１は、該正中線設定用ロッドを瞳孔線設定用ロッド４に取り付けたときに正中線設定用ロッド２２５の断面二軸のうち、接続部材３の材軸と平行な断面軸２４５が瞳孔線設定用ロッド４の材軸に対して直角になるように構成してある。【０８０２】  したがって、かかる正中線設定用ロッド２２５をロッド嵌合凹部２５０ａ，２５０ｂに嵌合することにより、正中線設定用ロッド２２５及び瞳孔線設定用ロッド４は、底版２４１及び頂版２４４の前方側縁部で構成される平面、換言すれば咬合器７４０の正面と平行になるように取り付けられることとなる。【０８０３】  なお、ロッド嵌合凹部２５０ａ，２５０ｂへの正中線設定用ロッド２２５の着脱を行うにあたって、取付け時には所定の強度で仮固定されるように、かつ取外し時には例えば手で手前に引く程度の力で外れるように、正中線設定用ロッド２２５の外寸とロッド嵌合凹部２５０ａ，２５０ｂの内寸とを適宜調整しておく。次に、咬合面トランスファー器具２２０及び咬合器７４０を用いて差し歯を製作する手順を、患者の上顎歯列用差し歯を製作する場合を例として説明する。【０８０４】  上述した手順で患者の上顎歯列用差し歯を製作するにあたっては、まず、患者の口腔内における咬合面を患者の瞳孔線４１、正中線４３及び特定正中線４２という形で咬合面トランスファー器具２２０に記録し、次いで、これら瞳孔線４１、正中線４３及び特定正中線４２が記録された咬合面トランスファー器具２２０を用いて上顎歯列模型７１及び下顎歯列模型７２を咬合器７４０に固着し、かかる状態で上顎歯列模型７１及び下顎歯列模型７２を用いて上顎歯列用差し歯を製作する。【０８０５】  以下、その具体的手順を詳細に説明する。【０８０６】  なお、上顎歯列をタービン等で削り差し歯を支えるための支柱を形成し、２つの側方バイト材２５，２７及びバイト材１を患者に咬ませ、かかる状態にて咬合面トランスファー器具２２０を用いて患者の瞳孔線４１を瞳孔線設定用ロッド４に、患者の正中線４３及び特定正中線４２を正中線設定用ロ��ド２２５にそれぞれ記録する手順については第４実施形態ですでに述べたので、ここではその説明を省略する。【０８０７】  まず、咬合面トランスファー器具２２０を用いて上顎歯列模型７１及び下顎歯列模型７２を咬合器７４０に固着する。【０８０８】  図７９及び図８０は、本実施形態に係る咬合器７４０に咬合面トランスファー器具２２０を装着した場合を示した正面図及び側面図である。【０８０９】  これらの図からわかるように、咬合面トランスファー器具２２０を用いて上顎歯列模型７１及び下顎歯列模型７２を咬合器７４０に固着するには、まず、昇降ロッド６１２を頂版本体７４２に形成された貫通孔６１５から予め引き抜いておき、上顎歯列模型７１及び下顎歯列模型７２の固着作業が効率的に行われるように準備する。【０８１０】  次に、咬合面トランスファー器具２２０のバイト材保持部２に保持された硬化済みのバイト材１′を該バイト材に圧痕された咬合型に合わせて上顎歯列模型７１の前歯７３と下顎歯列模型７２の前歯７４とで咬ませるとともに、右側の上下臼歯２３，２４（図２参照）の咬合型が圧痕された側方バイト材２５′及び左側の上下臼歯２１，２６（図２参照）の咬合型が圧痕された側方バイト材２７′を各咬合型に合わせて上顎歯列模型７１及び下顎歯列模型７２の右上下臼歯７５，７６と左上下臼歯７７，７８にそれぞれ咬ませ、かかる状態で咬合面トランスファー器具２２０を構成する正中線設定用ロッド２２５を底版２４１と頂版本体７４２の前方側端面にて形成されたロッド嵌合凹部２５０ａ，２５０ｂにそれぞれ嵌合し、しかる後、石膏等を用いて下顎歯列模型７２を底版２４１の上面に、上顎歯列模型７１を頂版本体７４２の下面にそれぞれ固着する。【０８１１】  ここで、正中線設定用ロッド２２５をロッド嵌合凹部２５０ａ，２５０ｂに嵌合することにより、患者の瞳孔線４１は、底版２４１と平行でかつ底版２４１及び頂版７４３の前方側縁部と平行な関係として該咬合器に記録が移されるとともに、正中線４３及び特定正中線４２は、底版２４１と垂直な関係として該咬合器に記録が移される。【０８１２】  一方、咬合面トランスファー器具２２０は、患者の口腔内の咬合面との相対位置関係として瞳孔線４１が瞳孔線設定用ロッド４に、正中線４３及び特定正中線４２が正中線設定用ロッド２２５にそれぞれ記録してある。【０８１３】  そのため、正中線設定用ロッド２２５をロッド嵌合凹部２５０ａ，２５０ｂにそれぞれ嵌合し、かかる状態で上顎歯列模型７１及び下顎歯列模型７２を咬合器７４０に取り付けるだけで、上顎歯列模型７１及び下顎歯列模型７２は、それらの正面が咬合器７４０の正面と一致するように該咬合器に据え付けられることとなる。【０８１４】  下顎歯列模型７２及び上顎歯列模型７１を底版２４１の上面及び頂版本体７４２の下面にそれぞれ固着するにあたっては、高さ調整ロッド５６，５６に沿って頂版７４３を昇降させ、次いで、第３の雄ネジ５７，５７を操作することにより頂版７４３を所望の位置で固定した後、正中線設定用ロッド２２５をロッド嵌合凹部２５０ａ，２５０ｂに嵌合し、かかる状態で下顎歯列模型７２を底版２４１の上面に、上顎歯列模型７１を頂版本体７４２の下面にそれぞれ石膏等で固���すればよい。【０８１５】  なお、石膏が固まるまでは、必要に応じて所定の支保部材（図示せず）を底版２４１の上面に立設し、該支保部材で上顎歯列模型７１及び下顎歯列模型７２の重量を支えるようにするのがよい。かかる場合には、支保部材は、底版２４１と下顎歯列模型７２との間の石膏に埋設されることになる。【０８１６】  なお、側方バイト材２５，２７及びバイト材１に関しては、既に上述した実施形態で述べたので、ここではその説明を省略する。【０８１７】  下顎歯列模型７２が底版２４１の上面に、上顎歯列模型７１が頂版本体７４２の下面にそれぞれ固着されたならば、上顎歯列模型７１と下顎歯列模型７２とで咬まされたバイト材１′及び２つの側方バイト材２５′，２７′を咬合面トランスファー器具２２０とともに、上顎歯列模型７１及び下顎歯列模型７２からそれぞれ撤去する。【０８１８】  ここで、バイト材１′及び２つの側方バイト材２５′，２７′を撤去する前後で底版２４１と頂版７４３との相対位置関係が保持されるように、かつ頂版本体７４２の反転の前後で底版２４１と頂版７４３との相対位置関係が保持されるように構成してあるので、バイト材１′及び２つの側方バイト材２５′，２７′を取り去った後も、上顎歯列模型７１と下顎歯列模型７２との相対位置関係は何ら変化しない。【０８１９】  次に、昇降ロッド６１２を貫通孔６１５に差し込み、その後、昇降ロッド６１２に取り付けられた瞳孔線ガイド部材６１３及び昇降ロッド６１２を基準として差し歯を製作する。【０８２０】  図８１は、咬合器７４０に上顎歯列模型７１及び下顎歯列模型７２が固着された状態を示した正面図、図８２は、図８１における頂版本体７４２周辺を示した詳細正面図、図８３は、咬合器７４０に上顎歯列模型７１及び下顎歯列模型７２が固着された状態を示した側面図である。【０８２１】  また、図８４は咬合器７４０を構成する頂版本体７４２に上顎歯列模型７１が固着された状態を示す図であり、（ａ）は図８０におけるＧ−Ｇ線に沿う矢視図、（ｂ）は図８３におけるＨ−Ｈ線に沿う矢視図である。【０８２２】  これらの図からわかるように、咬合器７４０に固着された上顎歯列模型７１を用いて差し歯を製作するにあたっては、ピニオン６１７の回転軸に連結された高さ調整つまみ６１８を回して咬合面設定用機構６２０を構成する昇降ロッド６１２を上顎歯列模型７１に合わせて所望の位置に昇降させながら、差し歯を製作する。【０８２３】  具体的には、図８２に示すように瞳孔線ガイド部材６１３を基準として上顎歯列が左右対称となるように差し歯を製作する。すなわち、咬合器７４０の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作する。【０８２４】  なお、咬合面は、特定正中線４２を基準にした場合、前歯である切歯７３から大臼歯と口腔内の奥に向かうにつれて徐々に高くなっていくが、図８２でわかるようにピニオン６１７の回転軸に連結された高さ調整つまみ６１８を回すことによって、昇降ロッド６１２を頂版本体７４２に対��て昇降させることができるため、上顎歯列用差し歯１４７の種類に応じて昇降ロッド６１２を適宜昇降させながら、上顎歯列模型７１で咬合面を正確に再現することができる。【０８２５】  また、図８２でよくわかるように咬合器７４０の正面から見て切歯ガイド部材６１４の材軸延長線上に上顎歯列用差し歯１４７のうち、切歯１４５ａ，１４５ｂの間が来るように上顎歯列用差し歯１４７を製作する。かかる場合にも、昇降ロッド６１２を適宜昇降させることにより、切歯ガイド部材６１４の高さを切歯７３の位置に合わせるようにすればよい。【０８２６】  なお、作業の便宜上、頂版本体７４２を頂版基部５３に対して該頂版基部廻りに上面が該頂版基部の上面に当接するまで反転させて上顎歯列用差し歯１４７を製作し、上顎歯列模型７１に該上顎歯列用差し歯を取り付けては頂版本体７４２を頂版基部５３に対して元通りに回転させ、下顎歯列模型７２との咬合状態を確認する。【０８２７】  以上説明したように、本実施形態に係る咬合器７４０によれば、咬合面トランスファー器具２２０の瞳孔線設定用ロッド４を介して患者の瞳孔線４１を咬合器７４０の底版２４１と平行な関係として該咬合器に移すことができるとともに、正中線設定用ロッド２２５を介して正中線４３及び特定正中線４２を咬合器７４０の底版２４１と垂直な関係として該咬合器に記録が移すことが可能となる。【０８２８】  したがって、上顎歯列模型７１及び下顎歯列模型７２を、その咬合面が患者の口腔内における咬合面と三次元座標上で同一となるように咬合器７４０に固着することが可能となり、それゆえ、かかる口腔内における咬合面が咬合器７４０に再現された状態で審美的に優れた差し歯を製作することができる。【０８２９】  また、本実施形態に係る咬合器７４０によれば、ロッド嵌合凹部２５０ａ，２５０ｂを、底版２４１に対する同一の垂直線上にそれぞれ形成するとともに、正中線設定用ロッド２２５が嵌合されたとき、該正中線設定用ロッドが底版２４１に対して垂直となる状態で仮固定され、かつ咬合面トランスファー器具２２０の瞳孔線設定用ロッド４が底版２４１及び頂版７４３の前方側縁部に平行になるように形成したので、患者の瞳孔線４１、正中線４３及び特定正中線４２と口腔内の咬合面との相対位置関係は、瞳孔線ガイド部材６１３及び昇降ロッド６１２と上顎歯列模型７１及び下顎歯列模型７２との相対位置関係として咬合器７４０上で正確に再現される。【０８３０】  加えて、上顎歯列模型７１及び下顎歯列模型７２を、それらの正面が咬合器７４０の正面と一致する状態にて咬合器７４０に据え付けることが可能となるため、咬合器７４０の正面から上顎歯列模型７１及び下顎歯列模型７２を見ることで、患者の口腔内における歯列を患者の正面から見た場合と同じ状況を再現することが可能となる。【０８３１】  したがって、昇降ロッド６１２及び瞳孔線ガイド部材６１３を基準として高精度に上顎歯列用差し歯１４７を製作することが可能となる。【０８３２】  また、本実施形態に係る咬合器７４０によれば、正中線設定用ロッド２２５をロッド嵌合凹部２５０ａ，２５０ｂにそれぞれ嵌合することで咬合面トランスファー器具２２０を咬合器７４０に着脱自在することが可能と���り、取付け時には咬合面トランスファー器具２２０を咬合器７４０に仮固定することができるとともに、ひいては上顎歯列模型７１及び下顎歯列模型７２の仮保持及び位置決めが可能となる。【０８３３】  したがって、上顎歯列模型７１及び下顎歯列模型７２を頂版本体７４２の下面及び底版２４１の上面にそれぞれ取り付ける作業が容易になる。【０８３４】  また、本実施形態に係る咬合器７４０によれば、固着後においてバイト材１′及び２つの側方バイト材２５′，２７′を撤去する際、該撤去の前後で底版２４１と頂版７４３との相対位置関係が保持されるように、かつ頂版７４３の反転の前後で底版２４１と頂版７４３との相対位置関係が保持されるように頂版７４３及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０８３５】  したがって、正常な咬合が行われる相対位置関係において上顎歯列用差し歯１４７を製作することが可能となるとともに、該上顎歯列用差し歯の製作中、咬合状態を随時チェックすべく、頂版７４３を構成する頂版本体７４２を頂版基部５３に対して元通り回転させても、上顎歯列模型７１と下顎歯列模型７２との相対位置関係は何ら変化しないため、上顎歯列用差し歯１４７の製作中において正常な咬合が行われているかどうかを随時チェックすることが可能となる。【０８３６】  また、本実施形態に係る咬合器７４０によれば、上顎歯列模型７１及び下顎歯列模型７２をそれらの正面が咬合器７４０の正面と一致するように該咬合器に据え付けるように構成したので、咬合器７４０の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作することができる。【０８３７】  また、本実施形態に係る咬合器７４０によれば、咬合面設定用機構６２０を構成する昇降ロッド６１２を頂版本体７４２に対して昇降自在に取り付けるようにしたので、昇降ロッド６１２に取り付けられた瞳孔線ガイド部材６１３を上顎歯列模型７１の歯列に合わせて所望の高さに設定することが可能となり、上顎歯列用差し歯１４７の製作精度が向上する。【０８３８】  加えて、本実施形態に係る咬合器７４０によれば、咬合面設定用機構６２０を構成する切歯ガイド部材６１４を昇降ロッド６１２にその材軸と直交するように底版２４１の後方側に突設して構成したので、切歯ガイド部材６１４の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０８３９】  本実施形態では特に言及しなかったが、本発明の咬合器を高さ調整ロッド５６，５６に沿って頂版７４３が昇降自在となるように構成したが、上顎歯列模型７１及び下顎歯列模型７２の取付けに支障がなく頂版を昇降自在に構成する必要がないのであれば、頂版を昇降自在とする必要はない。【０８４０】  図８５は、変形例に係る咬合器を示した斜視図である。【０８４１】  同図からわかるように、変形例に係る咬合器７５０は、底版２４１と、該底版の後方側縁部に沿って互いに離間させた状態で立設された一対の支持ロッド１１５，１１５と、該支持ロッドの上端に固定された頂版７５１と、該頂版の前方側近傍に該頂版を貫通する形で設けられた咬合面設定用機構６２０とからからなり、頂版７５１は、支持ロッド１１５，１１５の上端にて固定された頂版基部１１３と該頂版基部にヒンジ９９，９９を介して連結された頂版本体７４２とから構成してある。以下、本変形例については、第４実施形態で詳述したので、ここではその説明を省略する。【０８４２】  また、本実施形態では、咬合器７４０を構成する頂版７４３及び底版２４１を所定の厚みを有する矩形状の鋼板で構成したが、特に矩形状に限る必要はない。【０８４３】  図８６は、変形例に係る咬合器７６０を示した斜視図である。【０８４４】  同図でわかるように、変形例に係る咬合器７６０は、咬合器７４０とほぼ同様、上面に下顎歯列模型７２が固着される底版７６１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版７６３と、該頂版の前方側近傍に該頂版を貫通する形で設けられた咬合面設定用機構６２０とから構成してあり、該頂版は、前方に向けて高さ調整ロッド５６，５６に片持ち状に取り付けてある。【０８４５】  また、底版７６１及び頂版７６３は、互いに平行に対向させてあるとともに両前方側端面が底版７６１に対する垂直面上に位置するように構成してあり、底版７６１の上面には下顎歯列模型７２を、頂版７６３の下面には上顎歯列模型７１をそれぞれ固着することができるようになっている。【０８４６】  頂版７６３は、高さ調整ロッド５６，５６が挿通される２つのロッド孔９１，９１が両端部に形成されてなる頂版基部５３と該頂版基部にヒンジ９９，９９を介して連結された頂版本体７６２とから構成してある。【０８４７】  ここで、底版７６１及び頂版７６３は咬合器７４０とは異なり、半楕円状で所定の厚みを有する鋼板で形成してあり、底版７６１の上面と頂版７６３の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０８４８】  底版７６１及び頂版本体７６３の前方側端面には咬合器７４０と同様、咬合面トランスファー器具２２０を構成する正中線設定用ロッド２２５が着脱自在に嵌合されるロッド嵌合凹部２５０ａ、２５０ｂを形成してある。【０８４９】  以下、本変形例に係る咬合器７６０は、底版及び頂版の形状が異なる点を除き、咬合器７４０と同様であるので、その他の構成及び作用効果についてはその説明を省略する。【０８５０】  また、本実施形態では特に言及しなかったが、切歯ガイド部材６１４を伸縮自在に構成してもよい。【０８５１】  図８７は、変形例に係る咬合器７７０を示した斜視図及び断面図である。同図に示す咬合器７７０は咬合器７４０とほぼ同様、底版２４１と、該底版の後方側��部近傍に立設された支持機構としての高さ調整ロッド５６，５６と、該高さ調整ロッドに後方側縁部にて取り付けられた頂版７４３と、該頂版の前方側近傍に該頂版を貫通する形で設けられた咬合面設定用機構６７４とから構成してあるとともに、頂版７４３は、前方に向けて高さ調整ロッド５６，５６に片持ち状に取り付けてある。【０８５２】  咬合面設定用機構６７４は、頂版本体７４２に形成された貫通孔６１５に材軸廻りに非回転となるように挿通され断面が矩形状の昇降ロッド６１２と、該昇降ロッドの下端近傍にてその材軸に直角になるようにかつ頂版７４３及び底版２４１の前方側縁部に対して直交するように底版２４１と平行に後方側に向けて突設された切歯ガイド部材６７３と、昇降ロッド６１２の下端近傍にてその材軸及び切歯ガイド部材６７３に直角になるように設けられた瞳孔線ガイド部材６１３とから構成してある。【０８５３】  ここで、切歯ガイド部材６７３は、昇降ロッド６１２に取り付けられた切歯ガイド本体６７２と、その先端に取り付けられ先鋭に形成された伸縮ガイド６７１とからなり、該伸縮ガイド６７１は、切歯ガイド本体６７２に対して伸縮自在に構成してある。【０８５４】  なお、切歯ガイド部材６７３については、既に詳細に説明したので、ここではその説明を省略する。【０８５５】  また、本実施形態では特に言及しなかったが、本発明に係る咬合器は、咬合面トランスファー器具を構成する正中線設定用ロッドをロッド嵌合凹部に嵌合したとき、該咬合面トランスファー器具の瞳孔線設定用ロッドが瞳孔線ガイド部材に平行になり、かつ正中線設定用ロッドが底版に対して垂直になるとともにその材軸と切歯ガイド部材の材軸が同一面内に含まれる状態で仮固定されるように嵌合溝を形成してあれば、その形状や方向は任意であり、本実施形態のように正中線設定用ロッド２２５を嵌合したとき、咬合面トランスファー器具２２０の瞳孔線設定用ロッド４が底版２４１及び頂版７４３の前方側縁部に平行になるようにする必要はなく、瞳孔線設定用ロッド４や瞳孔線ガイド部材６１３が底版２４１及び頂版７４３の前方側縁部に対して所定の角度をなすように構成してもかまわない。【０８５６】  図８８は、変形例に係る頂版本体７４９の見上げ図（上方を見上げた図）であり、（ａ）は、上述した配置角度が９０°でない任意の角度θ６の場合において、咬合面トランスファー器具２２０と上顎歯列模型７１あるいは頂版本体７４９との相対位置関係を示した図、（ｂ）は、咬合面設定用機構６２０ａと上顎歯列模型７１あるいは頂版本体７４９との相対位置関係を示したものである。【０８５７】  かかる場合には、同図で明らかなように、上顎歯列模型７１の正面と頂版本体７４９の正面とは一致せず、角度θ６だけずれることになるが、差し歯の製作上、何らの間題も生じないし、上述したと同様、高精度の差し歯を製作することができる。【０８５８】  なお、咬合面設定用機構６２０ａは、瞳孔線ガイド部材６１３が頂版本体７４９の前方側端面に平行ではなく角度θ６である点を除き、咬合面設定用機構６２０と全く同一であるので、ここではその説明を省略する。【０８５９】  また、本実施形態では、咬合面トランスファー器具２２０及び咬合器７４０��用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材及びバイト材を患者に咬ませ、かかる状態にて患者の瞳孔線４１を瞳孔線設定用ロッド４に、患者の正中線４３及び特定正中線４２を正中線設定用ロッド２２５にそれぞれ記録し、次いで、咬合面トランスファー器具２２０を用いて下顎歯列模型および上顎歯列模型を咬合器７４０に据え付けた上、咬合面設定用機構６２０を用いて下顎歯列用差し歯を製作すればよい。【０８６０】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。【０８６１】（第１０実施形態）【０８６２】  次に、第１０実施形態について説明する。なお、上述の実施形態と実質的に同一の部品等については同一の符号を付してその説明を省略する。【０８６３】  図８９は、本実施形態に係る咬合器を示した図であり、（ａ）は斜視図、（ｂ）は咬合器の前方側周辺の詳細断面図である。図９０は、本実施形態に係る咬合器の側面図を示す。これらの図でわかるように、本実施形態に係る咬合器７８０は、上面に下顎歯列模型７２が固着される底版３４１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版７８２と、該頂版の前方側近傍に該頂版を貫通する形で設けられた咬合面設定用機構６２０とから構成してあり、頂版７８２は、前方に向けて高さ調整ロッド５６，５６に片持ち状に取り付けてある。【０８６４】  ここで、底版３４１及び頂版７８２は、互いに平行に対向させてあるとともに両前方側端面が底版３４１に対する垂直面上に位置するように構成してあり、底版３４１の上面には下顎歯列模型７２を、頂版７８２の下面には上顎歯列模型７１をそれぞれ固着することができるようになっている。【０８６５】  底版３４１及び頂版７８２は、例えば所定の厚みを有する矩形状の鋼板で構成することが可能であり、底版３４１の上面と頂版７８２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０８６６】  また、底版３４１の後方側縁部に沿って互いに離間させた状態で一対の高さ調整ロッド５６，５６を立設してあり、頂版７８２は、高さ調整ロッド５６，５６が挿通される２つのロッド孔９１，９１が両端部に形成されてなる頂版基部５３と該頂版基部にヒンジ９９，９９を介して連結された頂版本体７８１とから構成してある。かかる構成により、頂版７８２全体を高さ調整ロッド５６，５６に沿って昇降させることができるとともに、頂版本体７８１を頂版基部５３の廻りに回転させて該頂版本体の上面及び下面を反転させること��できるようになっている。【０８６７】  また、頂版７８２は、上述したようにその頂版本体７８１を頂版基部５３の廻りに回転させることができるようになっているが、頂版本体７８１の後方端面と頂版基部５３とが当接することで頂版本体７８１の回転が制限され、かかる状態において、該頂版本体は、底版３４１に対して水平前方に向けて片持ち状になるように構成してある。【０８６８】  このように、頂版本体７８１が水平前方に向いた位置で回転拘束されるようになっていることにより、頂版本体７８１の上面及び下面の反転の前後で底版３４１と頂版本体７８１との相対位置関係を保持することができる。【０８６９】  また、頂版基部５３の長手方向両端面には、固定機構９３，９３を設けてあり、頂版基部５３、ひいては頂版７８２全体を高さ調整ロッド５６，５６の所望位置に固定することができるようになっているが、かかる構成については第２実施形態ですでに述べたので省略する。【０８７０】  咬合面設定用機構６２０は、頂版本体７８１に形成された貫通孔６１５に材軸廻りに非回転となるように挿通され断面が矩形状の昇降ロッド６１２と、該昇降ロッドの下端近傍にてその材軸に直角になるようにかつ頂版７８２及び底版３４１の前方側縁部に対して直交するように底版３４１と平行に後方へ向けて突設された切歯ガイド部材６１４と、昇降ロッド６１２の下端近傍にてその材軸及び切歯ガイド部材６１４に直角になるように設けられた瞳孔線ガイド部材６１３とから構成してあり、昇降ロッド６１２は、頂版本体７８１に対して垂直に昇降自在となるように貫通孔６１５を形成してある。【０８７１】  以下、咬合面設定用機構６２０については第７実施形態で詳述したので、その説明を省略する。【０８７２】  ここで、頂版７８２及び底版３４１の前方側端面には、咬合面トランスファー器具３２０の正中線設定用ロッド３２５のロッド本体３３５が着脱自在に嵌合されるようにロッド嵌合凹部３５０ａ，３５０ｂを形成してあるとともに、正中線設定用ロッド３２５の突条体３３６が着脱自在に嵌合されるように嵌合溝３５１ａ，３５１ｂをロッド嵌合凹部３５０ａ，３５０ｂの内面に形成してあり、ロッド本体３３５及び突条体３３６をロッド嵌合凹部３５０ａ，３５０ｂ及び嵌合溝３５１ａ，３５１ｂにそれぞれ嵌合したとき、正中線設定用ロッド３２５が底版３４１に対して垂直になり、かつ正中線設定用ロッド３２５が底版３４１に対して垂直な軸線廻りに対し特定の角度に位置決めされた状態で仮固定されるようにロッド嵌合凹部３５０ａ，３５０ｂ及び嵌合溝３５１ａ，３５１ｂを構成してある。【０８７３】  一方、第６実施形態で述べたように、咬合面トランスファー器具３２０の正中線設定用ロッド３２５及び嵌着部３３１は、該正中線設定用ロッドを瞳孔線設定用ロッド４に取り付けたときに突条体３３６の突設方向が瞳孔線設定用ロッド４の材軸に対して直角になるように構成してある。【０８７４】  したがって、かかる突条体３３６を嵌合溝３５１ａ，３５１ｂに嵌合することにより、正中線設定用ロッド３２５及び瞳孔線設定用ロッド４は、底版３４１及び頂版７８２の前方側縁部で構成される平面、換言すれば咬合器７８０の正面と平行になるように取り付け���れることとなる。【０８７５】  なお、嵌合溝３５１ａ，３５１ｂへの正中線設定用ロッド３２５の着脱を行うにあたって、取付け時には所定の強度で仮固定されるように、かつ取外し時には例えば手で手前に引く程度の力で外れるように、突条体３３６の外寸と嵌合溝３５０ａ，３５０ｂの内寸とを適宜調整しておく。【０８７６】  次に、咬合面トランスファー器具３２０及び咬合器７８０を用いて差し歯を製作する手順を、患者の上顎歯列用差し歯を製作する場合を例として説明する。【０８７７】  上述した手順で患者の上顎歯列用差し歯を製作するにあたっては、まず、患者の口腔内における咬合面を患者の瞳孔線４１、正中線４３及び特定正中線４２という形で咬合面トランスファー器具３２０に記録し、次いで、これら瞳孔線４１、正中線４３及び特定正中線４２が記録された咬合面トランスファー器具３２０を用いて上顎歯列模型７１及び下顎歯列模型７２を咬合器７８０に固着し、かかる状態で上顎歯列模型７１及び下顎歯列模型７２を用いて上顎歯列用差し歯を製作する。【０８７８】  以下、その具体的手順を詳細に説明する。【０８７９】  なお、上顎歯列をタービン等で削り差し歯を支えるための支柱を形成し、２つの側方バイト材２５，２７及びバイト材１を患者に咬ませ、かかる状態にて咬合面トランスファー器具３２０を用いて患者の瞳孔線４１を瞳孔線設定用ロッド４に、患者の正中線４３及び特定正中線４２を正中線設定用ロッド１２５にそれぞれ記録する手順については第４実施形態ですでに述べたので、ここではその説明を省略する。【０８８０】  まず、咬合面トランスファー器具３２０を用いて上顎歯列模型７１及び下顎歯列模型７２を咬合器７８０に固着する。【０８８１】  図９１及び図９２は、本実施形態に係る咬合器７８０に咬合面トランスファー器具３２０を装着した場合を示した正面図及び側面図である。【０８８２】  これらの図からわかるように、咬合面トランスファー器具３２０を用いて上顎歯列模型７１及び下顎歯列模型７２を咬合器７８０に固着するには、まず、昇降ロッド６１２を頂版本体７８１に形成された貫通孔６１５から予め引き抜いておき、上顎歯列模型７１及び下顎歯列模型７２の固着作業が効率的に行われるように準備する。【０８８３】  次に、咬合面トランスファー器具３２０のバイト材保持部２に保持された硬化済みのバイト材１′を該バイト材に圧痕された咬合型に合わせて上顎歯列模型７１の前歯７３と下顎歯列模型７２の前歯７４とで咬ませるとともに、右側の上下臼歯２３，２４（図２参照）の咬合型が圧痕された側方バイト材２５′及び左側の上下臼歯２１，２６（図２参照）の咬合型が圧痕された側方バイト材２７′を各咬合型に合わせて上顎歯列模型７１及び下顎歯列模型７２の右上下臼歯７５，７６と左上下臼歯７７，７８にそれぞれ咬ませ、かかる状態で咬合面トランスファー器具３２０の正中線設定用ロッド３２５を構成するロッド本体３３５及び突条体３３６をロッド嵌合凹部３５０ａ，３５０ｂ及び嵌合溝３５１ａ，３５１ｂにそれぞれ嵌合し、しかる後、石膏等を用いて下顎歯列模型７２を底版３４１の上面に、上顎歯列模型７１を頂版本体７８１の下面にそれぞれ固着する。【０８８４】  ここで、正中線設定用��ッド３２５のロッド本体３３５及び突条体３３６をロッド嵌合凹部３５０ａ，３５０ｂ及び嵌合溝３５１ａ，３５１ｂにそれぞれ嵌合することにより、患者の瞳孔線４１は、底版３４１と平行でかつ底版３４１及び頂版７８２の前方側縁部と平行な関係として該咬合器に記録が移されるとともに、正中線４３及び特定正中線４２は、底版３４１と垂直な関係として該咬合器に記録が移される。【０８８５】  一方、咬合面トランスファー器具３２０は、患者の口腔内の咬合面との相対位置関係として瞳孔線４１が瞳孔線設定用ロッド４に、正中線４３及び特定正中線４２が正中線設定用ロッド３２５にそれぞれ記録してある。【０８８６】  そのため、正中線設定用ロッド３２５のロッド本体３３５及び突条体３３６をロッド嵌合凹部３５０ａ，３５０ｂ及び嵌合溝３５１ａ，３５１ｂにそれぞれ嵌合し、かかる状態で上顎歯列模型７１及び下顎歯列模型７２を咬合器７８０に取り付けるだけで、上顎歯列模型７１及び下顎歯列模型７２は、それらの正面が咬合器７８０の正面と一致するように該咬合器に据え付けられることとなる。【０８８７】  下顎歯列模型７２及び上顎歯列模型７１を底版３４１の上面及び頂版本体７８１の下面にそれぞれ固着するにあたっては、高さ調整ロッド５６，５６に沿って頂版７８２を昇降させ、次いで、第３の雄ネジ５７，５７を操作することにより頂版７８２を所望の位置で固定した後、正中線設定用ロッド３２５をロッド嵌合凹部３５０ａ，３５０ｂ及び嵌合溝３５１ａ，３５１ｂにそれぞれ嵌合し、かかる状態で下顎歯列模型７２を底版３４１の上面に、上顎歯列模型７１を頂版本体７８１の下面にそれぞれ石膏等で固着すればよい。【０８８８】  なお、石膏が固まるまでは、必要に応じて所定の支保部材（図示せず）を底版３４１の上面に立設し、該支保部材で上顎歯列模型７１及び下顎歯列模型７２の重量を支えるようにするのがよい。かかる場合には、支保部材は、底版３４１と下顎歯列模型７２との間の石膏に埋設されることになる。【０８８９】  なお、側方バイト材及びバイト材に関しては、既に上述した実施形態で述べたので、ここではその説明を省略する。【０８９０】  下顎歯列模型７２が底版３４１の上面に、上顎歯列模型７１が頂版本体７８１の下面にそれぞれ固着されたならば、上顎歯列模型７１と下顎歯列模型７２とで咬まされたバイト材１′及び２つの側方バイト材２５′，２７′を咬合面トランスファー器具３２０とともに、上顎歯列模型７１及び下顎歯列模型７２からそれぞれ撤去する。【０８９１】  ここで、バイト材１′及び２つの側方バイト材２５′，２７′を撤去する前後で底版３４１と頂版７８２との相対位置関係が保持されるように、かつ頂版本体７８１の反転の前後で底版３４１と頂版７８２との相対位置関係が保持されるように構成してあるので、バイト材１′及び２つの側方バイト材２５′，２７′を取り去った後も、上顎歯列模型７１と下顎歯列模型７２との相対位置関係は何ら変化しない。【０８９２】  次に、昇降ロッド６１２を貫通孔６１５に差し込み、その後、昇降ロッド６１２に取り付けられた瞳孔線ガイド部材６１３及び正中線ガイド部材６１４を基準として差し歯を製作する。【０８９３】  図９３は、咬合器７８０に��顎歯列模型７１及び下顎歯列模型７２が固着された状態を示した正面図、図９４は、図９３における頂版本体７８１周辺を示した詳細正面図、図９５は、咬合器７８０に上顎歯列模型７１及び下顎歯列模型７２が固着された状態を示した側面図である。【０８９４】  また、図９６は咬合器７８０を構成する頂版本体７８１に上顎歯列模型７１が固着された状態を示す図であり、（ａ）は図９２におけるＩ−Ｉ線に沿う矢視図、（ｂ）は図９５におけるＪ−Ｊ線に沿う矢視図である。【０８９５】  これらの図からわかるように、咬合器７８０に固着された上顎歯列模型７１を用いて差し歯を製作するにあたっては、ピニオン６１７の回転軸に連結された高さ調整つまみ６１８を回して咬合面設定用機構６２０を構成する昇降ロッド６１２を上顎歯列模型７１に合わせて所望の位置に昇降させながら、差し歯を製作する。【０８９６】  具体的には、図９４に示すように瞳孔線ガイド部材６１３を基準として上顎歯列が左右対称となるように差し歯を製作する。すなわち、咬合器７８０の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作する。【０８９７】  なお、咬合面は、特定正中線４２を基準にした場合、前歯である切歯７３から大臼歯と口腔内の奥に向かうにつれて徐々に高くなっていくが、図９４でわかるようにピニオン６１７の回転軸に連結された高さ調整つまみ６１８を回すことによって、昇降ロッド６１２を頂版本体７８１に対して昇降させることができるため、上顎歯列用差し歯１４７の種類に応じて昇降ロッド６１２を適宜昇降させながら、上顎歯列模型７１で咬合面を正確に再現することができる。【０８９８】  また、図９４でよくわかるように咬合器７８０の正面から見て切歯ガイド部材６１４の材軸延長線上に上顎歯列用差し歯１４７のうち、切歯１４５ａ，１４５ｂの間が来るように上顎歯列用差し歯１４７を製作する。かかる場合にも、昇降ロッド６１２を適宜昇降させることにより、切歯ガイド部材６１４の高さを切歯７３の位置に合わせるようにすればよい。【０８９９】  なお、作業の便宜上、頂版本体７８１を頂版基部５３に対して該頂版基部廻りに上面が該頂版基部の上面に当接するまで反転させて上顎歯列用差し歯１４７を製作し、上顎歯列模型７１に該上顎歯列用差し歯を取り付けては頂版本体７８１を頂版基部５３に対して元通りに回転させ、下顎歯列模型７２との咬合状態を確認する。【０９００】  以上説明したように、本実施形態に係る咬合器７８０によれば、咬合面トランスファー器具３２０の瞳孔線設定用ロッド４を介して患者の瞳孔線４１を咬合器７８０の底版３４１と平行な関係として該咬合器に移すことができるとともに、正中線設定用ロッド３２５を介して正中線４３及び特定正中線４２を咬合器７８０の底版３４１と垂直な関係として該咬合器に記録が移すことが可能となる。【０９０１】  したがって、上顎歯列模型７１及び下顎歯列模型７２を、その咬合面が患者の口腔内における咬合面と三次元座標上で同一となるように咬合器７８０に固着する���とが可能となり、それゆえ、かかる口腔内における咬合面が咬合器７８０に再現された状態で審美的に優れた差し歯を製作することができる。【０９０２】  また、本実施形態に係る咬合器７８０によれば、正中線設定用ロッド３２５のロッド本体３３５及び突条体３３６をロッド嵌合凹部３５０ａ，３５０ｂ及び嵌合溝３５１ａ，３５１ｂにそれぞれ嵌合したとき、ロッド嵌合凹部３５０ａ，３５０ｂ及び嵌合溝３５１ａ，３５１ｂを、底版３４１に対する同一の垂直線上にそれぞれ形成するとともに、正中線設定用ロッド３２５が底版３４１に対して垂直となる状態で仮固定され、かつ咬合面トランスファー器具３２０の瞳孔線設定用ロッド４が底版３４１及び頂版７８２の前方側縁部に平行になるように形成したので、患者の瞳孔線４１、正中線４３及び特定正中線４２と口腔内の咬合面との相対位置関係は、瞳孔線ガイド部材６１３及び昇降ロッド６１２と上顎歯列模型７１及び下顎歯列模型７２との相対位置関係として咬合器７８０上で正確に再現される。【０９０３】  加えて、上顎歯列模型７１及び下顎歯列模型７２を、それらの正面が咬合器７８０の正面と一致する状態にて咬合器７８０に据え付けることが可能となるため、咬合器７８０の正面から上顎歯列模型７１及び下顎歯列模型７２を見ることで、患者の口腔内における歯列を患者の正面から見た場合と同じ状況を再現することが可能となる。【０９０４】  したがって、昇降ロッド６１２及び瞳孔線ガイド部材６１３を基準として高精度に上顎歯列用差し歯１４７を製作することが可能となる。【０９０５】  また、本実施形態に係る咬合器７８０によれば、正中線設定用ロッド３２５のロッド本体３３５及び突条体３３６をロッド嵌合凹部３５０ａ，３５０ｂ及び嵌合溝３５１ａ，３５１ｂにそれぞれ嵌合することで咬合面トランスファー器具３２０を咬合器７８０に着脱自在することが可能となり、取付け時には咬合面トランスファー器具３２０を咬合器７８０に仮固定することができるとともに、ひいては上顎歯列模型７１及び下顎歯列模型７２の仮保持及び位置決めが可能となる。【０９０６】  したがって、上顎歯列模型７１及び下顎歯列模型７２を頂版本体７８１の下面及び底版３４１の上面にそれぞれ取り付ける作業が容易になる。【０９０７】  また、本実施形態に係る咬合器７８０によれば、固着後においてバイト材１′及び２つの側方バイト材２５′，２７′を撤去する際、該撤去の前後で底版３４１と頂版７８２との相対位置関係が保持されるように、かつ頂版本体７８１の反転の前後で底版３４１と頂版７８２との相対位置関係が保持されるように頂版７８２及び高さ調整ロッド５６，５６を構成したので、バイト材１′及び２つの側方バイト材２５′，２７′を取り去った後も、上顎歯列模型７１と下顎歯列模型７２との間隔は何ら変化しない。【０９０８】  したがって、正常な咬合が行われる相対位置関係において上顎歯列用差し歯１４７を製作することが可能となるとともに、該上顎歯列用差し歯の製作中、咬合状態を随時チェックすべく、頂版７８２を構成する頂版本体７８１を頂版基部５３に対して元通り回転させても、上顎歯列模型７１と下顎歯列模型７２との相対位置関係は何ら変化しないため、上顎歯列用差し歯��４７の製作中において正常な咬合が行われているかどうかを随時チェックすることが可能となる。【０９０９】  また、本実施形態に係る咬合器７８０によれば、上顎歯列模型７１及び下顎歯列模型７２をそれらの正面が咬合器７８０の正面と一致するように該咬合器に据え付けるように構成したので、咬合器７８０の正面から見て、上顎歯列用差し歯１４７を上顎歯列模型７１の支柱１４３に被せたときに形成される上顎歯列が、あらたに切歯となる差し歯１４５ａ，１４５ｂからあらたに臼歯となる差し歯１４６ａ，１４６ｂに向かって徐々に高くなるように左右対称に製作することができる。【０９１０】  また、本実施形態に係る咬合器７８０によれば、咬合面設定用機構６２０を構成する昇降ロッド６１２を頂版本体７８１に対して昇降自在に取り付けるようにしたので、昇降ロッド６１２に取り付けられた瞳孔線ガイド部材６１３を上顎歯列模型７１の歯列に合わせて所望の高さに設定することが可能となり、上顎歯列用差し歯１４７の製作精度が向上する。【０９１１】  加えて、本実施形態に係る咬合器７８０によれば、咬合面設定用機構６２０を構成する切歯ガイド部材６１４を昇降ロッド６１２にその材軸と直交するように底版３４１の後方側に突設して構成したので、切歯ガイド部材６１４の軸線方向延長線上に切歯１４５ａ，１４５ｂの間がくるように上顎歯列用差し歯１４７を製作することが可能となり、かかる点においても、上顎歯列用差し歯の製作における精度と作業性が大幅に向上する。【０９１２】  本実施形態では特に言及しなかったが、本発明の咬合器を高さ調整ロッド５６，５６に沿って頂版７８２が昇降自在となるように構成したが、上顎歯列模型７１及び下顎歯列模型７２の取付けに支障がなく頂版を昇降自在に構成する必要がないのであれば、頂版を昇降自在とする必要はない。【０９１３】  図９７は、変形例に係る咬合器を示した斜視図である。【０９１４】  同図からわかるように、変形例に係る咬合器７９０は、底版３４１と、該底版の後方側縁部に沿って互いに離間させた状態で立設された一対の支持ロッド１１５，１１５と、該支持ロッドの上端に固定された頂版７９２と、該頂版の前方側近傍に該頂版を貫通する形で設けられた咬合面設定用機構６２０とからからなり、頂版７９２は、支持ロッド１１５，１１５の上端にて固定された頂版基部１１３と該頂版基部にヒンジ９９，９９を介して連結された頂版本体７９１とから構成してある。以下、本変形例については、第４実施形態で詳述したので、ここではその説明を省略する。【０９１５】  また、本実施形態では、咬合器７８０を構成する頂版７８２及び底版３４１を所定の厚みを有する矩形状の鋼板で構成したが、特に矩形状に限る必要はない。【０９１６】  図９８は、変形例に係る咬合器８００を示した斜視図である。【０９１７】  同図でわかるように、変形例に係る咬合器８００は、咬合器７８０とほぼ同様、上面に下顎歯列模型７２が固着される底版８０１と、該底版の後方側縁部近傍に立設された支持機構としての高さ調整ロッド５６，５６と、該高さ調整ロッドに後方側縁部にてその上面及び下面が反転するように回動自在に取り付けられ下面に上顎歯列模型７１が固着される頂版８０３と、該頂��の前方側近傍に該頂版を貫通する形で設けられた咬合面設定用機構６２０とから構成してあり、該頂版は、前方に向けて高さ調整ロッド５６，５６に片持ち状に取り付けてある。【０９１８】  また、底版８０１及び頂版８０３は、互いに平行に対向させてあるとともに両前方側端面が底版８０１に対する垂直面上に位置するように構成してあり、底版８０１の上面には下顎歯列模型７２を、頂版８０３の下面には上顎歯列模型７１をそれぞれ固着することができるようになっている。【０９１９】  頂版８０３は、高さ調整ロッド５６，５６が挿通される２つのロッド孔９１，９１が両端部に形成されてなる頂版基部５３と該頂版基部にヒンジ９９，９９を介して連結された頂版本体８０２とから構成してある。【０９２０】  ここで、底版８０１及び頂版本体８０２は咬合器７８０とは異なり、半楕円状で所定の厚みを有する鋼板で形成してあり、底版８０１の上面と頂版本体８０２の下面には、所定の固着材、例えば石膏を介して下顎歯列模型７２や上顎歯列模型７１をそれぞれ固着できるよう、公知の技術、例えば粗面加工あるいはエンボス加工を施しておけばよい。【０９２１】  底版８０１及び頂版本体８０２の前方側端面には咬合器７８０と同様、咬合面トランスファー器具３２０を構成する正中線設定用ロッド３２５のロッド本体３３５及び突条体３３６が着脱自在に嵌合されるロッド嵌合凹部３５０ａ，３５０ｂ及び嵌合溝３５１ａ，３５１ｂを形成してある。【０９２２】  以下、本変形例に係る咬合器８００は、底版及び頂版の形状が異なる点を除き、咬合器７８０と同様であるので、その他の構成及び作用効果についてはその説明を省略する。【０９２３】  また、本実施形態では特に言及しなかったが、切歯ガイド部材６１４を伸縮自在に構成してもよい。【０９２４】  図９９は、変形例に係る咬合器８１０を示した斜視図及び断面図である。同図に示す咬合器８１０は咬合器７８０とほぼ同様、底版３４１と、該底版の後方側縁部近傍に立設された支持機構としての高さ調整ロッド５６，５６と、該高さ調整ロッドに後方側縁部にて取り付けられた頂版７８２と、該頂版の前方側近傍に該頂版を貫通する形で設けられた咬合面設定用機構６７４とから構成してあるとともに、頂版７８２は、前方に向けて高さ調整ロッド５６，５６に片持ち状に取り付けてある。【０９２５】  咬合面設定用機構６７４は、頂版本体７８１に形成された貫通孔６１５に材軸廻りに非回転となるように挿通され断面が矩形状の昇降ロッド６１２と、該昇降ロッドの下端近傍にてその材軸に直角になるようにかつ頂版７８２及び底版３４１の前方側縁部に対して直交するように底版３４１と平行に後方側に向けて突設された切歯ガイド部材６７３と、昇降ロッド６１２の下端近傍にてその材軸及び切歯ガイド部材６７３に直角になるように設けられた瞳孔線ガイド部材６１３とから構成してある。【０９２６】  ここで、切歯ガイド部材６７３は、昇降ロッド６１２に取り付けられた切歯ガイド本体６７２と、その先端に取り付けられ先鋭に形成された伸縮ガイド６７１とからなり、該伸縮ガイド６７１は、切歯ガイド本体６７２に対して伸縮自在に構成してある。【０９２７】  なお、切歯ガイド部材６７３については、既に詳細に説明したので、ここではその説明を省略する。【０９２８】  また、本実施形態では特に言及しなかったが、本発明に係る咬合器は、ロッド嵌合凹部及び該嵌合溝に咬合面トランスファー器具のロッド本体及び突条体がそれぞれ嵌合されたとき、瞳孔線設定用ロッドが瞳孔線ガイド部材に平行になり、かつ正中線設定用ロッドが底版に対して垂直になるとともにその材軸と切歯ガイド部材の材軸が同一面内に含まれる状態で仮固定されるように構成してあれば、その形状や方向は任意であり、本実施形態のように正中線設定用ロッド３２５の突条体３３６を嵌合したとき、咬合面トランスファー器具３２０の瞳孔線設定用ロッド４が底版３４１及び頂版７８２の前方側縁部に平行になるようにする必要はなく、瞳孔線設定用ロッド４や瞳孔線ガイド部材６１３が底版３４１及び頂版７８２の前方側縁部に対して所定の角度をなすように構成してもかまわない。【０９２９】  図１００は、変形例に係る頂版本体７８９の見上げ図（上方を見上げた図）であり、（ａ）は、上述した配置角度が９０°でない任意の角度θ７の場合において、咬合面トランスファー器具３２０と上顎歯列模型７１あるいは頂版本体７８９との相対位置関係を示した図、（ｂ）は、咬合面設定用機構６２０ａと上顎歯列模型７１あるいは頂版本体７８９との相対位置関係を示したものである。【０９３０】  かかる場合には、同図で明らかなように、上顎歯列模型７１の正面と頂版本体７８９の正面とは一致せず、角度θ７だけずれることになるが、差し歯の製作上、何らの間題も生じないし、上述したと同様、高精度の差し歯を製作することができる。【０９３１】  なお、咬合面設定用機構６２０ａは、瞳孔線ガイド部材６１３が頂版本体７８９の前方側端面に平行ではなく角度θ７である点を除き、咬合面設定用機構６２０と全く同一であるので、ここではその説明を省略する。【０９３２】  また、本実施形態では、咬合面トランスファー器具３２０及び咬合器７８０を用いて上顎歯列用差し歯１４７を製作する際のプロセスを記述したが、下顎歯列用差し歯を製作する場合についても上述したと同様であり、まず、下顎歯列をタービン等で削り差し歯を支えるための支柱を形成し、上述した手順により２つの側方バイト材及びバイト材を患者に咬ませ、かかる状態にて患者の瞳孔線４１を瞳孔線設定用ロッド４に、患者の正中線４３及び特定正中線４２を正中線設定用ロッド３２５にそれぞれ記録し、次いで、咬合面トランスファー器具３２０を用いて下顎歯列模型および上顎歯列模型を咬合器７８０に据え付けた上、咬合面設定用機構６２０を用いて下顎歯列用差し歯を製作すればよい。【０９３３】  また、下顎歯列用差し歯を製作する際には、上顎歯列用差し歯１４７の製作プロセスとは異なり、既に完成した上顎歯列用差し歯１４７に対応する上顎歯列模型との間で該上顎歯列模型の歯列とそれに対向する下顎歯列模型の歯列との咬合状態を一つ一つ確認するようにする。
【図１】
0004214419.tif 000002
【図２】
0004214419.tif 000003
【図３】
0004214419.tif 000004
【図４】
0004214419.tif 000005
【図５】
0004214419.tif 000006
【図６】
0004214419.tif 000007
【図７】
0004214419.tif 000008
【図８】
0004214419.tif 000009
【図９】
0004214419.tif 000010
【図１０】
0004214419.tif 000011
【図１１】
0004214419.tif 000012
【図１２】
0004214419.tif 000013
【図１３】
0004214419.tif 000014
【図１４】
0004214419.tif 000015
【図１５】
0004214419.tif 000016
【図１６】
0004214419.tif 000017
【図１７】
0004214419.tif 000018
【図１８】
0004214419.tif 000019
【図１９】
0004214419.tif 000020
【図２０】
0004214419.tif 000021
【図２１】
0004214419.tif 000022
【図２２】
0004214419.tif 000023
【図２３】
0004214419.tif 000024
【図２４】
0004214419.tif 000025
【図２５】
0004214419.tif 000026
【図２６】
0004214419.tif 000027
【図２７】
0004214419.tif 000028
【図２８】
0004214419.tif 000029
【図２９】
0004214419.tif 000030
【図３０】
0004214419.tif 000031
【図３１】
0004214419.tif 000032
【図３２】
0004214419.tif 000033
【図３３】
0004214419.tif 000034
【図３４】
0004214419.tif 000035
【図３５】
0004214419.tif 000036
【図３６】
0004214419.tif 000037
【図３７】
0004214419.tif 000038
【図３８】
0004214419.tif 000039
【図３９】
0004214419.tif 000040
【図４０】
0004214419.tif 000041
【図４１】
0004214419.tif 000042
【図４２】
0004214419.tif 000043
【図４３】
0004214419.tif 000044
【図４４】
0004214419.tif 000045
【図４５】
0004214419.tif 000046
【図４６】
0004214419.tif 000047
【図４７】
0004214419.tif 000048
【図４８】
0004214419.tif 000049
【図４９】
0004214419.tif 000050
【図５０】
0004214419.tif 000051
【図５１】
0004214419.tif 000052
【図５２】
0004214419.tif 000053
【図５３】
0004214419.tif 000054
【図５４】
0004214419.tif 000055
【図５５】
0004214419.tif 000056
【図５６】
0004214419.tif 000057
【図５７】
0004214419.tif 000058
【図５８】
0004214419.tif 000059
【図５９】
0004214419.tif 000060
【図６０】
0004214419.tif 000061
【図６１】
0004214419.tif 000062
【図６２】
0004214419.tif 000063
【図６３】
0004214419.tif 000064
【図６４】
0004214419.tif 000065
【図６５】
0004214419.tif 000066
【図６６】
0004214419.tif 000067
【図６７】
0004214419.tif 000068
【図６８】
0004214419.tif 000069
【図６９】
0004214419.tif 000070
【図７０】
0004214419.tif 000071
【図７１】
0004214419.tif 000072
【図７２】
0004214419.tif 000073
【図７３】
0004214419.tif 000074
【図７４】
0004214419.tif 000075
【図７５】
0004214419.tif 000076
【図７６】
0004214419.tif 000077
【図７７】
0004214419.tif 000078
【図７８】
0004214419.tif 000079
【図７９】
0004214419.tif 000080
【図８０】
0004214419.tif 000081
【図８１】
0004214419.tif 000082
【図８２】
0004214419.tif 000083
【図８３】
0004214419.tif 000084
【図８４】
0004214419.tif 000085
【図８５】
0004214419.tif 000086
【図８６】
0004214419.tif 000087
【図８７】
0004214419.tif 000088
【図８８】
0004214419.tif 000089
【図８９】
0004214419.tif 000090
【図９０】
0004214419.tif 000091
【図９１】
0004214419.tif 000092
【図９２】
0004214419.tif 000093
【図９３】
0004214419.tif 000094
【図９４】
0004214419.tif 000095
【図９５】
0004214419.tif 000096
【図９６】
0004214419.tif 000097
【図９７】
0004214419.tif 000098
【図９８】
0004214419.tif 000099
【図９９】
0004214419.tif 000100
【図１００】
0004214419.tif 000101